(57)【要約】  【課題】羽根車の回転によって生じる逆回転トルクが手の負担にならないドライヤー及び掃除機を提供する。また，人体動作をアシストするドライヤー及び掃除機を提供する。  【解決手段】本発明にかかるドライヤー及び掃除機の送風機として，少なくとも「電源又は受電可能な端子と，Ｎ個の電動機と，前記各電動機とは反対方向に回転するＮ個の電動機と，Ｎ個の羽根車と，前記各羽根車とは反対方向に回転するＮ個の羽根車を備え，前記各電動機は前記各羽根車を駆動し，Ｎは１以上であることを特徴とする送風機」を用いることで，課題を解決することができる。  【選択図】図５１
2018028318.tif 000002
【特許請求の範囲】
【請求項１】
電源又は受電可能な端子と，Ｎ個の電動機と，前記各電動機とは反対方向に回転するＮ個の電動機と，Ｎ個の羽根車と，前記各羽根車とは反対方向に回転するＮ個の羽根車を備え，前記各電動機は前記各羽根車を駆動し，Ｎは１以上であることを特徴とする送風機。
【請求項２】
電源又は受電可能な端子と，時計回りに回転する電動機Ａ１と，反時計回りに回転する電動機Ａ２と，時計回りに回転する羽根車Ｂ１と，反時計回りに回転する羽根車Ｂ２を備え，前記電動機Ａ１は前記羽根車Ｂ１を駆動し，前記電動機Ａ２は前記羽根車Ｂ２を駆動することを特徴とする送風機。
【請求項３】
電源又は受電可能な端子と，時計回りに回転する電動機Ａ１と，反時計回りに回転する電動機Ａ２と，時計回りに回転する電動機Ａ３と，反時計回りに回転する電動機Ａ４と，時計回りに回転する羽根車Ｂ１と，反時計回りに回転する羽根車Ｂ２と，時計回りに回転する羽根車Ｂ３と，反時計回りに羽根車Ｂ４を備え，前記電動機Ａ１は前記羽根車Ｂ１を駆動し，前記電動機Ａ２は前記羽根車Ｂ２を駆動し，前記電動機Ａ３は前記羽根車Ｂ３を駆動し，前記電動機Ａ４は前記羽根車Ｂ４を駆動することを特徴とする送風機。
【請求項４】
ハンドルと，コンピュータと，センサーと，給電制御手段を備えた請求項１から３のいずれかに記載の送風機であって，前記センサーは信号データを生成し，前記信号データを前記コンピュータは入力し，前記コンピュータは前記信号データから制御データを生成し，前記制御データを前記給電制御手段は入力し，前記給電制御手段は前記制御データに基づいて前記電源又は受電可能な端子から前記各電動機への給電を制御することを特徴とする送風機。
【請求項５】
前記センサーが，ハンドル操作によるトルクを検出できるセンサーである請求項４に記載の送風機。
【請求項６】
前記ハンドル操作によるトルクの回転方向と同方向にアシストトルクを発生するように，前記各電動機への給電を制御する請求項４又は５に記載の送風機。
【請求項７】
前記ハンドル操作によるトルクの回転方向と同方向に回転する前記電動機への給電の電圧を低くする制御を行う請求項４から６のいずれかに記載の送風機。
【請求項８】
前記ハンドル操作によるトルクの回転方向と反対方向に回転する前記電動機への給電の電圧を高くする制御を行う請求項４から７のいずれかに記載の送風機。
【請求項９】
通気パイプ着脱手段を有し，前記通気パイプ着脱手段に１以上の通気パイプの開口部を着脱できる請求項４から８のいずれかに記載の送風機。
【請求項１０】
前記ハンドルの代わりに通気パイプ着脱手段を有し，前記通気パイプ着脱手段にハンドルを有する通気パイプを着脱できる請求項４から８のいずれかに記載の送風機。
【請求項１１】
請求項１から８のいずれかに記載の送風機を有する掃除機。
【請求項１２】
請求項１から８のいずれかに記載の送風機によって陰圧を発生させることを特徴とする掃除機。
【請求項１３】
請求項１から８のいずれかに記載の送風機を有する手持式機器。
【請求項１４】
請求項１から８のいずれかに記載の送風機を有するドライヤー。
【請求項１５】
請求項１から８のいずれかに記載の送風機を有する杖式機器。
【請求項１６】
前記掃除機がスティック型掃除機である請求項１１又は１２に記載の掃除機。
【発明の詳細な説明】
【技術分野】
【０００１】
本発明は，人体動作をアシストする掃除機，送風機，扇風機，手持式機器，ドライヤー，及び，杖式機器に関するものである。
【背景技術】
【０００２】
市場では，扇風機と掃除機は互いに独立した装置として提供されており，扇風機を搭載した掃除機は販売されていない。特に，扇風機において，掃除機の通気パイプに着けて該掃除機を使用しても，該掃除機を操作する手に負担がかからないように配慮された扇風機はない。
【０００３】
掃除機のゴミ吸引口の付近にモータを有してブラシ（以下，「パワーブラシ」とよぶ）を回転させるタイプの掃除機においては，通気パイプの中に該モータに電気を供給するための電気伝導体が存在している。近年において発売される掃除機のほとんどは，このタイプの掃除機であるが，この電気伝導体の電気を扇風機のモータに供給する掃除機は販売されてない。
【０００４】
物体の重心の決定方法としては，該物体を糸でつるした時に該物体の重心がその糸の延長線上に存在するという自然法則を利用して，該物体の複数の箇所に糸をつけてつるしたときの糸の延長線を記録し，それらの延長線の交差する点を決定することにより，該物体の重心の位置を決定することができる。
【０００５】
先行技術としては，掃除機本体に組み込んだブラシレスモータにおいて，ファンカバーとケースの重なる部分を内側に曲げて風ガイド部材とした扇風機があるが，この方法では通気パイプの外側に扇風機を着けることはできない（特開平７−２５５６４８）
【先行技術文献】
【特許文献】
【０００６】
【特許文献１】特開平７−２５５６４８号広報
【特許文献２】特開２０１２−２３５８６２号広報
【特許文献３】特開２０１２−１９６４６７号広報
【特許文献４】特開２０１６−１１２４２３号広報
【特許文献５】特開２０１１−１８９１３２号広報
【特許文献６】特開２０１６−１１２０７６号広報
【特許文献７】特開２０１５−２１３６３２号広報
【特許文献８】特開２０１２−０９０７６２号広報
【０００７】
なお，本発明の実施を希望する１以上の家電メーカと協力していくことができる。本発明の実施に関する連絡には電子メール（ｔｏｙｏｄａ．ｔｅｔｓｕｒｏ＠ｇｍａｉｌ．ｃｏｍ）を利用することができる。
【発明の概要】
【発明が解決しようとする課題】
【０００８】
夏場など気温の高い日に密閉された室内で掃除機を使用すると，該掃除機のモータから発生する熱が該掃除機から排出されるため，該室内の空気の温度が上昇する。さらに，掃除機をかける動作は体を多く動かす動作を伴うため，体温を上昇させ，大量の発汗を誘発し，熱中症などの危険性を増加させる。
【０００９】
請求項１に記載の発明で解決しようとする１番目の課題は，「掃除機をかけながら移動し続ける人体を恒常的に冷却する装置を提供すること」である。
【００１０】
請求項１に記載の発明で解決しようとする２番目の課題は，「知識のない人であっても，掃除機に正しく着けることができる専用の扇風機を提供すること」である。
【００１１】
請求項１に記載の発明で解決しようとする３番目の課題は，「着け外しを繰り返しても，毎回正しく，再現性をもって，確実かつ簡単に着けることができる扇風機を提供すること」である。
【００１２】
請求項１に記載の発明で解決しようとする４番目の課題は，「掃除機と扇風機の組み合わせにおいて，安全面でメーカが許容できる組み合わせのみに限定して着けることを可能とし，ユーザが誤って重心や電源容量の適合しない組み合わせを着けてしまう危険性を排除すること」である。
【００１３】
以上の４つの課題が，請求項１に記載の発明で解決しようとする課題である。
【００１４】
請求項２に記載の発明で解決しようとする１番目の課題は，「着け外しにかかる作業の負担が少ない扇風機を提供すること」である。
【００１５】
請求項２に記載の発明で解決しようとする２番目の課題は，「掃除機のハンドルの近くに無理なく装着できる扇風機を提供すること」である。
【００１６】
以上の２つの課題が，請求項２に記載の発明で解決しようとする課題である。
【００１７】
請求項３に記載の発明で解決しようとする課題は，「掃除機に扇風機を確実に着けて落下を防ぐことができ，かつ，外すときは簡単に外すことができる離脱防止機構を有する扇風機を提供すること」である。
【００１８】
請求項４に記載の発明で解決しようとする課題は，「電池がなくても使用できる扇風機を提供すること」である。
【００１９】
請求項５に記載の発明で解決しようとする課題は，「通気パイプに着けたときに，台座や支柱などの余計な付属部品がついていない軽い扇風機を提供すること」である。
【００２０】
請求項６に記載の発明で解決しようとする課題は，「床面等に自立させて安定的に使用できる据置型扇風機でありながら，掃除機に着けても手首に負担がかかりにくい扇風機を提供すること」である。
【００２１】
請求項７に記載の発明で解決しようとする課題は，「据置型扇風機を簡単な操作で掃除機に着け替えることができ，着け替え作業中に誤って扇風機を落下させることなく，かつ，扇風機のファンガードに触れることなく，掃除機のハンドルを握った状態で安全かつ確実に着け替えることができ，さらに，掃除機から扇風機を外して据置型扇風機に着け替え戻す作業においても同様の安全性を確保できる扇風機を提供すること」である。
【００２２】
請求項８に記載の発明で解決しようとする課題は，「掃除機の通気パイプに装着された扇風機の送風方向を，人体の様々な部位に向けて送風できる扇風機を提供すること」である。
【００２３】
請求項９に記載の発明で解決しようとする課題は，「掃除機に着ける扇風機において，掃除機の通気パイプをひねった際に，該扇風機が振り回されて壁などに激突する恐れが少ないコンパクトな扇風機を提供すること」である。
【００２４】
請求項１０に記載の発明で解決しようとする課題は，「掃除機に着ける扇風機において，安価な小型の扇風機を利用しつも，身体の広い範囲に向けて送風できる扇風機を提供すること」である。
【００２５】
請求項１１に記載の発明で解決しようとする課題は，「掃除機に着ける扇風機において，扇風機のメーカに対して，製造コストを下げることができる扇風機を提供すること」である，
【００２６】
請求項１２に記載の発明で解決しようとする課題は，「掃除機に着ける扇風機において，ユーザに対して，扇風機が搭載された掃除機として一括購入できる製品を提供すること」である。
【００２７】
請求項１３に記載の発明で解決しようとする課題は，「扇風機のユーザに対して，掃除機を買い替えたときの扇風機の購入コストを下げることができる扇風機を提供すること」である。
【００２８】
請求項１４に記載の発明で解決しようとする課題は，「扇風機のユーザに対して，扇風機が壊れたときの扇風機の購入コストを下げることができる扇風機を提供すること」である。
【００２９】
請求項１５に記載の発明で解決しようとする課題は，「据置型扇風機から支柱を外して掃除機に着け替える作業中に，該扇風機を直接手で支える動作が一切必要なく，該掃除機のハンドルを握った状態でも着け替えることができる方法を提供すること」である。
【００３０】
請求項１６に記載の発明で解決しようとする課題は，「扇風機の着け替え作業中に，誤って該扇風機を落下させることなく，安全かつ確実に着ける方法を提供すること」である。
【課題を解決するための手段】
【００３１】
本発明者は，市販の扇風機を掃除機に着ける研究を重ねた結果，扇風機を着ける最良の配置方法として，掃除機のハンドルの近くの通気パイプに扇風機を着けて人体に向けて送風させる配置方法が，掃除機をかけながら移動し続ける人体を恒常的に冷却するために効果的であることを見出した。
【００３２】
本発明者は，汎用の取付器具を用いて扇風機を掃除機に着ける実験を重ねた結果，掃除機の通常の操作において，掃除機のゴミ吸引口のある先端部分（以下，「ヘッド」という）の向きを変えるために掃除機の通気パイプのハンドルをひねる回転動作が多発するため，掃除中の激しい動きに，挟持手段等を用いたほとんどの取付器具は耐えきれず，実験では扇風機が繰り返し脱落した。
【００３３】
よって，汎用の取付器具を用いる方法では，既存の掃除機の通気パイプに扇風機を安定的に着けることは大変難しいという結論に至った。
【００３４】
さらに，本発明者は実施例７に示す実験を行うことによって，「汎用の扇風機を掃除機の通気パイプに着けて使用したときに，通気パイプに扇風機を着ける向きによっては，ヘッドを滑走させたときに該通気パイプがロール回転して，手首にかかるストレス（ＳＨＩＲストレス）が誘発される場合がある」という未発表の知見を得るに至った。
【００３５】
たとえ小型の軽い扇風機であっても，前記のＳＨＩＲストレスを手首に受け続けた状態で掃除機を操作した場合，腱鞘炎や母指ＣＭ関節症などのリスクを高める恐れがある。一般の人は上記の危険性を知らないで使うことが多いため，知識がない人が従来技術の扇風機をそのまま掃除機に着けて使用するのは大変危険であるという結論に至った。
【００３６】
以上の知見に基づいて，本発明者は鋭意研究を続けた結果，さらに，前記の複数の課題を見出し，そして，前記課題を解決するための手段を見出すに至った。以下に開示する発明は以上の研究に基づいて得られたものである。
【００３７】
本明細書において，「掃除機」は，「電動機により羽根車を駆動して掃除機内に陰圧を発生させ，その陰圧を利用して吸引したものを集める装置」である。
【００３８】
本明細書において，「扇風機」は，「電動機により羽根車を駆動して送風する装置」又は，「電力を利用して回転するモータにより羽根車を回して送風する装置」である。
【００３９】
本明細書に記載の発明にかかる扇風機の主たる用途は人体に向けて送風して体温調節に資することにあるため，該扇風機から送風される空気は衛生的であることが好ましい。
【００４０】
掃除機の排気流はゴミ吸引口から吸入された空気であり，フィルターに穴があいていたりするとゴミが漏れ出る恐れがあり，この排気流を人体に向けて送風することは衛生的ではない。
【００４１】
よって，上記の扇風機の定義に当てはまるものであっても，掃除機が稼働することにより陰圧になる掃除機内の空間に設置されたものは，本明細書に記載の発明にかかる扇風機には該当しない。掃除機内で陰圧を発生させるための羽根車は本明細書に記載の発明に係る扇風機の羽根車に該当しない。掃除機のゴミ吸引口から吸入された空気であって，かつ，掃除機から排出されていない空気を送風するための装置は，上記の扇風機の定義に当てはまるものであっても，本明細書に記載の発明にかかる扇風機には該当しない。
【００４２】
また，扇風機は掃除機に該当しない。
【００４３】
本明細書において，「装着」とは，２以上の部品を相互に「着いた状態」にすることをいう。
【００４４】
「形状適合部位」とは，前記２以上の部品において，前記「着いた状態」において相互に接触する部分である。
【００４５】
「装着手段」は，前記形状適合部位を有する部品であって，装着できる部品である。
【００４６】
「装着部位」は，装着できる前記形状適合部位であって，着いた状態にある前記形状適合部位である。
【００４７】
「離脱」とは，前記装着された状態にある部品を「離れた状態」にすることをいう。
【００４８】
「離脱手段」は，前記形状適合部位を有する部品であって，離脱できる部品である。
【００４９】
「離脱部位」は，装着できる前記形状適合部位であって，離れた状態にある前記形状適合部位である。
【００５０】
「着脱できる」とは，装着と離脱の両方ができることをいう。
【００５１】
「着脱手段」は，前記装着手段かつ前記離脱手段である部品である。
【００５２】
「着脱部位」は，着脱できる前記形状適合部位であって，着いた状態又は離れた状態のいずれかの状態にある前記形状適合部位である。
【００５３】
前記「装着手段」であって，「形状適合部位の一方を他方に差込むことで装着できる装着手段」を利用することができる（以下，「差込による装着手段」とよぶ）。
【００５４】
前記「離脱手段」であって，「形状適合部位の一方を他方から引抜くことで離脱できる離脱手段」を利用することができる（以下，「引抜による離脱手段」とよぶ）。
【００５５】
前記「差込による装着手段」であって，前記「引抜による離脱手段」である着脱手段を利用することができる（以下，「差込による着脱手段」とよぶ）。
【００５６】
前記「装着手段」であって，「形状適合部位の一方をねじりながら他方に差込むことで装着できる装着手段」を利用することができる（以下，「ねじる装着手段」とよぶ）。
【００５７】
前記「離脱手段」であって，「形状適合部位の一方をねじりながら他方から引抜くことで離脱できる離脱手段」を利用することができる（以下，「ねじる離脱手段」とよぶ）。
【００５８】
前記「ねじる装着手段」であって，前記「ねじる離脱手段」である着脱手段を利用することができる（以下，「ねじる着脱手段」とよぶ）。
【００５９】
前記「差込による装着手段」であって，前記「ねじる装着手段」ではない装着手段を利用することができる（以下，「ねじらない装着手段」とよぶ）。
【００６０】
前記「引抜による離脱手段」であって，前記「ねじる離脱手段」ではない離脱手段を利用することができる（以下，「ねじらない離脱手段」とよぶ）。
【００６１】
前記「ねじらない装着手段」であって，前記「ねじらない離脱手段」である着脱手段を利用することができる（以下，「ねじらない着脱手段」とよぶ）。
【００６２】
前記のいずれかの「着脱手段」であって，「装着によって，一方の部品が他方の部品から支持される状態になる着脱手段」を利用することができる（以下，「装着によって支持される着脱手段」とよぶ）。本明細書に記載の発明に用いる着脱手段は，前記「装着によって支持される着脱手段」であって，装着した状態で掃除機を使用して動かしても意図しない離脱をしない着脱手段である。
【００６３】
本明細書において，「通気パイプ」とは，「掃除機が有する部品に着脱できる部品であって，空気が通過できる穴を有する部品」又は，「掃除機が有する部品に着脱できる部品であって，筒状体を有する部品」又は，「掃除機稼働時に陰圧の空気が存在する空間を大気圧の空気が存在する空間から仕切る筒状の壁を有した部品」をいう。ただし，本明細書において，前記通気パイプが有する「空気が通過できる穴」および「筒状体」は直径５ミリメートルの球が侵入できる大きさ以上の大きさであるものとする。
【００６４】
請求項１に記載の発明にあたっては，「通気パイプ着脱手段を有する扇風機であって，前記通気パイプ着脱手段に１以上の通気パイプの開口部を着脱できることを特徴とする扇風機」である。
【００６５】
請求項１に記載の発明に係る扇風機が有する通気パイプ着脱手段を，「１以上の通気パイプの開口部を着脱できる通気パイプ着脱手段」とよぶ。
【００６６】
請求項１に記載の発明に係る別の扇風機が有する「１以上の通気パイプの開口部を着脱できる通気パイプ着脱手段」は，「前記扇風機が有する部品であって，１以上の通気パイプの開口部を着脱できる部品」である。
【００６７】
請求項１に記載の発明に係る別の扇風機が有する「１以上の通気パイプの開口部を着脱できる通気パイプ着脱手段」は，前記のいずれかの扇風機が有する「１以上の通気パイプの開口部を着脱できる通気パイプ着脱手段」であって，前記「差込による着脱手段」である。
【００６８】
請求項１に記載の発明に係る別の扇風機が有する「１以上の通気パイプの開口部を着脱できる通気パイプ着脱手段」は，前記のいずれかの扇風機が有する「１以上の通気パイプの開口部を着脱できる通気パイプ着脱手段」であって，前記「ねじらない着脱手段」である。
【００６９】
請求項１に記載の発明に係る別の扇風機が有する「１以上の通気パイプの開口部を着脱できる通気パイプ着脱手段」は，前記のいずれかの扇風機が有する「１以上の通気パイプの開口部を着脱できる通気パイプ着脱手段」であって，前記「装着によって支持される着脱手段」である。
【００７０】
請求項１に記載の発明に係る別の扇風機が有する「１以上の通気パイプの開口部を着脱できる通気パイプ着脱手段」は，前記のいずれかの扇風機が有する「１以上の通気パイプの開口部を着脱できる通気パイプ着脱手段」であって，「前記開口部を空気の漏れ出る隙間なく装着できる通気パイプ着脱手段」である。
【００７１】
請求項１に記載の発明に係る別の扇風機が有する「１以上の通気パイプの開口部を着脱できる通気パイプ着脱手段」は，前記のいずれかの扇風機が有する「１以上の通気パイプの開口部を着脱できる通気パイプ着脱手段」であって，「ふたつの通気パイプの間の着脱部位を着脱できる通気パイプ着脱手段」である。これにより，前記通気パイプ着脱手段と通気パイプの間の着脱部位の利用可能な形態は，公知の「ふたつの通気パイプの間の着脱部位」のあらゆる形態である。
【００７２】
前記「ふたつの通気パイプの間の着脱部位」の別の利用可能な形態は，公知の「掃除機が有するふたつの通気パイプの間の着脱部位」のあらゆる形態である。
【００７３】
前記「ふたつの通気パイプの間の着脱部位」の形態の例は，ふたつの通気パイプにおいて，ひとつの通気パイプの開口部の幅を狭くしてこれをオス開口部とし，もうひとつの通気パイプの開口部の幅を広くしてこれをメス開口部とし，該ひとつの通気パイプのオス開口部を該もうひとつの通気パイプのメス開口部に差込んだときに空気の漏れ出る隙間なく装着できるように形状適合した部位を双方に設けることで，該開口部を前記「ふたつの通気パイプの間の着脱部位」とすることができる（以下，「オス開口部とメス開口部における差込による着脱手段」ともよぶ）。ただし，前記ふたつの通気パイプの間の着脱部位の利用可能な形態は該例に限定されない。
【００７４】
請求項１に記載の発明に係る別の扇風機が有する「１以上の通気パイプの開口部を着脱できる通気パイプ着脱手段」は，前記のいずれかの扇風機が有する「１以上の通気パイプの開口部を着脱できる通気パイプ着脱手段」であって，「１以上の通気パイプのオス開口部又はメス開口部を着脱できる通気パイプ着脱手段」，「１以上の通気パイプのオス開口部およびメス開口部を着脱できる通気パイプ着脱手段」，「１以上の通気パイプのオス開口部を着脱できる通気パイプ着脱手段」，「１以上の通気パイプのメス開口部を着脱できる通気パイプ着脱手段」のいずれかである。
【００７５】
請求項１に記載の発明に係る別の扇風機が有する「１以上の通気パイプの開口部を着脱できる通気パイプ着脱手段」は，前記のいずれかの扇風機が有する「１以上の通気パイプの開口部を着脱できる通気パイプ着脱手段」であって，「筒状体を有することを特徴とする通気パイプ着脱手段」，「筒状体を有し，該筒状体の開口部を着脱部位とする通気パイプ着脱手段」，「筒状体を有し，該筒状体の開口部に通気パイプの開口部を着脱できる通気パイプ着脱手段」のいずれかである。
【００７６】
請求項１に記載の発明に係る別の扇風機が有する「１以上の通気パイプの開口部を着脱できる通気パイプ着脱手段」は，前記のいずれかの扇風機が有する「１以上の通気パイプの開口部を着脱できる通気パイプ着脱手段」であって，「通気パイプを有することを特徴とする通気パイプ着脱手段」，「通気パイプを有し，該通気パイプの開口部を着脱部位とする通気パイプ着脱手段」，「通気パイプを有し，該通気パイプの開口部に通気パイプの開口部を着脱できる通気パイプ着脱手段」のいずれかである。
【００７７】
請求項１に記載の発明に係る別の扇風機が有する「１以上の通気パイプの開口部を着脱できる通気パイプ着脱手段」は，前記のいずれかの扇風機が有する「１以上の通気パイプの開口部を着脱できる通気パイプ着脱手段」であって，「掃除機稼働時に陰圧の空気が存在する空間を大気圧の空気が存在する空間から仕切る筒状の壁を有することを特徴とする通気パイプ着脱手段」である。
【００７８】
請求項１に記載の発明に係る別の扇風機は，請求項１に記載の扇風機であって，前記のいずれかの扇風機であって，「前記扇風機の重心が前記扇風機に装着された通気パイプの軸近傍空間又は前記通気パイプ着脱手段の軸近傍空間に位置することを特徴とする扇風機」である。
【００７９】
「軸近傍空間」は，本明細書に記載の発明に係る扇風機を掃除機の通気パイプに装着して掃除機を稼働させた時に陰圧の空気が存在する空間からの距離が５センチメートル以下の空間である。また，前記軸近傍空間において，前記距離が４センチメートル以下の空間を軸近傍空間とすることで，前記重心が前記通気パイプの中心軸により近づき，より手首に負担がかかりにくい効果を得ることができる。さらに，前記軸近傍空間において，前記距離が３センチメートル以下の空間を軸近傍空間とすることで，前記重心が前記通気パイプの中心軸にさらに近づき，さらに手首に負担がかかりにくい効果を得ることができる。さらに，前記距離を２センチメートル以下，１センチメートル以下，０センチメートル以下と，より狭くしていくことで，より負担が軽減されて安全性が高まる効果を得ることができる。なお，「本明細書に記載の発明に係る扇風機の重心」は，該扇風機に通気パイプおよび支柱を一切装着しない状態で決定した重心である。
【００８０】
請求項２に記載の発明にあたっては，「前記通気パイプ着脱手段に２以上の通気パイプを着脱できることを特徴とする請求項１に記載の扇風機」である。請求項２に記載の発明に係る扇風機が有する通気パイプ着脱手段を，「２以上の通気パイプを着脱できる通気パイプ着脱手段」とよぶ。
【００８１】
請求項２に記載の「請求項１に記載の扇風機」として利用できる別の扇風機は，請求項１に記載の扇風機であって，前記のいずれかの扇風機である。
【００８２】
請求項２に記載の発明に係る別の扇風機が有する「２以上の通気パイプを着脱できる通気パイプ着脱手段」は，前記のいずれかの扇風機が有する「２以上の通気パイプを着脱できる通気パイプ着脱手段」であって，前記のいずれかの扇風機が有する通気パイプ着脱手段である。
【００８３】
請求項２に記載の発明に係る別の扇風機が有する「２以上の通気パイプを着脱できる通気パイプ着脱手段」は，前記のいずれかの扇風機が有する「２以上の通気パイプを着脱できる通気パイプ着脱手段」であって，「掃除機が有する２つの通気パイプの間に挿入できる通気パイプ着脱手段」である。
【００８４】
請求項２に記載の発明に係る別の扇風機が有する「２以上の通気パイプを着脱できる通気パイプ着脱手段」は，前記のいずれかの扇風機が有する「２以上の通気パイプを着脱できる通気パイプ着脱手段」であって，「２つの開口部を有する筒状体を有する前記通気パイプ着脱手段であり，該２つの開口部のそれぞれに通気パイプを装着できる通気パイプ着脱手段」である。
【００８５】
請求項２に記載の発明に係る別の扇風機が有する「２以上の通気パイプを着脱できる通気パイプ着脱手段」は，前記のいずれかの扇風機が有する「２以上の通気パイプを着脱できる通気パイプ着脱手段」であって，「装着された２つの通気パイプが直線状に配置されることを特徴とする通気パイプ着脱手段」である。
【００８６】
請求項２に記載の発明に係る別の扇風機が有する「２以上の通気パイプを着脱できる通気パイプ着脱手段」は，前記のいずれかの扇風機が有する「２以上の通気パイプを着脱できる通気パイプ着脱手段」であって，「２つの開口部を有する筒状体を有する通気パイプ着脱手段であって，相互に着脱できる２つの通気パイプの一方を該２つの開口部の一方に装着でき，かつ，該相互に着脱できる２つの通気パイプの他方を該２つの開口部の他方に装着できる通気パイプ装着手段」である。
【００８７】
請求項２に記載の発明に係る別の扇風機が有する「２以上の通気パイプを着脱できる通気パイプ着脱手段」は，前記のいずれかの扇風機が有する「２以上の通気パイプを着脱できる通気パイプ着脱手段」であって，「２つの開口部を有する筒状体を有する前記通気パイプ着脱手段であり，該２つの開口部の間の距離が３０センチメートル以下である通気パイプ着脱手段」である。
【００８８】
請求項２に記載の発明に係る別の扇風機が有する「２以上の通気パイプを着脱できる通気パイプ着脱手段」は，前記のいずれかの「２以上の通気パイプを着脱できる通気パイプ着脱手段」であって，「掃除機稼働時に通気パイプの一部として使用できることを特徴とする通気パイプ着脱手段」である。
【００８９】
請求項３に記載の発明にあたっては，「前記通気パイプ着脱手段に離脱防止機構を有する請求項１又は２に記載の扇風機」である。請求項３に記載の発明に係る扇風機が有する通気パイプ着脱手段を，「離脱防止機構を有する通気パイプ着脱手段」とよぶ。
【００９０】
請求項３に記載の「請求項１又は２に記載の扇風機」として利用できる別の扇風機は，請求項１又は２に記載の扇風機であって，前記のいずれかの扇風機である。
【００９１】
請求項３に記載の発明に係る別の扇風機が有する「離脱防止機構を有する通気パイプ着脱手段」は，前記のいずれかの扇風機が有する「離脱防止機構を有する通気パイプ着脱手段」であって，前記のいずれかの扇風機が有する通気パイプ着脱手段である。
【００９２】
「離脱防止機構」とは，離脱を防止する特徴を有する可動部品を利用した機構である。
【００９３】
請求項３に記載の発明に係る「離脱防止機構を有する通気パイプ着脱手段」が有する離脱防止機構としては，掃除機が有するふたつの通気パイプの間の着脱部位において利用できる公知の離脱防止機構のあらゆる形態を利用することができる。
【００９４】
例として，前記の「オス開口部とメス開口部における差込による着脱手段」において，一方に凸部分を設け，他方に凹部分を設け，完全に差込まれた状態下で一方の凸部分が他方の凹部分に嵌合することで抜けにくくした着脱手段は，離脱を防止する特徴を有する。ここで，指圧で前記凸部分又は凹部分を動かせる可動部品を用いて離脱を防止し，また，指圧で該可動部品を動かすことで離脱の防止の解除又は，離脱の容易化を可能にしたものは，請求項３に記載の発明に係る離脱防止機構の手段の一つである。ただし，請求項３に記載の発明に係る離脱防止機構の利用可能な手段は該例に限定されない。
【００９５】
形態の例としては，前記の「オス開口部とメス開口部における差込による着脱手段」において，オス開口部又はメス開口部の付近に凸部分としての「ツメ」を設け，さらに，前記通気パイプのオス開口部又はメス開口部の付近に該ツメが引っかかる凹部分としての「くぼみ」を設け，通気パイプのオス開口部を別の通気パイプのメス開口部に差込んだ時に該ツメが該くぼみに引っかかるようにして抜けないようにした着脱手段も離脱を防止する特徴を有する。ここで，該着脱手段において，該通気パイプに指圧で動く「ボタン」を設け，該ボタンを指で押すと前記ツメ又は前記くぼみが引っ込む仕組みを施すことで，該ボタンを押しながら装着部位を両手で引っ張ると簡単に引抜くことができる機構も請求項３に記載の発明に係る離脱防止機構の可能な形態の一つである。また，離脱防止機構をさらに強固にする目的で，可動部品であるネジを前記凸部分として用いる機構も請求項３に記載の発明に係る離脱防止機構の利用可能な形態の一つである。ただし，請求項３に記載の発明に係る離脱防止機構の利用可能な形態は前記の形態に限定されない。
【００９６】
また，掃除機のゴミ吸引口の付近にモータを有してブラシを回転させるタイプの掃除機においては，通気パイプの中に該モータに電気を供給するための電気伝導体が存在している。
【００９７】
請求項４に記載の発明にあたっては，「前記通気パイプが有する電極と接触可能な電極を前記通気パイプ着脱手段に有することを特徴とする請求項１から３のいずれかに記載の扇風機」である。請求項４に記載の発明に係る扇風機が有する通気パイプ着脱手段を，「通気パイプが有する電極と接触可能な電極を有する通気パイプ着脱手段」とよぶ。
【００９８】
請求項４に記載の「請求項１から３のいずれかに記載の扇風機」として利用できる別の扇風機は，請求項１から３のいずれかに記載の扇風機であって，前記のいずれかの扇風機である。
請求項４に記載の発明に係る別の扇風機が有する「通気パイプが有する電極と接触可能な電極を有する通気パイプ着脱手段」は，前記のいずれかの扇風機が有する「通気パイプが有する電極と接触可能な電極を有する通気パイプ着脱手段」であって，前記のいずれかの扇風機が有する「通気パイプ着脱手段」である。
【００９９】
請求項４に記載の発明に係る別の扇風機が有する「通気パイプが有する電極と接触可能な電極を有する通気パイプ着脱手段」は，前記のいずれかの扇風機が有する「通気パイプが有する電極と接触可能な電極を有する通気パイプ着脱手段」であって，「２以上の通気パイプが有する電極を接続する電気伝導体を有する通気パイプ着脱手段」である。
【０１００】
請求項４の発明に係る別の扇風機は，請求項４に記載の扇風機であって，前記のいずれかの扇風機であって，「前記通気パイプが有する電気伝導体を経由して供給される電気を利用して送風することを特徴とする扇風機」である。
【０１０１】
請求項５に記載の発明にあたっては，「羽根車と，前記羽根車を駆動する電動機と，前記電動機を支持する枠と，前記枠を支持又は着脱手段とする前記通気パイプ着脱手段を有する請求項１から４のいずれかに記載の扇風機」である。
【０１０２】
前記「枠」は，前記電動機が前記枠からこぼれおちないように支持できる枠であれば，形状はどのようなものを用いてもよく，１以上の部品からなる枠であってもよく，該枠内に０以上の可動部を有する枠であってもよく，該枠内に１以上の可動部を有する枠であってもよく，該枠内に可動部を有しない枠であってもよい。
【０１０３】
前記「前記枠を支持又は着脱手段とする前記通気パイプ着脱手段」は，「前記枠を支持する前記通気パイプ着脱手段」又は「前記枠を着脱手段とする前記通気パイプ着脱手段」である。「前記枠を支持する前記通気パイプ着脱手段」とは，「前記通気パイプ着脱手段が前記枠を支持している」ということである。「前記枠を着脱手段とする前記通気パイプ着脱手段」とは，「前記枠そのものが，枠であって，かつ，前記通気パイプ着脱手段でもある」ということである。
【０１０４】
請求項５に記載の「請求項１から４のいずれかに記載の扇風機」として利用できる別の扇風機は，請求項１から４のいずれかに記載の扇風機であって，前記のいずれかの扇風機である。
【０１０５】
請求項５に記載の発明に係る別の扇風機は，請求項５に記載の扇風機であって，前記のいずれかの扇風機であって，「前記通気パイプ着脱手段と前記枠の間に着脱部位を有さない扇風機」である。
請求項５に記載の発明に係る別の扇風機は，請求項５に記載の扇風機であって，前記のいずれかの扇風機であって，「前記通気パイプ着脱手段と前記枠の間に挟持部位を有さない扇風機」である。
【０１０６】
請求項５に記載の「請求項１から４のいずれかに記載の扇風機」が有する通気パイプ着脱手段として利用できる別の通気パイプ着脱手段は，請求項１から４のいずれかに記載の扇風機が有する通気パイプ着脱手段であって，前記のいずれかの扇風機が有する通気パイプ着脱手段である。
【０１０７】
請求項５に記載の発明に係る別の扇風機は，前記のいずれかに記載の扇風機であって，「前記枠を支持又は着脱手段とする支柱着脱手段を有し，台座によって立設された支柱を前記支柱着脱手段に着脱できることを特徴とする請求項５に記載の扇風機」である。
【０１０８】
請求項５に記載の発明に係る別の扇風機は，前記のいずれかに記載の扇風機であって，「前記枠を支持又は着脱手段とする支柱着脱手段を有し，挟持手段を備えた支柱を前記支柱着脱手段に着脱できることを特徴とする請求項５に記載の扇風機」である。
【０１０９】
請求項６に記載の発明にあたっては，「前記枠を支持又は着脱手段とする支柱着脱手段と，台座によって立設された支柱を有し，前記支柱着脱手段に前記支柱を着脱できることを特徴とする請求項５に記載の扇風機」である。
【０１１０】
前記「前記枠を支持又は着脱手段とする支柱着脱手段」は，「前記枠を支持する支柱着脱手段」又は「前記枠を着脱手段とする支柱着脱手段」である。「前記枠を支持する前記支柱着脱手段」とは，「前記支柱着脱手段が前記枠を支持している」ということである。「前記枠を着脱手段とする支柱着脱手段」とは，「前記枠そのものが，枠であって，かつ，支柱着脱手段でもある」ということである。
【０１１１】
請求項６に記載の発明に係る別の扇風機が有する「支柱着脱手段」は，前記のいずれかの扇風機が有する支柱着脱手段であって，「台座によって立設された支柱を着脱できる着脱手段を有する部品」である。
【０１１２】
請求項６に記載の「請求項５に記載の扇風機」として利用できる別の扇風機は，請求項５に記載の扇風機であって，前記のいずれかの扇風機である。
【０１１３】
請求項６に記載の「請求項５に記載の扇風機」が有する通気パイプ着脱手段として利用できる別の通気パイプ着脱手段は，請求項５に記載の扇風機が有する通気パイプ着脱手段であって，前記のいずれかの扇風機が有する通気パイプ着脱手段である。
【０１１４】
請求項７に記載の発明にあたっては，「前記支柱を装着した状態で前記通気パイプを着脱でき，かつ，前記通気パイプを装着した状態で前記支柱を着脱できることを特徴とする請求項６に記載の扇風機」である。
【０１１５】
請求項７に記載の「請求項６に記載の扇風機」として利用できる別の扇風機は，請求項６に記載の扇風機であって，前記のいずれかの扇風機である。
【０１１６】
請求項７に記載の「請求項６に記載の扇風機」が有する通気パイプ着脱手段として利用できる別の通気パイプ着脱手段は，請求項６に記載の扇風機が有する通気パイプ着脱手段であって，前記のいずれかの扇風機が有する通気パイプ着脱手段である。
【０１１７】
請求項７に記載の「請求項６に記載の扇風機」が有する支柱着脱手段として利用できる別の支柱着脱手段は，請求項６に記載の扇風機が有する支柱着脱手段であって，前記のいずれかの扇風機が有する支柱着脱手段である。
【０１１８】
請求項８に記載の発明にあたっては，「前記枠，前記枠と前記電動機の間，前記枠と前記通気パイプ着脱手段の間，前記通気パイプ着脱手段，のいずれかにおいて可動部を有する請求項５から７のいずれかに記載の扇風機」である。
【０１１９】
請求項８に記載の「請求項５から７のいずれかに記載の扇風機」として利用できる別の扇風機は，請求項５から７のいずれかに記載の扇風機であって，前記のいずれかの扇風機である。
【０１２０】
請求項８に記載の「請求項５から７のいずれかに記載の扇風機」が有する通気パイプ着脱手段として利用できる別の通気パイプ着脱手段は，請求項５から７のいずれかに記載の扇風機が有する通気パイプ着脱手段であって，前記のいずれかの扇風機が有する通気パイプ着脱手段である。
【０１２１】
請求項８に記載の「請求項５から７のいずれかに記載の扇風機」が有する支柱着脱手段として利用できる別の支柱着脱手段は，請求項６から７のいずれかに記載の扇風機が有する支柱着脱手段であって，前記のいずれかの扇風機が有する支柱着脱手段である。
【０１２２】
請求項８に記載の発明に係る別の扇風機が有する「可動部」は，請求項８に記載の可動部であって，「前記可動部に回転軸又は軸受を有する可動部」である。
【０１２３】
請求項９に記載の発明にあたっては，「前記羽根車又は前記電動機に中空部を有し，前記中空部に前記通気パイプ又は前記通気パイプ着脱手段を通過させた状態で前記羽根車を駆動できることを特徴とする請求項５から８のいずれかに記載の扇風機」である。
【０１２４】
請求項９に記載の「請求項５から８のいずれかに記載の扇風機」として利用できる別の扇風機は，請求項５から８のいずれかに記載の扇風機であって，前記のいずれかの扇風機である。
【０１２５】
請求項９に記載の「請求項５から８のいずれかに記載の扇風機」が有する通気パイプ着脱手段として利用できる別の通気パイプ着脱手段は，請求項５から８のいずれかに記載の扇風機が有する通気パイプ着脱手段であって，前記のいずれかの扇風機が有する通気パイプ着脱手段である。
【０１２６】
請求項９に記載の「請求項５から８のいずれかに記載の扇風機」が有する支柱着脱手段として利用できる別の支柱着脱手段は，請求項６から８のいずれかに記載の扇風機が有する支柱着脱手段であって，前記のいずれかの扇風機が有する支柱着脱手段である。
【０１２７】
請求項９に記載の「請求項５から８のいずれかに記載の扇風機」が有する可動部として利用できる別の可動部は，請求項８に記載の扇風機が有する可動部であって，前記のいずれかの扇風機が有する可動部である。
【０１２８】
請求項１０に記載の発明にあたっては，「前記枠が支持する電動機が２以上であることを特徴とする請求項５から８のいずれかに記載の扇風機」である。
【０１２９】
請求項１０に記載の「請求項５から８のいずれかに記載の扇風機」として利用できる別の扇風機は，請求項５から８のいずれかに記載の扇風機であって，前記のいずれかの扇風機である。
【０１３０】
請求項１０に記載の「請求項５から８のいずれかに記載の扇風機」が有する通気パイプ着脱手段として利用できる別の通気パイプ着脱手段は，請求項５から８のいずれかに記載の扇風機が有する通気パイプ着脱手段であって，前記のいずれかの扇風機が有する通気パイプ着脱手段である。
【０１３１】
請求項１０に記載の「請求項５から８のいずれかに記載の扇風機」が有する支柱着脱手段として利用できる別の支柱着脱手段は，請求項６から８のいずれかに記載の扇風機が有する支柱着脱手段であって，前記のいずれかの扇風機が有する支柱着脱手段である。
【０１３２】
請求項１０に記載の「請求項５から８のいずれかに記載の扇風機」が有する可動部として利用できる別の可動部は，請求項８に記載の扇風機が有する可動部であって，前記のいずれかの扇風機が有する可動部である。
【０１３３】
請求項１１に記載の発明にあたっては，「前記通気パイプ着脱手段と前記枠の間にさらに着脱部位を有し，前記通気パイプ着脱手段と前記枠を相互に着脱できることを特徴とする請求項５から１０のいずれかに記載の扇風機」である。
【０１３４】
請求項１１に記載の発明に係る別の扇風機は，請求項１１に記載の扇風機であって，「前記枠と前記通気パイプ着脱手段の間の前記着脱部位において標準規格の端子を用いる扇風機」，「前記枠と前記通気パイプ着脱手段の間の前記着脱部位においてユニバーサルシリアルバス規格の端子を用いる扇風機」，「前記枠と前記通気パイプ着脱手段の間の前記着脱部位において標準規格ではない端子を用いる扇風機」のいずれかを利用することができる。
【０１３５】
請求項１１に記載の発明に係る別の扇風機は，請求項１１に記載の扇風機であって，前記のいずれかの扇風機であって，「前記通気パイプ着脱手段を離脱した前記枠には通気パイプの開口部を直接着脱できない扇風機」である。
【０１３６】
請求項１１に記載の「請求項５から１０のいずれかに記載の扇風機」として利用できる別の扇風機は，請求項５から１０のいずれかに記載の扇風機であって，前記のいずれかの扇風機である。
【０１３７】
請求項１１に記載の「請求項５から１０のいずれかに記載の扇風機」が有する通気パイプ着脱手段として利用できる別の通気パイプ着脱手段は，請求項５から１０のいずれかに記載の扇風機が有する通気パイプ着脱手段であって，前記のいずれかの扇風機が有する通気パイプ着脱手段である。
【０１３８】
請求項１１に記載の「請求項５から１０のいずれかに記載の扇風機」が有する支柱着脱手段として利用できる別の支柱着脱手段は，請求項６から１０のいずれかに記載の扇風機が有する支柱着脱手段であって，前記のいずれかの扇風機が有する支柱着脱手段である。
【０１３９】
請求項１１に記載の「請求項５から１０のいずれかに記載の扇風機」が有する可動部として利用できる別の可動部は，請求項８から１０のいずれかに記載の扇風機が有する可動部であって，前記のいずれかの扇風機が有する可動部である。
【０１４０】
請求項１２に記載の発明にあたっては，「請求項１から１１のいずれかに記載の扇風機を有する掃除機」である。
【０１４１】
請求項１２に記載の「請求項１から１１のいずれかに記載の扇風機」として利用できる別の扇風機は，請求項１から１１のいずれかに記載の扇風機であって，前記のいずれかの扇風機である。
【０１４２】
請求項１２に記載の「請求項１から１１のいずれかに記載の扇風機」が有する通気パイプ着脱手段として利用できる別の通気パイプ着脱手段は，請求項１から１１のいずれかに記載の扇風機が有する通気パイプ着脱手段であって，前記のいずれかの扇風機が有する通気パイプ着脱手段である。
【０１４３】
請求項１２に記載の「請求項１から１１のいずれかに記載の扇風機」が有する支柱着脱手段として利用できる別の支柱着脱手段は，請求項６から１１のいずれかに記載の扇風機が有する支柱着脱手段であって，前記のいずれかの扇風機が有する支柱着脱手段である。
【０１４４】
請求項１２に記載の「請求項１から１１のいずれかに記載の扇風機」が有する可動部として利用できる別の可動部は，請求項８から１１のいずれかに記載の扇風機が有する可動部であって，前記のいずれかの扇風機が有する可動部である。
【０１４５】
請求項１３に記載の発明にあたっては，「請求項１１に記載の扇風機が有する前記枠と前記通気パイプ着脱手段の間の前記着脱部位において前記枠に着脱できる通気パイプ着脱手段」である。ただし，請求項１３に記載の発明に係る通気パイプ着脱手段は，離脱時には前記枠を支持していなくてもよい。
【０１４６】
請求項１３に記載の発明に係る別の通気パイプ着脱手段は，「請求項１１に記載の扇風機が有する前記通気パイプ着脱手段」，「請求項１１に記載の扇風機が有する前記枠と前記通気パイプ着脱手段の間の前記着脱部位において標準規格の端子を用いて前記枠に着脱できる通気パイプ着脱手段」，「請求項１１に記載の扇風機が有する前記枠と前記通気パイプ着脱手段の間の前記着脱部位においてユニバーサルシリアルバス規格の端子を用いて記枠に着脱できる通気パイプ着脱手段」，「請求項１１に記載の扇風機が有する前記枠と前記通気パイプ着脱手段の間の前記着脱部位において標準規格ではない端子を用いて前記枠に着脱できる通気パイプ着脱手段」のいずれかである。
【０１４７】
請求項１３に記載の「請求項１１に記載の扇風機」として利用できる別の扇風機は，請求項１１に記載の扇風機であって，前記のいずれかの扇風機である。
【０１４８】
請求項１３に記載の発明に係る通気パイプ着脱手段として利用できる別の通気パイプ着脱手段は，請求項１１に記載の扇風機が有する前記枠と前記通気パイプ着脱手段の間の前記着脱部位において前記枠に着脱できる通気パイプ着脱手段であって，前記のいずれかの扇風機が有する通気パイプ着脱手段である。
【０１４９】
請求項１４に記載の発明にあたっては，「請求項１１に記載の扇風機が有する前記枠と前記通気パイプ着脱手段の間の前記着脱部位において前記通気パイプ着脱手段に着脱できる扇風機」である。
【０１５０】
請求項１４に記載の発明に係る別の扇風機は，「請求項１１に記載の扇風機が有する前記枠と前記電動機と前記羽根車からなる扇風機」，「請求項１１に記載の扇風機が有する前記枠と前記通気パイプ着脱手段の間の前記着脱部位において標準規格の端子を用いて前記通気パイプ着脱手段に着脱できる扇風機」，「請求項１１に記載の扇風機が有する前記枠と前記通気パイプ着脱手段の間の前記着脱部位においてユニバーサルシリアルバス規格の端子を用いて前記通気パイプ着脱手段に着脱できる扇風機」，「請求項１１に記載の扇風機が有する前記枠と前記通気パイプ着脱手段の間の前記着脱部位において標準規格ではない端子を用いて前記通気パイプ着脱手段に着脱できる扇風機」のいずれかである。
【０１５１】
請求項１４に記載の「請求項１１に記載の扇風機」として利用できる別の扇風機は，請求項１１に記載の扇風機であって，前記のいずれかの扇風機である。
【０１５２】
請求項１４に記載の発明に係る通気パイプ着脱手段として利用できる別の通気パイプ着脱手段は，請求項１１に記載の扇風機が有する前記枠と前記通気パイプ着脱手段の間の前記着脱部位において前記枠に着脱できる通気パイプ着脱手段であって，前記のいずれかの扇風機が有する通気パイプ着脱手段である。
【発明の効果】
【０１５３】
請求項１に記載の発明によれば，「通気パイプ着脱手段を有する扇風機であって，前記通気パイプ着脱手段に１以上の通気パイプの開口部を着脱できることを特徴とする扇風機」が提供される。これにより，掃除機に装着された通気パイプを該通気パイプ着脱手段に装着することによって，「該扇風機を該掃除機の通気パイプにしっかりと装着して利用できる効果」を得ることができる。
【０１５４】
（しっかり装着できる効果）
請求項１に記載の発明の特筆すべき効果は，「扇風機を着けることを想定せずにすでに販売されている掃除機であっても扇風機をしっかりと装着できる効果」である。掃除機の通気パイプの開口部は他の通気パイプが装着されることを想定した形状適合部位を有しているが，扇風機が装着されることは本来は想定されていない。これに対し，請求項１に記載の発明は，該開口部の該形状適合部位を扇風機の装着に利用することで，「通気パイプどうしの装着と同じレベルの確実性でしっかりと扇風機を掃除機の通気パイプに装着できる効果」を得ることができる。
【０１５５】
よって，「掃除機をかけながら移動し続ける人体を恒常的に冷却する装置を提供する」という課題をしっかりと解決することができる。
【０１５６】
これに対し，もし，通気パイプの開口部の着脱部位を利用しないで，汎用の取付器具を使って扇風機を掃除機に着けた場合には，前記の効果を得ることができない。すでに販売されている掃除機の通気パイプは扇風機を着けることなど全く想定されていない。ほとんどの掃除機の通気パイプの表面はひっかかりの少ない滑らかな形状をしてるため，つるつる滑る。実際，本発明者は，汎用の取付器具を用いて扇風機を掃除機に取りけることを試みたが，掃除中の激しい動きに，ほとんどの取付器具は耐えきれず，扇風機の脱落を繰り返した。汎用の取付器具を用いる手段は，掃除機の通気パイプに扇風機をしっかりと着けることが難しく，請求項１に記載の発明と比較して遥かに不安定であり，前記の課題を解決することができない。
【０１５７】
（向きを正しく装着できる効果）
本明細書において，「扇風機を通気パイプに着ける向き」及び「通気パイプの向き」は，ロール回転角（図５のロール回転軸１４０における角度）の向きである。
【０１５８】
実施例７に記載の実験によれば，「重心が通気パイプの中心軸付近に位置しない扇風機を着けるときは，該扇風機と該通気パイプの向きを正しく着ける必要がある」という知見が得られている。
【０１５９】
しかし，前記「向きを正しく着ける必要がある」という注意書きを取扱説明書に記載したとしても，掃除機や扇風機を購入するユーザのほとんどは，該取扱説明書を読まずに，機器の使用を開始してしまう傾向がある。このため，知識のない人であっても，掃除機に正しく着けることができる「専用の扇風機」を提供することが課題となっている。
【０１６０】
請求項１に記載の発明によれば，「通気パイプ着脱手段を有する扇風機であって，前記通気パイプ着脱手段に１以上の通気パイプの開口部を着脱できることを特徴とする扇風機」が提供される。これにより，該扇風機が有する通気パイプ着脱手段と掃除機の通気パイプの間の着脱部位において，以下に述べる「掃除機が有するふたつの通気パイプの間の着脱部位が有する効果」のすべてを継承できる効果を得ることができる。
【０１６１】
最近のほとんどの掃除機が有するふたつの通気パイプの間では，相互に通気パイプの向きをそろえて装着しやすいように，通気パイプの表面が複数の色で塗り分けてあるなど，通気パイプの向きが分かりやすいように視覚的な工夫が施されている。また，目の不自由な人にも通気パイプの向きが分かるように，通気パイプの一方向の側面が盛り上った形にしてあるなど，形状的にも工夫が施されている。また，ほとんどの掃除機では，ふたつの通気パイプの間の向きが一致するまでは完全に装着されず，一致したときにだけ離脱防止機構が働いて完全に装着され，「カチッ」という音と感触によって完全に装着されたことが分かるように工夫が施されている。このため，取扱説明書を読まない人であっても，ふたつの通気パイプの間の着脱部位では「相互に向きをそろえて正しい方向で装着できる効果」を得ることができ，さらに，「着け外しを繰り返しても，毎回正しく，再現性をもって，確実かつ簡単に着けることができる効果」を得ることができている。これらの効果は，「掃除機が有するふたつの通気パイプの間の着脱部位が有する効果」である。
【０１６２】
請求項１に記載の発明によれば，「通気パイプ着脱手段を有する扇風機であって，前記通気パイプ着脱手段に１以上の通気パイプの開口部を着脱できることを特徴とする扇風機」が提供されることにより，「請求項１に記載の発明に係る扇風機が有する効果」として，前記「掃除機が有するふたつの通気パイプの間の着脱部位が有する効果」を継承することができ，前記「相互に向きをそろえて正しい方向で装着できる効果」を継承できる効果を得ることができる。このため，請求項１に記載の発明に係る扇風機は「正しい方向で該扇風機を通気パイプに装着できる効果」を得ることができる。よって，「知識のない人であっても，掃除機に正しく着けることができる専用の扇風機を提供する」という課題を解決することができる。
【０１６３】
（再現性をもって装着できる効果）
汎用の取付器具を用いて扇風機を通気パイプに着けた場合は，着ける位置が決まっていないために，着ける位置や着ける向きが毎回変動する。着ける向きが傾いていると見栄えが悪くなり，工業製品としての価値も下がる。また，着ける向きが変動することで重心の位置が毎回変動すると，該掃除機を操作する手にＳＨＩＲストレスをかける原因にもなる。このため，着け外しを繰り返しても，毎回正しく，再現性をもって，確実かつ簡単に着けることができる扇風機を提供することが課題となっている。
【０１６４】
請求項１に記載の発明によれば，「通気パイプ着脱手段を有する扇風機であって，前記通気パイプ着脱手段に１以上の通気パイプの開口部を着脱できることを特徴とする扇風機」が提供されることにより，「請求項１に記載の発明に係る扇風機が有する効果」として，前記「掃除機が有するふたつの通気パイプの間の着脱部位が有する効果」を継承できる効果を得ることができる。よって，着け外しを繰り返しても，毎回正しく，再現性をもって，確実かつ簡単に着けることができる扇風機を提供するという課題を解決することができる。
【０１６５】
（適合性チェック効果）
さらに，請求項１に記載の発明では，「通気パイプ着脱手段に１以上の通気パイプの開口部を着脱できること」を特徴とすることにより，「適合性チェック効果」という特筆すべき効果を得ることができる。この効果は，通気パイプの開口部の着脱部位を利用しない他の方法では得られない効果であることを以下に述べる。
【０１６６】
通気パイプの開口部における「着脱」は，形状の相補性によって，「着脱相手でないものは装着しにくい特徴」がある。着脱相手でないものは，差し込むことができないか，差し込んでも隙間があいて空気が漏れることにより掃除機として機能しなくなるなど，掃除機に特有の制限が働くことで，無理な装着をユーザに断念させる効果を得ることができる。
【０１６７】
通気パイプの形状には統一された規格はなく多様である（以下，「通気パイプの形状多様性」とよぶ）。このため，異なる製造業者の通気パイプの開口部を相互に着脱できることは稀である。特に，最近の掃除機は，通気パイプの開口部に離脱防止機構や電極を備えており，異なる製造業者の製品の開口部が偶然に形状適合してしまうことは皆無である。また，同じ製造業者の掃除機であっても，異なるタイプの掃除機の通気パイプの開口部の形状は異なっており，間違った装着がされにくい状況にある。
【０１６８】
すなわち，「通気パイプの開口部を着脱できること」を特徴とすることによって，「開口部が形状適合する通気パイプのみを着脱できること」という特徴が必然的に付与される。
【０１６９】
請求項１に記載の発明では，「通気パイプ着脱手段に１以上の通気パイプの開口部を着脱できることを特徴とする」ことにより，この「通気パイプの形状多様性」を積極的に利用して，掃除機と扇風機の間の「適合性チェック効果」を働かせることが可能となる。
【０１７０】
この効果を利用することにより，「扇風機と掃除機のあらゆる組み合わせのうちから，安全面でメーカが許容できる組み合わせのみに着脱を限定することが可能になる効果」を得ることができる。
【０１７１】
よって，「掃除機と扇風機の組み合わせにおいて，安全面でメーカが許容できる組み合わせのみに限定して着けることを可能とし，ユーザが誤って重心や電源容量の適合しない組み合わせを着けてしまう危険性を排除する」という課題を解決することができる。
【０１７２】
以上の効果により，請求項１に記載の発明で解決しようとする４つの課題はすべて解決することができる。
【０１７３】
さらに，請求項１に記載の発明では，「通気パイプ着脱手段に１以上の通気パイプの開口部を着脱できること」を特徴とすることにより，前記の（１）しっかり装着できる効果，（２）向きを正しく装着できる効果，（３）再現性をもって装着できる効果，（４）適合性チェック効果，に加えて，以下に述べる（５）重心制御効果，（６）離脱防止効果，（７）電源制御効果，（８）安全性担保効果，という８つの特筆すべき効果が付与される。これらの効果は，通気パイプの開口部の着脱部位を利用しない他の方法では得られない効果であることを以下に述べる。
【０１７４】
（重心制御効果）
実施例７に記載の実験によれば，ＳＨＩＲストレスの解消方法として，「扇風機全体の重心の位置をハンドルからロール回転角１８０度の方向に位置させる方法」と，「重りを用いて扇風機全体の重心の位置を通気パイプの中心軸付近に位置させる方法」の２つの方法が有効であるという新規の知見が得られている。また，「重心が通気パイプの中心軸付近に位置しない扇風機を着けるときは，該扇風機と該通気パイプの向きを正しく着ける必要がある」という別の新規な知見も得られている。
【０１７５】
請求項１に記載の発明によれば，「通気パイプ着脱手段を有する扇風機であって，前記通気パイプ着脱手段に１以上の通気パイプの開口部を着脱できることを特徴とする扇風機」が提供される。これにより，「前記扇風機が前記通気パイプにより支持される効果」，「前記扇風機が有する電動機が前記通気パイプにより支持される効果」，「前記扇風機の重心の位置が前記通気パイプにより支持される効果」，及び，「前記扇風機の重心の位置が前記通気パイプから相対的に固定される効果」を得ることができ，以下，これらを「重心制御効果」とよぶ。
【０１７６】
前記「重心制御効果」によって，「前記扇風機が前記通気パイプにより支持されることを特徴とする扇風機」，「前記扇風機が有する電動機が前記通気パイプにより支持されることを特徴とする扇風機」，「前記扇風機の重心の位置が前記通気パイプにより支持されることを特徴とする扇風機」，及び，「前記扇風機の重心の位置が前記通気パイプから相対的に固定されることを特徴とする扇風機」を提供することができる。
【０１７７】
特筆すべき相乗効果として，前記「重心制御効果」と前記「再現性をもって装着できる効果」の間の相乗効果により，ユーザが該扇風機を通気パイプに装着するときは，毎回確実に，該扇風機の重心の位置が前記通気パイプから相対的に固定されて装着できる効果を得ることができる。これに対し，請求項１に記載の発明を用いない「汎用の取付器具」による手段は，ユーザの着け方に大きく依存するため，前記の相乗効果を確実に得ることは困難である。
【０１７８】
また，ユーザによる掃除機の通常の操作において，掃除機の先端に着けられたヘッドの向きを変えるために，掃除機のハンドルをひねる「回転動作」が多発する。そして，このときの回転動作の回転軸は，前記ヘッドと前記ハンドルの間に位置する通気パイプの中心軸とほぼ重なる傾向にある。しかし，実際に回転させやすい回転動作の回転軸は，慣性モーメントが最小となる回転軸であり，「前記通気パイプと前記扇風機を合わせた全体の重心を通り，かつ，前記ひねる回転動作に力を与える手が握るハンドルを通る直線」を通る回転軸である。このため，前記通気パイプの中心軸と実際に回転させやすい回転軸は必ずしも一致しない。
【０１７９】
扇風機を装着した通気パイプの慣性モーメントが最小となる回転軸は，前記ヘッドを床面から離して回転させたときの回転軸であることから，該回転軸を計測することは当業者にとって容易に実施できる。また，扇風機が有する通気パイプ着脱手段の位置を該扇風機内で動かすことで該扇風機の重心の位置を動かすことも当業者にとって容易に実施できる。よって，該位置を動かして，実際に回転させやすい回転軸が前記通気パイプの中心軸（より厳密には「前記ヘッドの回転可動部と前記ハンドルを握る手の手首を結ぶ軸又は通過する直線」）と一致するように調整することは当業者にとって容易に実施できる。そして，請求項１に記載の発明によれば，前記「適合性チェック効果」によって，該扇風機を着けることができる掃除機の機種が限定されるため，「前記調整に用いた扇風機の機種と掃除機の機種の組み合わせと同じ組み合わせでユーザに装着させる効果」を得ることができる。このため，「掃除機の機種に合わせて，該扇風機と該通気パイプの全体の重心が前記ひねる回転動作の回転軸に正確に位置するように調整された扇風機を提供できる効果」を得ることができる。
【０１８０】
前記「掃除機の機種に合わせて，該扇風機と該通気パイプの全体の重心が前記ひねる回転動作の回転軸に正確に位置するように調整された扇風機を提供できる効果」によって，実施例７より得られた知見に基づき，ＳＨＩＲストレスを発生させにくい扇風機を提供することができる。すなわち，請求項１に記載の発明の効果により，「前記通気パイプの中心軸とハンドルを通過する平面に前記扇風機の重心が位置することを特徴とする扇風機」，「前記通気パイプの中心軸付近に前記扇風機の重心が位置することを特徴とする扇風機」，「前記通気パイプの軸近傍空間に前記扇風機の重心が位置することを特徴とする扇風機」の少なくともいずれか１つを容易に提供することができる。
【０１８１】
すなわち，請求項１に記載の発明を利用することで，前記「ＳＨＩＲストレスを発生させにくい扇風機」を提供することは，当業者にとって容易に実施可能である。
【０１８２】
よって，請求項１に記載の発明に係る「通気パイプ着脱手段を有する扇風機であって，前記通気パイプ着脱手段に１以上の通気パイプの開口部を着脱できることを特徴とする扇風機」を利用することによって，「手にかかる負担を増加させにくい扇風機および該扇風機を搭載した掃除機を提供することができる効果」を得ることができる。
【０１８３】
さらに，請求項１に記載の発明では，「通気パイプ着脱手段に１以上の通気パイプの開口部を着脱できることを特徴とする」ことによって，請求項３の効果で述べる「離脱防止効果」を得ることができ，また，請求項４の効果で述べる「電源制御効果」を得ることができる。
【０１８４】
以上の効果よって，ユーザの間違った利用によって発生する事故のリスクを最小化できるため，扇風機を製造販売するメーカにとっても，「扇風機をつけた掃除機」という新しい事業分野に事業を拡大しやすくなる効果を得ることができる（本明細書では，この効果を「安全性担保効果」とよぶ）。
【０１８５】
よって，扇風機と掃除機を別々の製品として提供してきた家電メーカにとって，新たな「扇風機付き掃除機」の事業を展開できるようにすることで，扇風機事業と掃除機事業の相乗効果を生み出せる製品を提供できる効果を得ることができる。
【０１８６】
以上の効果は，通気パイプの開口部の着脱部位を利用しない汎用の取付器具を使った装着から得られる安全性よりも遥かに高いレベルの安全性を提供する。
【０１８７】
すなわち，通気パイプの開口部の着脱部位を利用した着脱手段の効果は，他の手段を利用した場合の効果を遥かに超えるものであるから，仮に，汎用の取付器具等で扇風機を通気パイプに着ける先行事例があったとしても，本発明の新規性と進歩性を喪失させるものではない。
【０１８８】
なお，請求項１に記載の発明を実施するための形態ついては，実施例１と２と４と５と６と１０で説明する。
【０１８９】
また，市販されている掃除機では，ひとつの掃除機に複数の通気パイプが付属していることがほとんどである。さらに，ひとつの掃除機に付属する通気パイプであれば，いかなる部分のパイプであっても相互に着脱して利用できるように，機種内で通気パイプの着脱部位の形状が共通化されていることがほとんどである（以下，「通気パイプの機種内共通性」とよぶ）。
【０１９０】
請求項２に記載の発明によれば，「前記通気パイプ着脱手段に２以上の通気パイプを着脱できることを特徴とする請求項１に記載の扇風機」が提供される。これにより，前記の「通気パイプの機種内共通性」を積極的に利用して，掃除機が有する通気パイプの間の任意の着脱部位に対して，請求項２に記載の発明に係る扇風機が有する通気パイプ着脱手段を挿入できる効果を得ることができる。
【０１９１】
これにより，掃除機を操作するためのハンドルを備えた通気パイプの近くの着脱部位に，請求項２に記載の扇風機を挿入して使用することができ，掃除中は，常に，人体の近くで扇風機を稼働させることが可能になる効果を得ることができる。よって，掃除機のハンドルの近くに無理なく装着できる扇風機を提供するという課題を解決することができる。
【０１９２】
さらに，以下の例に示すように，通気パイプを交換しながら使用しても，手首への負担をほとんどかけずに済む効果を得ることができる。 
【０１９３】
例えば，「ハンドルを有する通気パイプＡ」と，「先端の長い通気パイプＢ」があり，これらを相互に装着したＡ＋Ｂの状態で使用されている掃除機において，請求項２に記載の発明に係る扇風機が有する通気パイプ着脱手段Ｘを挿入して，Ａ＋Ｘ＋Ｂの状態で使用することができる（ただし，本明細書においてアルファベットの間における「＋」はその間において装着または支持している状態にあることを示す）。ここで，通気パイプＢの代わりに，「先端の短い通気パイプＣ」を装着して使用する場合，該扇風機を残した状態で通気パイプＣを使用したければ，ＸからＢを離脱させてからＸにＣを装着することでＡ＋Ｘ＋Ｃとすることができ，また，該扇風機を外した状態で通気パイプＣを使用したければ，ＡからＸを離脱させてからＡにＣを装着することでＡ＋Ｃとすることができ，いずれの場合でも，離脱操作１回と装着操作１回の，合計２回の着脱操作だけで完了する。
【０１９４】
以上の効果により，着け外しにかかる作業の負担が少ない扇風機を提供するという課題を解決することができる。
【０１９５】
これに対し，もし，汎用の取付器具を使用して，扇風機を通気パイプＢに直接着けていたならば，ＡからＢを離脱させてからＡにＣを装着する合計２回の着脱操作に加え，さらに，通気パイプＢから該扇風機を外し，通気パイプＣに着ける操作が発生する。このとき，通気パイプＣが短すぎて着けられない恐れもあり。また，着ける際に重心がずれて手を痛める恐れもある。
【０１９６】
すなわち，２以上の通気パイプを着脱できることを特徴とする通気パイプ着脱手段を利用した効果は，他の手段を利用した場合の効果を遥かに超えるものである。
【０１９７】
よって，請求項２に記載の発明で解決しようとする２つの課題はすべて解決することができる。
【０１９８】
さらに，特筆すべき効果としては，「扇風機を装着しても，掃除機の本来の機能を損なわない効果」である。掃除機が有する２つの通気パイプの間に請求項２に記載の発明に係る扇風機が有する通気パイプ着脱手段を挿入した状態でも，前記通気パイプ着脱手段を挟んで装着される該２つの通気パイプが直線状に配置されることにより，掃除機を操作する手首への負担をほとんど増加させることなく利用できる効果を得ることができる。よって，「掃除機に扇風機を着けても，手にかかる負担を増加させにくい扇風機および該扇風機を搭載した掃除機を提供できる効果」を得ることができる。
【０１９９】
なお，請求項２に記載の発明を実施するための形態ついては，実施例１と２と６と１０で説明する。
【０２００】
（離脱防止効果）
また，掃除機の通気パイプには離脱防止機構が設けられているものが主流になりつつある。前記離脱防止機構は，同じ掃除機の通気パイプであれば，いかなるパイプであっても相互に利用できるように，機種内で共通化されていることがほとんどである（以下，「離脱防止機構の機種内共通性」とよぶ）。
【０２０１】
請求項１の発明に係る通気パイプ着脱手段は，通気パイプの開口部を装着できることを特徴とするため，通気パイプの開口部に位置する離脱防止機構と接触して，これを利用することが可能である。
【０２０２】
請求項３に記載の発明によれば，「前記通気パイプ着脱手段に離脱防止機構を有する請求項１又は２に記載の扇風機」が提供される。これにより，掃除機が有するふたつの通気パイプの間のいかなる着脱部位においても，請求項３に記載の発明に係る扇風機が有する通気パイプ着脱手段を装着でき，かつ，通気パイプとの間で離脱防止機構を働かせることが可能となる効果を得ることができる。よって，掃除機に扇風機を確実に着けて落下を防ぐことができ，かつ，外すときは簡単に外すことができる「離脱防止機構」を有する扇風機を提供するという課題を解決することができる。
【０２０３】
これに対し，もし，汎用の取付器具を使用して，扇風機を通気パイプＢに着けていたならば，通気パイプＢと該扇風機の間で前記離脱防止機構を働かせることができない。また，離脱を防止する目的で，前記汎用の取付器具をきつく締めて固定するなどした場合は，外すことが困難になり，通気パイプＢから通気パイプＣに交換することが大変な作業となってしまう。さらに，交換によって，前記汎用の取付器具の締め付けをうっかり弱くしてしまった場合，使用中に落下してしまう恐れもあり，危険である。
【０２０４】
すなわち，通気パイプ着脱手段に離脱防止機構を有することを特徴とする通気パイプ着脱手段を利用した効果は，他の手段を利用した場合の効果を遥かに超えるものである。
【０２０５】
なお，請求項３に記載の発明を実施するための形態ついては，実施例１と３と４で説明する。
【０２０６】
掃除機の通気パイプに存在する電気伝導体は，人の手に接触して感電させることがないように配慮されており，通気パイプの内部に埋没して存在している。このため，通気パイプの外に位置する扇風機に対して，該通気パイプに流れる電気を供給することは通常は困難である。
【０２０７】
これに対し，請求項１の発明に係る通気パイプ着脱手段は，通気パイプの開口部を装着できることを特徴とするため，通気パイプの開口部に位置する電極と接触可能である。
【０２０８】
（電源制御効果）
請求項４に記載の発明によれば，「前記通気パイプが有する電極と接触可能な電極を前記通気パイプ着脱手段に有することを特徴とする請求項１から３のいずれかに記載の扇風機」が提供される。これにより，以下に述べる「給電機能」と「通電機能」と「安全機能」と「制御機能」の４機能を兼ね備えた前記通気パイプ着脱手段が提供される。
【０２０９】
「給電機能」は，請求項４に記載の発明に係る扇風機に電気を供給する機能であり，該通気パイプに存在する電気伝導体に流れる電気を，前記通気パイプ着脱手段の電極を介して該扇風機に供給することで該扇風機に電池等の独立電源がなくても使用できる扇風機を提供できる効果を得ることができる。よって，「電池がなくても使用できる扇風機を提供する」という課題を解決することができる。
【０２１０】
「通電機能」は，請求項２に記載の特徴と，請求項４に記載の特徴との間の相乗効果によってもたらされる効果であり，前記「２つの通気パイプの間に挿入できる通気パイプ着脱手段」が「通気パイプが有する電極と接触可能な電極を通気パイプ着脱手段に有することを特徴とする」ことにより，該通気パイプ着脱手段が挿入された２つの通気パイプの間を流れる電流を絶縁させずに通電状態を維持したまま使用できる効果を得ることができる。
【０２１１】
すなわち，前記の給電機能と通電機能により，前記通気パイプ着脱手段を２つの通気パイプの間に挿入した場合であっても，それら２つの通気パイプの間の通電を絶縁させることなく，かつ，前記扇風機にも電気を供給できるようになる効果を得ることができる。
【０２１２】
「安全機能」は，請求項１に記載の特徴と，請求項３に記載の特徴と，請求項４に記載の特徴との間の相乗効果によってもたらされる効果である。すなわち，通気パイプを装着することで，該通気パイプの開口部にある電極は前記通気パイプ着脱手段の形状適合部位によって覆い隠されるため，該電極は外部に露出せず，手に触れることなく，感電の恐れがない。そして，この装着状態が離脱防止機構によって維持されるため，安全に使用することができる効果を得ることができる。
【０２１３】
「制御機能」は，扇風機の電源のオンオフを掃除機の電源のオンオフと連動させる機能であり，手作業で電源を操作する負担を軽減させる効果を得ることができる。これは，通気パイプを経由してパワーブラシに供給される電気のオンオフが，掃除機の電源のオンオフと連動していることから，請求項４に記載の電極を介して扇風機に給電される電気も掃除機の電源のオンオフに連動するという特徴を利用したものである。よって，掃除機に扇風機を着けても，手にかかる負担を増加させにくい扇風機および該扇風機を搭載した掃除機を提供するという効果を得ることができる。
【０２１４】
以上の４つの機能である「給電機能」，「通電機能」，「安全機能」，「制御機能」は，請求項１から４に記載の特徴によって得られる相乗効果であるため，これらを総括して，本明細書では「電源制御効果」とよぶ。
【０２１５】
なお，請求項４に記載の発明を実施するための形態ついては，実施例１と２と３と６と１１で説明する。
【０２１６】
請求項５に記載の発明によれば，「羽根車と，前記羽根車を駆動する電動機と，前記電動機を支持する枠と，前記枠を支持又は着脱手段とする前記通気パイプ着脱手段を有する請求項１から４のいずれかに記載の扇風機」が提供される。これにより，該扇風機の羽根車を駆動する電動機を支持する枠を支持又は着脱手段とする通気パイプ着脱手段に装着された通気パイプを装着した掃除機によって，扇風機全体が掃除機によって支持されるため，それ以外の付属品を使用しないで済む効果を得ることができる。よって，「通気パイプに着けたときに，台座や支柱などの余計な付属部品がついていない軽い扇風機を提供する」という課題を解決することができる。
【０２１７】
請求項６に記載の発明によれば，「前記枠を支持又は着脱手段とする支柱着脱手段と，台座によって立設された支柱を有し，前記支柱着脱手段に前記支柱を着脱できることを特徴とする請求項５に記載の扇風機」が提供される。これにより，台座によって立設された支柱を請求項６に記載の発明に係る扇風機の支柱着脱手段に装着することで，該扇風機の羽根車を駆動する電動機を支持する枠を支持又は着脱手段とする支柱着脱手段を支持する支柱を立設する台座によって，扇風機全体が支持されるようになり，該扇風機を床面等に自立させて利用できる「据置型扇風機」として提供できる効果を得ることができる。さらに，掃除機に装着するときは支柱と台座を離脱させて装着できるため，該扇風機全体の重量を軽くすることができ，手首に負担がかかりにくい効果を得ることができる。よって，「床面等に自立させて安定的に使用できる据置型扇風機でありながら，掃除機に着けても手首に負担がかかりにくい扇風機を提供する」という課題を解決することができる。
【０２１８】
なお，請求項６に記載の発明を実施するための形態ついては，実施例３と４で説明する。
【０２１９】
請求項７に記載の発明によれば，「前記支柱を装着した状態で前記通気パイプを着脱でき，かつ，前記通気パイプを装着した状態で前記支柱を着脱できることを特徴とする請求項６に記載の扇風機」が提供される。
【０２２０】
これにより，前記支柱に装着されて「据置型扇風機」として使用されている前記扇風機に対し，最初に，掃除機の通気パイプを装着し，次に，前記支柱を離脱させることで，前記扇風機を安全に掃除機に装着することができる効果を得ることができる。
【０２２１】
また逆に，前記通気パイプに装着されて「掃除機に装着された扇風機」として使用されている前記扇風機に対し，最初に，前記支柱を装着し，次に，前記通気パイプを離脱させることで，前記扇風機を安全に据置型扇風機に戻すことができる効果を得ることができる。
【０２２２】
例えば，「電動機を支持する枠Ｆ」と，「支柱着脱手段Ｙ」と，「支柱Ｓ」があり，ＹにＳを装着した状態の扇風機Ｆ＋Ｙ＋Ｓが，据置型扇風機として床面に自立して使用されている状況を想定する（請求項５，６に記載の手段を使用）。
【０２２３】
この状況に対し，ユーザは，前記扇風機を「掃除機のハンドルを有する通気パイプＡ」に装着して使用するためには，次の２ステップの着脱操作を行えばよい。
【０２２４】
最初に，ユーザはＡのハンドルを握った状態で，これに「前記扇風機の通気パイプ着脱手段Ｘ」を差込むことで装着し，Ａ＋Ｘ＋Ｆ＋Ｙ＋Ｓの装着状態を形成する（請求項１に記載の手段を使用）。このとき，ＡとＸの間の装着において，前記離脱防止機構が自動的に働き，扇風機がＡから離脱することを防止する（請求項３に記載の手段を使用）。
【０２２５】
次に，ユーザはＹからＳを離脱させ，ハンドルを握ったまま引抜くことで，「掃除機のハンドルを有する通気パイプに装着された扇風機Ａ＋Ｘ＋Ｆ」を得ることができ，目的の装着を完了することができる（請求項１に記載の手段を使用）。
【０２２６】
そして，もしユーザが望めば，さらに，これに「先端の長い通気パイプＢ」をＸのもうひとつの開口部に装着してＡ＋Ｘ＋ＢかつＸ＋Ｆとすることもできる（請求項２に記載の手段を使用）。また，このとき，扇風機への給電を掃除機から行うことができる（請求項４に記載の手段を使用）。
【０２２７】
また，逆に，掃除機に装着された扇風機を，据置型扇風機に戻すときは，次の２ステップの着脱操作を行えばよい。
【０２２８】
最初に，ユーザは，「掃除機のハンドルを有する通気パイプに装着された扇風機Ａ＋Ｘ＋Ｆ」のハンドルを持って，Ａ＋Ｘ＋ＦのＦを支持する支柱着脱手段Ｙに支柱Ｓを差込むことで装着し，Ａ＋Ｘ＋Ｆ＋Ｙ＋Ｓの装着状態を形成する（請求項６に記載の手段を使用）。
【０２２９】
次に，ユーザは，前記ハンドルの近くに設置されたボタンを押して，Ａ＋Ｘの間の離脱防止機構を解除し，前記ハンドルを握ったままＡを引抜くことで，据置型扇風機Ｆ＋Ｙ＋Ｓを得ることができる（請求項３に記載の手段を使用）。
【０２３０】
以上の操作は，請求項１から６に記載の手段を連携させて実現されており，「差込む」「引抜く」「ボタンを押す」などの簡単な操作のみで完了する。このため，扇風機そのものを直接手で持つ必要なく，扇風機の着け替えを完了できる効果を得ることができる。さらに，請求項７に記載の特徴によって，ＳとＡが干渉することなく，Ａ＋Ｘ＋Ｆ＋Ｙ＋Ｓの装着状態を形成できるため，扇風機の着け替えをより一層安全に完了できる効果を得ることができる。
【０２３１】
よって，「据置型扇風機を簡単な操作で掃除機に着け替えることができ，着け替え作業中に誤って扇風機を落下させることなく，かつ，扇風機のファンガードに触れることなく，掃除機のハンドルを握った状態で安全かつ確実に着け替えることができ，さらに，掃除機から扇風機を外して据置型扇風機に着け替え戻す作業においても同様の安全性を確保できる扇風機を提供する」という課題を解決することができる。
【０２３２】
さらに，これにより，据置型扇風機を簡単な操作で掃除機に着ける方法が提供される。すなわち，
【０２３３】
「支柱と通気パイプのそれぞれを着脱できる扇風機を用いて，支柱を装着した該扇風機に，通気パイプを装着して，支柱と通気パイプの両方を装着した扇風機を得る方法」，
【０２３４】
「支柱と通気パイプのそれぞれを着脱できる扇風機を用いて，通気パイプを装着した該扇風機に，支柱を装着して，支柱と通気パイプの両方を装着した扇風機を得る方法」，
【０２３５】
「支柱と通気パイプのそれぞれを着脱できる扇風機を用いて，支柱と通気パイプの両方を装着した該扇風機から，支柱を離脱させて，通気パイプを装着した扇風機を得る方法」，
【０２３６】
「支柱と通気パイプのそれぞれを着脱できる扇風機を用いて，支柱と通気パイプの両方を装着した該扇風機から，通気パイプを離脱させて，支柱を装着した扇風機を得る方法」が提供され，
【０２３７】
さらに，「支柱と通気パイプのそれぞれを着脱できる扇風機を用いて，支柱を装着した該扇風機に，通気パイプを装着して，支柱と通気パイプの両方を装着した扇風機を得て，次に該扇風機から支柱を離脱させて，通気パイプを装着した扇風機を得る方法」，
【０２３８】
「支柱と通気パイプのそれぞれを着脱できる扇風機を用いて，通気パイプを装着した扇風機に，支柱を装着して，支柱と通気パイプの両方を装着した扇風機を得て，次に該扇風機から通気パイプを離脱させて，支柱を装着した扇風機を得る方法」が提供され，
【０２３９】
さらに，「前記通気パイプと前記扇風機の着脱おいて，離脱防止機構を有する着脱手段を使用する前記に記載のいずれかの方法」が提供される。
【０２４０】
これにより，着け替え作業中に誤って扇風機を落下させることなく，かつ，扇風機のファンガードに触れることなく，掃除機のハンドルを握った状態で安全かつ確実に着け替える方法が提供され，さらに，掃除機から扇風機を外して据置型扇風機に着け替え戻す作業においても同様の安全性を確保できる方法が提供される。
【０２４１】
なお，請求項７に記載の発明を実施するための形態ついては，実施例４で説明する。
【０２４２】
請求項８に記載の発明によれば，「前記枠，前記枠と前記電動機の間，前記枠と前記通気パイプ着脱手段の間，前記通気パイプ着脱手段，のいずれかにおいて可動部を有する請求項５から７のいずれかに記載の扇風機」が提供される。また，前記のいずれかの扇風機が有する可動部であって，「前記可動部に回転軸又は軸受を有する可動部」を有する前記のいずれかの扇風機も提供される。これにより，該扇風機を掃除機の通気パイプに装着して使用している状態において，該通気パイプと該電動機の間で可動部が動くことにより，該電動機が駆動する羽根車の向きを変えることができるため，該扇風機の送風方向を，該通気パイプに対して相対的に変えることができる効果を得ることができる。よって，「掃除機の通気パイプに装着された扇風機の送風方向を，人体の様々な部位に向けて送風できる扇風機を提供する」という課題を解決することができる。
【０２４３】
なお，請求項８に記載の発明を実施するための形態ついては，実施例１と２と５で説明する。
【０２４４】
請求項９に記載の発明によれば，「前記羽根車又は前記電動機に中空部を有し，前記中空部に前記通気パイプ又は前記通気パイプ着脱手段を通過させた状態で前記羽根車を駆動できることを特徴とする請求項５から８のいずれかに記載の扇風機」が提供される。これにより， 該扇風機の中心を通気パイプが通過しているため，該通気パイプから最も飛び出している部分までの距離が短くなる効果を得ることができる。よって，「掃除機の通気パイプをひねった際に，扇風機が振り回されて壁などに激突する恐れが少ないコンパクトな扇風機を提供する」という課題を解決することができる。
なお，前記中空部に通気パイプを通過させることにより，該扇風機の重心を該扇風機に装着された通気パイプの軸近傍空間に位置させることができる効果を得ることができ，掃除機に扇風機を着けても，手にかかる負担を増加させにくい扇風機および該扇風機を搭載した掃除機を提供するという効果を得ることができる。
【０２４５】
なお，請求項９に記載の発明を実施するための形態ついては，実施例１と２で説明する。
【０２４６】
請求項１０に記載の発明によれば，「前記枠が支持する電動機が２以上であることを特徴とする請求項５から８のいずれかに記載の扇風機」が提供される。これにより，実施例５に示すように，小型の安価な単扇風機を組み合わせて，より大きな扇風機を構成することができる。また，各単扇風機に可動部を持たせることで，各単扇風機を様々な方向に向けて送風できる効果を得ることができる。よって，「安価な小型の扇風機を利用しつも，身体の広い範囲に向けて送風できる扇風機を提供する」という課題を解決することができる。
【０２４７】
なお，電動機が２以上の場合において，実施例５に記載の配置方法を用いることにより，扇風機の重心を該扇風機に装着された通気パイプの軸近傍空間に位置させることができる効果を容易に得ることができる。よって，掃除機に扇風機を着けても，手にかかる負担を増加させにくい扇風機および該扇風機を搭載した掃除機を容易に提供できる効果を得ることができる。
【０２４８】
なお，請求項１０に記載の発明を実施するための形態ついては，実施例５，１３，１５，１６で説明する。
【０２４９】
請求項１１に記載の発明によれば，「前記通気パイプ着脱手段と前記枠の間にさらに着脱部位を有し，前記通気パイプ着脱手段と前記枠を相互に着脱できることを特徴とする請求項５から１０のいずれかに記載の扇風機」が提供される。これにより，扇風機のメーカは各掃除機の種類に合わせてアダプタ（請求項１１に記載の着脱部位で離脱された通気パイプ着脱手段を有する部品）を用意すれば，同じ扇風機を再利用して，各掃除機に専用の扇風機を提供することができる効果を得ることができる。よって，「扇風機のメーカに対して，製造コストを下げることができる扇風機を提供する」という課題を解決することができる。
【０２５０】
なお，請求項１１に記載の発明による特筆すべき効果については，実施例１０で詳しく説明する。また，請求項１１に記載の発明を実施するための形態ついては，実施例６で説明する。
【０２５１】
請求項１２に記載の発明によれば，「請求項１から１１のいずれかに記載の扇風機を有する掃除機」が提供される。これにより，掃除機のメーカにとっては，該掃除機に装着できる扇風機を該掃除機と一緒に販売できる効果を得ることができ，掃除機の付加価値をより一層高める効果を得ることができる。また，これまで，扇風機と掃除機を別々の製品として提供してきた家電メーカにとって，扇風機事業と掃除機事業の相乗効果を生み出せる製品を提供することができる効果を得ることができ，新たな「扇風機付き掃除機」の事業を展開していくことができる効果を得ることができる。よって，「ユーザに対して，扇風機が搭載された掃除機として一括購入できる製品を提供する」という課題を解決することができる。
【０２５２】
請求項１３に記載の発明によれば，「請求項１１に記載の扇風機が有する前記枠と前記通気パイプ着脱手段の間の前記着脱部位において前記枠に着脱できる通気パイプ着脱手段」が提供される。これにより，扇風機のメーカは各掃除機の種類に合わせた該通気パイプ着脱手段をアダプタとして別途販売すれば，各掃除機に専用の扇風機を提供することができる効果を得ることができるため，ユーザが，旧掃除機とは異なる種類の新掃除機に買い替えたときに，ユーザは前記アダプタを新掃除機に適合したものに買い替えるだけで，旧掃除機で使用していた扇風機を新掃除機に装着して使用できるようになる効果を得ることができる。よって，「扇風機のユーザに対して，掃除機を買い替えたときの扇風機の購入コストを下げることができる扇風機を提供する」という課題を解決することができる。
【０２５３】
なお，請求項１３に記載の発明を実施するための形態ついては，実施例６と１０と１１で説明する。
【０２５４】
請求項１４に記載の発明によれば，「請求項１１に記載の扇風機が有する前記枠と前記通気パイプ着脱手段の間の前記着脱部位において前記通気パイプ着脱手段に着脱できる扇風機」が提供される。これにより，扇風機のメーカは該扇風機と該通気パイプ着脱手段を別々の製品として販売できる効果を得ることができる。ユーザが，該扇風機が壊れたときに，請求項１４に記載の扇風機の部分だけ買い替えるだけで，請求項１３に記載の通気パイプ着脱手段は買わなくて済む効果を得ることができる。よって，「扇風機のユーザに対して，扇風機が壊れたときの扇風機の購入コストを下げることができる扇風機を提供する」という課題を解決することができる。
【０２５５】
なお，請求項１４に記載の発明を実施するための形態ついては，実施例６と１０で説明する。
【０２５６】
請求項１５の発明によれば，「支柱と通気パイプのそれぞれを着脱できる扇風機を用いて，支柱を装着した該扇風機に，通気パイプを装着して，支柱と通気パイプの両方を装着した扇風機を得て，次に該扇風機から支柱を離脱させて，通気パイプを装着した扇風機を得る方法」が提供される。これにより，該扇風機を常に床面に立設された支柱又は通気パイプのハンドルで支えることができ，扇風機を直接支えることなく着け替え作業を行うことができる。よって，「据置型扇風機から支柱を外して掃除機に着け替える作業中に，該扇風機を直接手で支える動作が一切必要なく，該掃除機のハンドルを握った状態でも着け替えることができる方法を提供する」という課題を解決することができる。また，逆の手順を踏むことで，掃除機から扇風機を外して支柱をつけた据置型扇風機に着け替え戻す作業中に，該扇風機を直接手で支える動作が一切必要なく，該掃除機のハンドルを握った状態でも着け替えできる方法を提供する効果を得ることもできる。
【０２５７】
なお，請求項１５に記載の発明を実施するための形態ついては，実施例４で説明する。
【０２５８】
請求項１６の発明によれば，「前記通気パイプと前記扇風機の着脱おいて，離脱防止機構を有する着脱手段を使用する請求項１５に記載の方法」が提供される。これにより，実施例４に記載の「扇風機の着け替え」を安全に行うことができる。よって，「扇風機の着け替え作業中に，誤って該扇風機を落下させることなく，安全かつ確実に着ける方法を提供する」という課題を解決することができる。
【０２５９】
なお，請求項１６に記載の発明を実施するための形態ついては，実施例４で説明する。
【０２６０】
また，前記のいずれかの扇風機が有する通気パイプ着脱手段であって，前記「差込による着脱手段」である手段によれば，差込むだけで毎回正しく着けることが簡単に装着できる効果を得ることができる。
【０２６１】
また，前記のいずれかの扇風機が有する通気パイプ着脱手段であって，前記「ねじる着脱手段」である手段によれば，ねじることで確実に装着できて離脱を防止する特徴を有し落下しにくい装着を得る効果を得ることができる。
【０２６２】
また，前記のいずれかの扇風機が有する通気パイプ着脱手段であって，前記「ねじらない着脱手段」である手段によれば，ねじる必要なく毎回正しく着けることが簡単にできる効果を得ることができる。
【０２６３】
また，前記のいずれかの扇風機が有する通気パイプ着脱手段であって，前記「装着によって支持される着脱手段」によれば，前記扇風機を前記通気パイプに支持させる効果を得ることができる。
【０２６４】
また，前記のいずれかの扇風機が有する通気パイプ着脱手段であって，前記「前記開口部を空気の漏れ出る隙間なく装着できる通気パイプ着脱手段」によれば，前記開口部と該通気パイプ着脱手段の間の装着部位において空気が漏れ出る隙間がないため，掃除機の通気パイプとして装着して使用できることが明確に分かる効果を得ることができる。
【０２６５】
また，前記のいずれかの扇風機が有する通気パイプ着脱手段であって，前記「ふたつの通気パイプの間の着脱部位を着脱できる通気パイプ着脱手段」によれば，掃除機のふたつの通気パイプを相互に装着する方法と同じ方法で装着できる効果を得ることができる。
【０２６６】
また，前記のいずれかの扇風機が有する通気パイプ着脱手段であって，前記「１以上の通気パイプのオス開口部又はメス開口部を着脱できる通気パイプ着脱手段」，「１以上の通気パイプのオス開口部およびメス開口部を着脱できる通気パイプ着脱手段」，「１以上の通気パイプのオス開口部を着脱できる通気パイプ着脱手段」，「１以上の通気パイプのメス開口部を着脱できる通気パイプ着脱手段」のいずれかである着脱手段によれば，ふたつの通気パイプを相互に装着する方法と同じ方法で装着できる効果を得ることができる。
【０２６７】
また，前記のいずれかの扇風機が有する通気パイプ着脱手段であって，前記「筒状体を有することを特徴とする通気パイプ着脱手段」，「筒状体を有し，該筒状体の開口部を着脱部位とする通気パイプ着脱手段」，「筒状体を有し，該筒状体の開口部に通気パイプの開口部を着脱できる通気パイプ着脱手段」のいずれかである着脱手段によれば，掃除機の通気パイプが有する特徴を有する着脱手段であるため，ふたつの通気パイプを相互に装着する方法と同じ方法で装着できることが分かりやすい効果を得ることができる。
【０２６８】
また，前記のいずれかの扇風機が有する通気パイプ着脱手段であって，前記「通気パイプを有することを特徴とする通気パイプ着脱手段」，「通気パイプを有し，該通気パイプの開口部を着脱部位とする通気パイプ着脱手段」，「通気パイプを有し，該通気パイプの開口部に通気パイプの開口部を着脱できる通気パイプ着脱手段」のいずれかである着脱手段によれば，掃除機の通気パイプを有する着脱手段であるため，ふたつの通気パイプを相互に装着する方法と同じ方法で装着できることがよりはっきりと分かりやすい効果を得ることができる。
【０２６９】
また，前記のいずれかの扇風機が有する通気パイプ着脱手段であって，前記「掃除機稼働時に陰圧の空気が存在する空間を大気圧の空気が存在する空間から仕切る筒状の壁を有することを特徴とする通気パイプ着脱手段」である着脱手段によれば，掃除機の通気パイプとして装着して使用できることが明確に分かる効果を得ることができる。
【０２７０】
また，前記のいずれかの扇風機であって，「前記通気パイプ着脱手段と前記枠の間に着脱部位を有さない扇風機」によれば，前記通気パイプ着脱手段が前記枠から離脱しないため，前記通気パイプ着脱手段だけを紛失して使えなくなるということが起きない効果を得ることができる。また，着脱部位がないため，該着脱部位で電極が露出することがなく，安全性が高まる効果を得ることができる。また，部品が少ない分だけ，軽量化できる効果を得ることができる。
【０２７１】
また，前記のいずれかの扇風機であって，「該扇風機の重心が該扇風機に装着された通気パイプの軸近傍空間又は通気パイプ着脱手段の軸近傍空間に位置することを特徴とする扇風機」によれば，重心が通気パイプの軸近傍空間に位置する効果を得ることができる。よって，掃除機に扇風機を着けても手にかかる負担を増加させにくい扇風機および該扇風機を搭載した掃除機を提供できる効果を得ることができる。
【０２７２】
また，前記のいずれかの扇風機が有する２以上の通気パイプを着脱できる通気パイプ着脱手段であって，「掃除機が有する２つの通気パイプの間に挿入できる通気パイプ着脱手段」，「２つの開口部を有する筒状体を有する前記通気パイプ着脱手段であり，該２つの開口部のそれぞれに通気パイプを装着できる通気パイプ装着手段」，「２つの開口部を有する筒状体を有する通気パイプ着脱手段であって，相互に着脱できる２つの通気パイプの一方を該２つの開口部の一方に装着でき，かつ，該相互に着脱できる２つの通気パイプの他方を該２つの開口部の他方に装着できる通気パイプ装着手段」，「掃除機稼働時に通気パイプの一部として使用できることを特徴とする通気パイプ着脱手段」のいずれかである着脱手段によれば，掃除機を操作するためのハンドルを備えた通気パイプの近くの着脱部位に，請求項２に記載の発明に係る扇風機を挿入して使用することができ，掃除中は，常に，人体の近くで扇風機を稼働させることが可能となる効果を得ることができる。
【０２７３】
また，前記のいずれかの扇風機が有する２以上の通気パイプを着脱できる通気パイプ着脱手段であって，「装着された２つの通気パイプが直線状に配置されることを特徴とする通気パイプ着脱手段」によれば，掃除機が有する２つの通気パイプの間に該通気パイプ着脱手段を挿入した状態でも，該通気パイプ着脱手段を挟んで装着される該２つの通気パイプが直線状に配置されることにより，掃除機を操作する手首への負担をほとんど増加させることなく利用できる効果を得ることができる。
【０２７４】
また，前記のいずれかの扇風機が有する２以上の通気パイプを着脱できる通気パイプ着脱手段であって，「２つの開口部を有する筒状体を有する前記通気パイプ着脱手段であり，該２つの開口部の間の距離が３０センチメートル以下である通気パイプ着脱手段」によれば，短いために２つの通気パイプの間に挿入しやすくなる効果を得ることができる。
【０２７５】
（温風機）
また，冬場など気温の低い日には，掃除機が排出する気流によって空気が移動するため，人体は寒さをより感じやすくなる。該掃除機内のモータから発生する熱によって，該掃除機は吸引した空気よりもわずかに高い温度の空気を排出口から排出するものの，冬場に人体を温めるための温風としては温度が低すぎる。よって，掃除機をかけながら移動し続ける人体を恒常的に温める装置を提供することも別の課題である。該課題の解決にあたっては，前記のいずれかの扇風機であって，「さらに発熱手段を有し，温風を送風することができることを特徴とする扇風機」を利用することができる。これにより，温風を送風できる効果を得ることができる。よって，掃除機をかけながら移動し続ける人体を恒常的に温める装置を提供するという課題を解決することができる。
【０２７６】
（イオン発生手段，加湿手段）
また，湿度が低い日には，静電気が発生しやすくなり，人体にゴミが付着しやすくなる。このため， 掃除機をかけながら移動し続ける人体の周囲において静電気を抑える装置を提供するということも課題である。該課題の解決にあたっては，前記のいずれかの扇風機であって，「空気を加湿する加湿手段を有する扇風機」を利用することができる。これにより，加湿によって静電気を抑える効果を得ることができる。よって，掃除機をかけながら移動し続ける人体の周囲において静電気を抑える装置を提供するという課題を解決することができる。さらに，前記のいずれかの扇風機であって，「イオン発生手段を有し，イオンを含む空気を送風できる扇風機」を利用することができる。また，前記のいずれかの扇風機であって，「プラスイオンを発生するプラス放電部とマイナスイオンを発生するマイナス放電部とを備えたイオン発生素子を有する扇風機」を利用することができる。また，前記のいずれかの扇風機であって，「空気を加湿する加湿手段と，放電電極と，前記放電電極を放熱フィンで冷却して水分を結露させる電極冷却手段と，前記放電電極に高電圧を印加してイオンミストを発生させるイオン発生手段を有する扇風機」を利用することができる。また，前記のいずれかの扇風機であって，「パナソニック社のナノイー発生手段（特開２０１２−２３５８６２，他），又は，ＳＨＡＲＰ社のプラズマクラスター発生手段（特開２０１２−１９６４６７，他）で用いるイオン発生手段を搭載した扇風機」を利用することができる。前記のいずれかのイオン発生手段によって発生するイオンにより，静電気を抑える効果を得ることができ，さらに空気浄化や脱臭の効果を得ることができ，さらに通気パイプのハンドル付近から人体に向けてイオンを送風できるため肌保湿効果を効果的に得ることができる。よって，掃除機をかけながら移動し続ける人体の周囲において静電気を抑える装置を提供するという課題をさらに効果的に解決することができる。
【０２７７】
請求項１１に記載の発明に係る「前記通気パイプ着脱手段と前記枠の間の着脱部位」であって，「標準規格の端子を前記着脱部位として用いる着脱部位」又は「ユニバーサルシリアルバス規格の端子を前記着脱部位として用いる着脱部位」は，前記通気パイプ着脱手段に着脱できる扇風機を他の標準規格の端子又はユニバーサルシリアルバス規格の端子に装着して使用できる効果を得ることができる。よって，掃除機につけることができる扇風機であって，掃除機を使用しないときでも利用できる扇風機を提供するという効果を安価に得ることができる。
【０２７８】
請求項１１に記載の発明に係る「前記通気パイプ着脱手段と前記枠の間の着脱部位」であって，「標準規格ではない端子を前記着脱部位として用いる着脱部位」は，前記通気パイプ着脱手段に装着できる前記枠を限定することができるため，前記通気パイプ着脱手段と前記枠との間の組み合わせにおいて「適合性チェック効果」を得ることができる。よって，ユーザが誤って重心や電源容量の適合しない組み合わせを着けてしまう危険性を排除する効果を該着脱手段においても得ることができる。
【０２７９】
請求項１１に記載の発明に係る「前記通気パイプ着脱手段と前記枠の間の着脱部位」であって，「挟持手段を用いない着脱部位」は，「挟持手段のデメリット」を除外できる効果を得ることができる。
【０２８０】
「挟持手段のデメリット」とは，挟持手段を用いて扇風機を通気パイプに着けることのデメリットであって，「着ける位置が決まっていないために，着ける位置や着ける向きが毎回変動するデメリット」，「着ける向きが傾いていると見栄えが悪くなり，工業製品としての価値が下がるデメリット」，「挟持手段を開閉させるための指圧部を手で押す必要があり，このための部品が大きくなりがちで見栄えが悪くなるデメリット」，「挟持手段で手を挟んで怪我をしやすいデメリット」，「手の力が弱い老人や子供など，一部の人が挟持手段を使えない場合があるデメリット」，「着ける向きが毎回変動することで重心の位置も変動するために，該掃除機を操作する手にＳＨＩＲストレスをかける原因になりうるデメリット」などがある。
【０２８１】
前記のいずれかの扇風機であって，「前記通気パイプ着脱手段と前記枠の間に挟持部位を有さない扇風機」は，前記「挟持手段のデメリット」を除外できる効果を得ることができる。
【０２８２】
（蓄電池）
また，前記のいずれかの扇風機において，「さらに電池又は蓄電池を備え，該電池の電力を利用して電動機を駆動させることを特徴とする扇風機」を利用することもできる。これにより，通気パイプの交換のために掃除機の電源をオフにした状態でも羽根車を駆動できる扇風機を提供できる効果を得ることができる。
【図面の簡単な説明】
【０２８３】
【図１】中空モータと通気パイプを有する扇風機の正面図（実施例１）である。
【図２】中空モータと通気パイプを有する扇風機の側面図（実施例１）である。
【図３】ハンドル側から見た扇風機と掃除機の通気パイプの関係（実施例１）である。
【図４】ゴミ吸引口側から見た扇風機と掃除機の通気パイプの関係（実施例１）である。
【図５】通気パイプを装着した扇風機（実施例１）である。
【図６】ロータがステータの外側にある中空モータと通気パイプを有する扇風機の断面図（実施例１）である。
【図７】ロータがステータの内側にある中空モータと通気パイプを有する扇風機の断面図（実施例１）である。
【図８】中空軸受と通気パイプを有する扇風機の背面図（実施例２）である。
【図９】中空軸受と通気パイプを有する扇風機の断面図（実施例２）である。
【図１０】台座に立設された支柱と支柱着脱手段を有する扇風機とキャップ（実施例３）である。
【図１１】支柱着脱手段を有する扇風機とキャップの断面図（実施例３）である。
【図１２】台座に立設された支柱を装着した扇風機（実施例３）である。
【図１３】ステップ１：キャップと扇風機の間の離脱防止機構の解除（実施例４）である。
【図１４】ステップ２：キャップと扇風機の離脱（実施例４）である。
【図１５】ステップ３：ハンドルを有する掃除機の通気パイプと扇風機の装着（実施例４）である。
【図１６】ステップ４：ハンドルを有する掃除機の通気パイプと扇風機と支柱の装着状態（実施例４）である。
【図１７】ステップ５：扇風機と支柱の間の離脱防止機構の解除（実施例４）である。
【図１８】ステップ６：扇風機と支柱の離脱（実施例４）である。
【図１９】ステップ７：扇風機と支柱の装着（実施例４）である。
【図２０】ステップ８：ハンドルを有する通気パイプと扇風機の間の離脱防止機構の解除（実施例４）である。
【図２１】ステップ９：ハンドルを有する通気パイプと扇風機の離脱（実施例４）である。
【図２２】電動機が２つで羽根車が２つの扇風機その１（実施例５）である。
【図２３】電動機が２つで羽根車が２つの扇風機その２（実施例５）である。
【図２４】電動機が２つで羽根車が２つの扇風機と支柱の着脱（実施例５）である。
【図２５】電動機が２つで羽根車が２つの扇風機の支柱への装着（実施例５）である。
【図２６】通気パイプ着脱手段を枠から離脱した状態その１（実施例６）である。
【図２７】通気パイプ着脱手段を枠から離脱した状態その２（実施例６）である。
【図２８】通気パイプ挟持手段を有する扇風機の正面図（実施例８）である。
【図２９】通気パイプ挟持手段を有する扇風機の上方面図（実施例８）である。
【図３０】通気パイプ挟持手段を有する扇風機の下方面図（実施例８）である。
【図３１】標準パイプを挟持する通気パイプ挟持手段を有する扇風機の正面図（実施例８）である。
【図３２】標準パイプを挟持する通気パイプ挟持手段を有する扇風機の上方面図（実施例８）である。
【図３３】机を挟持する通気パイプ挟持手段を有する扇風機の上方面図（実施例８）である。
【図３４】電池と電動機の間において標準パイプを挟持できることを特徴とする扇風機（実施例８）である。
【図３５】通気パイプ挟持手段を有する扇風機と，糸で吊るした標準パイプ（実施例９）である。
【図３６】通気パイプ挟持手段に標準パイプを挟持したときの重心が該標準パイプの内部空間に位置する扇風機（実施例９）である。
【図３７】通気パイプ挟持手段に標準パイプを挟持したときの重心が該標準パイプの内部空間に位置しない扇風機（実施例９）である。
【図３８】ユニバーサルシリアルバス規格の端子を有する通気パイプ（実施例１０，１１，１２）である。
【図３９】ユニバーサルシリアルバス規格のマルチポートハブに２つの扇風機を装着して作成した「受電可能な端子の先端で円柱面上に立つことができる扇風機」（実施例１３）である。
【図４０】「受電可能な端子の先端で円柱面上に立つことができる扇風機」とその重心（実施例１３）である。
【図４１】「受電可能な端子の先端で円柱面上に立つことができる扇風機」の判定方法（実施例１３）である。
【図４２】「受電可能な端子の先端で円柱面上に立つことができる扇風機」の掃除機の通気パイプへの装着（実施例１３）である。
【図４３】「受電可能な端子の先端で円柱面上に立つことができる扇風機」を装着した掃除機の通気パイプ（実施例１３）である。
【図４４】扇風機の電動機に対して電源から供給される電気を給電制御手段で制御する送風制御装置（実施例１４）である。
【図４５】時計回りに回転する羽根車と反時計回りに回転する羽根車を１つずつ有する扇風機による下降気流（実施例１５）である。
【図４６】時計回りに回転する羽根車と反時計回りに回転する羽根車を１つずつ有する扇風機による上昇気流（実施例１５）である。
【図４７】時計回りに回転する羽根車と反時計回りに回転する羽根車を２つずつ有する扇風機の正面図（実施例１５，１６）である。
【図４８】時計回りに回転する羽根車と反時計回りに回転する羽根車を２つずつ有する扇風機の上方面図（実施例１５，１６）である。
【図４９】羽根車が掃除機内で陰圧を発生させる「ハンドル付き正反回転式送風制御式送風機」を有するスティック型掃除機の分解図（実施例１５，１６）である。
【図５０】羽根車が掃除機内で陰圧を発生させる「ハンドル付き正反回転式送風制御式送風機」を有するスティック型掃除機の側面図（実施例１５，１６）である。
【図５１】羽根車が掃除機内で陰圧を発生させる「ハンドル付き正反回転式送風制御式送風機」を有するスティック型掃除機の全体図（実施例１５，１６）である。
【発明を実施するための形態】
【実施例１】
【０２８４】
（ふたつの通気パイプの間の着脱部位）
図１から５及び図１５から２３において，掃除機のハンドル側通気パイプ１２０と，掃除機のゴミ吸引口側通気パイプ１２６は，市販の三菱電機製の掃除機ＴＣ−ＦＸＢ７Ｐが有する「ふたつの通気パイプ」である。
【０２８５】
ＴＣ−ＦＸＢ７Ｐのふたつの通気パイプ（１２０と１２６）のオス開口部１２７とメス開口部１２１は，互いに開口部から約５５ミリメートルの部分において空気の漏れ出る隙間なく重なり合う形状適合部位を有しており，「ふたつの通気パイプの間の着脱部位」として，相互に着脱可能となっている。
【０２８６】
さらに，ＴＣ−ＦＸＢ７Ｐの「ふたつの通気パイプの間の着脱部位」は，次に述べる「離脱防止機構」を備えている。
【０２８７】
ＴＣ−ＦＸＢ７Ｐの通気パイプのメス開口部１２１の内側には，該メス開口部１２１から約４０ミリメートルのとこに高さ約２ミリメートルの「ツメ」を有している。また，ＴＣ−ＦＸＢ７Ｐの通気パイプのオス開口部１２７の外側には，該オス開口部１２７から約１５ミリメートルのところに深さ約２ミリメートルの「くぼみ」を有している。
【０２８８】
ＴＣ−ＦＸＢ７Ｐのふたつの通気パイプのオス開口部１２７をメス開口部１２１に完全に差込んだときに，前記ツメが前記くぼみに引っかかることで，該ふたつの通気パイプの間の離脱が防止される。
【０２８９】
前記ツメは可動部品であり，メス開口部１２１から約２０ミリメートルの位置の外側に，該可動部品の一部がボタンとして露出している。そして，該ボタンを指圧にて押すと，該ツメが引っ込むことで，離脱の防止が解除される仕組みになっている。
【０２９０】
本明細書における以下の実施例では，「ふたつの通気パイプの間の着脱部位」として，ＴＣ−ＦＸＢ７Ｐの「ふたつの通気パイプの間の着脱部位」と同じ構造の着脱部位および同じ離脱防止機構を用いている。
【０２９１】
また，本明細書における実施例では，「通気パイプ着脱手段と通気パイプの間の着脱部位」として，ＴＣ−ＦＸＢ７Ｐの「ふたつの通気パイプの間の着脱部位」と同じ構造の着脱部位および同じ離脱防止機構を用いている。
【０２９２】
このため，本明細書の実施例においては，該ボタン等の形状が図面に明記されていない場合であっても，通気パイプを用いる着脱部位では，常に，前記離脱防止機構が自動的に働き，離脱が防止されている。また，該離脱防止機構は，メス開口部の付近にあるボタンを押しながら引抜くことで，容易に離脱させることができる。
【０２９３】
（掃除機につける扇風機：中空モータ）
図１，２は「中空モータを用いた扇風機であって，通気パイプ着脱手段に通気パイプを有する扇風機」として実装された扇風機１００の正面図と側面図である。扇風機１００は通気パイプ着脱手段１０１を有する。通気パイプ着脱手段１０１は，掃除機稼働時に陰圧の空気が存在する空間を大気圧の空気が存在する空間から仕切る筒状の壁を有した筒状体の形状をしており，オス開口部１０２とメス開口部１０３の２つの開口部を該筒状体の両側に有しており，該筒状体が通気パイプとなっている。また，該２つの開口部の間の距離は３０センチメートル以下である。
【０２９４】
図３，４に示すように，扇風機１００の通気パイプ着脱手段１０１は，掃除機のハンドル側通気パイプ１２０のメス開口部１２１に通気パイプ着脱手段１０１のオス開口部１０２を差込むことで，掃除機の通気パイプ１２０のメス開口部１２１を装着することができ，また，掃除機の通気パイプ１２０のメス開口部１２１の付近にあるボタンを押して離脱防止機構を解除しながら引抜くことで離脱でき，よって，着脱を繰り返すことができる。
【０２９５】
扇風機１００の通気パイプ着脱手段１０１は，掃除機のゴミ吸引口側通気パイプ１２６のオス開口部１２７を通気パイプ着脱手段１０１のメス開口部１０３に差込むことで，掃除機の通気パイプ１２６のオス開口部１２７を装着することができ，また，通気パイプ着脱手段１０１のメス開口部１０３の付近にあるボタン１０６を押して離脱防止機構を解除しながら引抜くことで離脱でき，よって，着脱を繰り返すことができる。
【０２９６】
オス開口部１０２をメス開口部１２１に装着し，同時に，メス開口部１０３をオス開口部１２７に装着することで，扇風機１００を掃除機の前記２つの通気パイプの間に挿入することができる。また，ハンドル側通気パイプ１２０の本体側部分１２５は別の通気パイプを介して該掃除機の本体へと装着されており，掃除機稼働時に扇風機１００を装着した状態で掃除機を使用することができる。
【０２９７】
図５に示すように，扇風機１００を掃除機の前記２つの通気パイプの間に挿入することで，扇風機１００を掃除機の通気パイプのハンドル１２４と掃除機のゴミ吸引口にあるヘッド１３７の間に装着することができる。この装着において，前記２つの通気パイプは直線状に配置されており，ハンドル１２４とヘッド１３７をつなぐ通気パイプの中心軸をロール回転軸１４０とする。また，これと垂直である，ヨー回転軸１４１と，ピッチ回転軸１４２を以下の説明に用いる。
【０２９８】
このとき，オス開口部１０２の電極１０７は，メス開口部１２１の電極１２２と接触し，また，メス開口部１０３の電極１３６はオス開口部１２７の電極１２８と接触し，また，電極１０７と電極１３６は相互に電気伝導体で接続された「電気伝導手段」であるため，電極１２２と電極１２８は電気伝導体で接続され，掃除機稼働時において，絶縁することなく，通電した状態で使用することができる。
【０２９９】
上記の装着を離脱させたい場合は，オス開口部１０２からメス開口部１２１を離脱させ，メス開口部１０３からオス開口部１２７を離脱させ，オス開口部１２７をメス開口部１２１に装着することで， 扇風機１００を掃除機に装着しない状態で該掃除機を使用することができる。
【０３００】
扇風機１００は，請求項５から９に記載の枠として，内側固定枠１１５と外側固定枠１１６とヨー回転可動部１１７とピッチ回転可動部１１８からなる枠を有し，該枠は，中空モータ１０９を支持し，通気パイプ着脱手段１０１に支持される。
【０３０１】
内側固定枠１１５はヨー回転可動部１１７を介して通気パイプ着脱手段１０１に支持される。ヨー回転可動部は回転できる軸（ヨー回転軸）と軸受を有しており，内側固定枠１１５が通気パイプ着脱手段１０１とぶつからない範囲で，扇風機１００の向きをヨー回転軸のまわりに回転させることができる。
【０３０２】
内側固定枠１１５はピッチ回転可動部１１８を介して外側固定枠１１６を支持しつつ，外側固定枠１１６を介して中空モータ１０９を支持する。ピッチ回転可動部は回転できる軸（ピッチ回転軸）と軸受を有しており，外側固定枠１１６が通気パイプ着脱手段１０１とぶつからない範囲で，扇風機１００の向きをピッチ回転軸のまわりに回転させることができる。
【０３０３】
扇風機１００は，中空モータ１０９を有し，中空モータ１０９の内側中空部に通気パイプ着脱手段１０１を通過させている。また，中空モータ１０９のステータ１１３は，外側固定枠１１６とピッチ回転可動部１１８と内側固定枠１１５とヨー回転可動部１１７を介して，通気パイプ着脱手段１０１に支持されている。また，扇風機１００は中空モータ１０９のロータ１１２に固定された羽根車１１０を有し，羽根車１１０は中空モータの内側中空部を内包する中空部を有する。また，電気コード１０８は，通気パイプ着脱手段１０１内で電極１０７に電気的に接続され，ヨー回転可動部１１７の内側を通り，さらに，内側固定枠１１５の表面を通り，さらに，ピッチ回転可動部１１８の内側を通り，さらに，外側固定枠１１６を通って，中空モータ１０９に電気的に接続される。これにより，扇風機１００は，上記の電気伝導手段を経由して供給される電気を利用して，中空モータ１０９のロータ１１２を回転させ，羽根車１１０を回転させることにより，送風することができる。さらに，扇風機１００は回転する羽根車１１０が人の手にぶつからないようにするためのファンガード１１１を有する。
【０３０４】
扇風機１００は，図１の正面図に示されるように，通気パイプ着脱手段１０１を中心として，これを取り囲むようにほぼ円形に配置されており，扇風機１００の重心がほぼ通気パイプ着脱手段１０１の内部空間（掃除機を稼働させた時に陰圧の空気が存在する空間）にあり，重心が軸近傍空間に位置している。
【０３０５】
この形状を基本としつつ，ここから，重心が大きく変わらないように配慮しながら，他の部品を設置することは可能である。例えば，中空モータの回転速度を調整するための電気回路を通気パイプ着脱手段１０１の表面付近に設置することもできる。
【０３０６】
図６は，中空モータ１０９において，ロータ１１２がステータ１１３の外側にある場合の実施例である。また，図７は 中空モータ１０９において，ロータ１１２がステータ１１３の内側にある場合の実施例である。いずれにおいても，ステータ１１３は通気パイプ着脱手段１０１が支持する枠（内側固定枠１１５と外側固定枠１１６とヨー回転可動部１１７とピッチ回転可動部１１８からなる枠）によって支持されており，ロータ１１２が回転することにより，ロータ１１２に支持された羽根車１１０を回転させて送風することができる。また，この実施例は，ボールベアリング１１４による中空軸受を有している。また，羽根車１１０はロータ１１２と一体型の羽根車であって中空部を有し，通気パイプ着脱手段１０１を該中空部に通過させた状態で，回転して送風することができる。ただし，軸受はボールベアリングに限定されず，スリーブベアリング，スフェリカルベアリング，ローラーベアリング，流体軸受，磁気浮上型軸受，など公知のあらゆる軸受技術を用いることができる。
【０３０７】
上記の実施例における中空モータとして，中空のロータと，中空のステータを有し，該ロータと該ステータに磁力を発生させて，該ロータを回転させる中空モータを好適に用いることができる。
【０３０８】
図１から７に記載の「中空モータを用いた扇風機であって，通気パイプ着脱手段に通気パイプを有する扇風機」において，通気パイプを有する通気パイプ着脱手段１０１の直径は２センチメートル以上であり，かつ，５センチメートル以下である。また，中空モータ１０９の内側中空部の直径は，通気パイプ着脱手段１０１の直径以上であり，かつ，１２センチメートル以下である。また，扇風機１００の大きさの特徴として，ファンガード１１１は直径４０センチメートル以下であり，さらに，直径３０センチメートル以下にすることによって，よりコンパクトな扇風機を提供することができる。
【実施例２】
【０３０９】
（掃除機につける扇風機：非中空モータ）
別の実施例としては，図８と図９に「非中空モータを用いた扇風機であって，中空軸受と通気パイプを有する扇風機」の実施例を示す。モータ１３１が有するロータの回転中心は回転軸１３２に一致しており，回転軸１３２は，中空軸受の内側中空部１３０の外にある。モータ１３１の回転力は，回転軸１３２に着けられたピニオンギア１３３を経由して羽根車１１０に伝達され，羽根車１１０は通気パイプ着脱手段１０１の周囲を回転する。羽根車１１０は，ボールベアリング１１４による中空軸受を用いて支持されている。羽根車１１０は中空部を有しており，通気パイプ着脱手段１０１を該中空部内に通過させている。モータ１３１は電気コード１０８を経由して電極１０７から供給される電気を利用して回転する。また，電気コード１０８は充電池ボックス１３５に格納された充電池にも接続されることで該充電池を充電することもできる。電極１０７からの電気の供給がない場合は，該充電池からの電気でモータ１３１を回転させることもできる。
【０３１０】
図８に示した「非中空モータを用いた扇風機であって，中空軸受と通気パイプを有する扇風機」は，通気パイプ着脱手段１０１を中心として，これを取り囲むようにほぼ円形に配置されている。また，モータ１３１と充電池ボックス１３５が通気パイプ着脱手段１０１を挟んで反対に位置することで重心が偏らないように配慮して配置されており，当業者であれば重心が偏らないように充電池ボックス１３５の位置をファンガード１１１の上で調整することは容易である。このため，該扇風機の重心がほぼ通気パイプの内部空間（掃除機を稼働させた時に陰圧の空気が存在する空間）にあり，該扇風機の重心が軸近傍空間に位置している。
【０３１１】
以上の実施例は，掃除機をかけながら移動し続ける人体を恒常的に冷却する装置である。また，掃除機のゴミ吸引口から吸入していない衛生的な空気を人体に向けて送風する装置である。また，重心が通気パイプの軸近傍空間に位置することから，掃除機に扇風機を着けても，手にかかる負担を増加させにくい扇風機および該扇風機を搭載した掃除機である。また，装着可能な通気パイプの掃除機が限定されることから，安全面でメーカが許容できる組み合わせのみに限定して着けることを可能とし，ユーザが誤って重心や電源容量の適合しない組み合わせを着けてしまう危険性を排除できている。
【実施例３】
【０３１２】
（据置型扇風機）
図１０から１２は，台座２０１に立設された支柱２００と，扇風機１００と，キャップ２０６の装着によって構成される据置型扇風機である。
【０３１３】
扇風機１００の通気パイプ着脱手段１０１の内側は，支柱着脱手段２０９を兼ねているため，支柱着脱手段２０９は内側固定枠１１５を支持している。また，支柱着脱手段２０９は，支柱２００の先端にある支柱の着脱部位２０４と着脱できる形状適合部位を有する。支柱着脱手段２０９は，支柱２００を装着することで，内側固定枠１１５の位置を台座２０１上に保ち，さらに，外側固定枠１１６を介して中空モータ１０９の位置を台座上に保っている。
【０３１４】
支柱２００は，支柱の長さを伸縮できる伸縮可変部２０２と，支柱の先端の角度を変えることができる角度可変部２０３と，支柱着脱部位２０４と，支柱のメス電極２０５を有している。
【０３１５】
支柱着脱手段２０９に支柱２００の着脱部位２０４を装着し，さらにキャップ２０６を通気パイプ着脱手段１０１のオス開口部１０２に装着することができる。
【０３１６】
キャップ２０６を装着することで，支柱のメス電極２０５は，キャップ２０６の内側にあるキャップのオス電極２０７と接触し，また，キャップ２０６のメス電極２０８は，扇風機が有する通気パイプ着脱手段のオス開口部１０２の電極１０７と接触する。キャップ２０６のオス電極２０７とメス電極２０８は，電気伝導体にて接続されているため，キャップ２０６を装着することで，支柱のメス電極２０５と扇風機の電極１０７が電気的に接続され，支柱２００の中にある電気伝導体から電極２０５を介して，扇風機１００に電力を供給することができる。
【０３１７】
キャップを装着しない状態では，扇風機が有する通気パイプのオス開口部１０２の電極１０７は外部に露出しており，手で触ることができるが，通電状態ではないので，感電することはなく，安全である。このように，キャップ２０６は，安全装置としての役割を担っている。さらに，キャップ２０６は扇風機への通電をオンオフできるスイッチも表面に備えることで，人が手で操作しやすい高さにスイッチを配置できる。
【０３１８】
また，別の実装方法として，キャップ２０６を介さずに電力を支柱２００から扇風機１００に供給する場合は，電極１３６と直接接触できる電極を支柱２００の着脱部位２０４の付近に設置してもよい。また，別の実装方法としては，外側固定枠１１６に支柱着脱手段を直接設けてもよい。通気パイプ着脱手段と支柱着脱手段は別々の部品として実装してもよい。また，上記の実施例のように通気パイプ着脱手段と支柱着脱手段を兼ねた同じ部品として実装してもよい。通気パイプ着脱手段と枠を同じ部品で実装してもよいし，別の部品で実装してもよい。また，支柱着脱手段と枠を同じ部品で実装してもよいし，別の部品で実装してもよい。
【０３１９】
支柱２００には，深さ約２ミリメートルのくぼみ２１０があり，支柱装着手段２０９に装着したときに，通気パイプ装着手段１０１のメス開口部１０３の内側にある離脱防止機構のツメが，くぼみ２１０に引っかかるようになっている。支柱着脱手段２０９から支柱２００を離脱させたいときは，メス開口部１０３の付近の表面にあるボタン１０６を押すことで，該離脱防止機構を解除することができる。
【０３２０】
また，キャップ２０６の開口部の内側にも離脱防止機構のツメがあり，通気パイプ着脱手段のオス開口部１０２に装着した際に，オス開口部１０２の表面にあるくぼみ２１１に該ツメが引っかかるようになっている。このオス開口部１０２からキャップ２０６を離脱させたいときは，キャップ２０６の開口部の付近にあるボタン２１２を押すことで，離脱防止機構を解除することができる。
【０３２１】
上記の離脱防止機構は，ＴＣ−ＦＸＢ７Ｐの離脱防止機構と同じ仕組みを利用しており，この離脱防止機構により，据置型扇風機が意図しない離脱を起こさないようになっている。
【実施例４】
【０３２２】
（扇風機の着け替え）
図１３から１８は，図１２の据置型扇風機の状態から，該扇風機を掃除機に装着するまでのステップを細かく説明したものである。ステップ１からステップ４では，扇風機１００が支柱２００を装着した状態にある。ステップ４からステップ６では，扇風機１００が通気パイプ１２０を装着した状態にある。
【０３２３】
ステップ１（図１３）：キャップ２０６のボタン２１２を矢印３００の方向に押すことで，離脱防止機構が解除され，キャップ２０６を矢印３０１の方向に離脱させることが可能になる。
【０３２４】
ステップ２（図１４）：キャップ２０６を矢印３０２の方向に引抜くことで，キャップ２０６を扇風機から完全に離脱させ，通気パイプ着脱部位１０１のオス開口部１０２を露出させる。
【０３２５】
ステップ３（図１５）：掃除機のハンドル側通気パイプ１２０のハンドル１２４を手で持ち，矢印３０３の方向に動かして，メス開口部１２１に通気パイプ着脱部位１０１のオス開口部１０２を差込んで装着する。
【０３２６】
ステップ４（図１６）：扇風機１００は掃除機のハンドル側通気パイプ１２０を装着し，かつ，支柱２００を装着した状態を得る。
【０３２７】
ステップ５（図１７）：通気パイプ着脱手段１０１のメス開口部１０３の付近にあるボタン１０６を矢印３０４の方向に押すことで，離脱防止機構が解除され，扇風機１００を矢印３０５の方向に離脱させることが可能となる
【０３２８】
ステップ６（図１８）：ハンドル１２４を手に持った状態で，矢印３０６の方向に引抜くことで，扇風機１００から支柱２００を完全に離脱させる。
【０３２９】
図１９から２１は，掃除機の通気パイプに装着された扇風機の状態から，据置型扇風機の状態に戻すまでのステップを細かく説明したものである。ステップ７からステップ８では，扇風機１００が通気パイプ１２０を装着した状態にある。ステップ８からステップ９では，扇風機１００が支柱２００を装着した状態にある。
【０３３０】
ステップ７（図１９）：掃除機のハンドル側通気パイプ１２０のハンドル１２４を手で持ち，矢印３０７の方向に動かして，扇風機１００の通気パイプ装着手段１０１のメス開口部１０３に支柱２００の着脱部位２０４を差込むことで，通気パイプ着脱部位１０１の内側にある支柱着脱手段２０９に支柱２００を装着する。
【０３３１】
ステップ８（図２０）：掃除機のハンドル側通気パイプ１２０のメス開口部１２１の付近にあるボタンを矢印３０８の方向に押すことで，離脱防止機構が解除され，通気パイプ１２０を矢印３０９の方向に離脱させることが可能となる。
【０３３２】
ステップ９（図２１）：掃除機のハンドル側通気パイプ１２０のハンドル１２４を手に持った状態で，矢印３１０の方向に引抜くことで，扇風機１００から掃除機のハンドル側通気パイプ１２０を完全に離脱させる。
【０３３３】
以上のように，扇風機１００に支柱２００を装着した状態で，ステップ３では通気パイプ１２０を装着でき，またステップ９では通気パイプ１２０を離脱でき，よって，扇風機１００に支柱２００を装着した状態で通気パイプ１２０を着脱できる。
【０３３４】
また，扇風機１００に通気パイプ１２０を装着した状態で，ステップ７では支柱２００を装着でき，またステップ６では支柱２００を離脱でき，よって，扇風機１００に通気パイプ１２０を装着した状態で 支柱２００を着脱できる。
【０３３５】
以上は，請求項７に記載の扇風機と，請求項１５から１６に記載の方法の実施例である。
【０３３６】
以上の実施例は，掃除機につけることができる扇風機であって，掃除機を使用しないときでも利用できる扇風機である。また，知識のない人であっても，掃除機に正しく着けることができる「専用の扇風機」であり，掃除機に扇風機を確実に着けて落下を防ぐことができ，かつ，外すときは簡単に外すことができる「離脱防止機構」を有する扇風機である。また，一般の人が着け外しを繰り返しても，毎回正しく着けることが簡単にできるように，専用にデザインされた「掃除機につける扇風機」である。また，据置型扇風機を簡単な操作で掃除機に着けることができ，着ける作業中に誤って扇風機を落下させることなく，かつ，扇風機のファンガード１１１に触れることなく，掃除機のハンドル１２４を握った状態で安全かつ確実に着けることができ，さらに，掃除機から扇風機を外して据置型扇風機に戻す際にも同様の安全性を確保できる扇風機である。また，掃除機に扇風機を着けても，手にかかる負担を増加させにくい扇風機および該扇風機を搭載した掃除機である。また，扇風機と掃除機を別々の製品として提供してきた家電メーカにとって，新たな「扇風機付き掃除機」の事業を展開できるようにすることで，扇風機事業と掃除機事業の相乗効果を生み出せる製品を提供することができる。そして，以上の扇風機を掃除機とセットにして販売することで，ユーザに対して，扇風機が搭載された掃除機として一括購入できる製品を提供することができる。
【実施例５】
【０３３７】
（電動機が２以上ある扇風機）
図２２から２５は，電動機が複数ある扇風機の実施例である。羽根車を駆動するモータを支持する外側固定枠１５２は，ファンガードを兼ねた構造をしており，ピッチ回転可動部１５５を介して，中側固定枠１５１によって支持されている。中側固定枠１５１はヨー回転軸１５４によって支持されており，ここまでを「単扇風機」とよぶ。すなわち，単扇風機は，羽根車と，電動機と，外側固定枠と，ピッチ回転可動部と，中側固定枠と，ヨー回転可動部から構成されている。
【０３３８】
単扇風機はヨー回転可動部において，ロール回転可動部１５３に支持されており，ロール回転可動部は内側固定枠１５０によって支持されている。内側回転枠１５０は，通気パイプ着脱手段１０１によって支持されている。通気パイプ着脱手段１０１は２つの開口部において，掃除機の通気パイプの開口部と着脱できる。
【０３３９】
単扇風機が２以上のＮ個ある場合は，ロール回転可動部の回転軸，すなわち，通気パイプの中心軸，において，３６０÷Ｎ度ごとに単扇風機を１個ずつ配置することで，扇風機全体の重心を通気パイプの軸近傍空間に位置させることができる。すなわち，Ｎが２の場合は１８０度ごと，Ｎが３の場合は１２０度ごと，Ｎが４の場合は９０度ごとに配置する。
【０３４０】
図２２から２５は，Ｎが２の場合の実施例である。また，図４７と４８はＮが４の場合の実施例である。すべての単扇風機は，通気パイプ着脱手段１０１に装着される通気パイプによって支持されており，重心は通気パイプ着脱手段１０１の軸近傍空間に位置している。
【０３４１】
図２２，２３に示すように，ロール回転可動部において，単扇風機の位置を回転させることができる。また，ヨー回転可動部とピッチ回転可動部において，単扇風機の向きを変えることができる。
【０３４２】
図２４に示すように，通気パイプ着脱手段１０１の内側は支柱着脱手段２０９を備えており，支柱２００を着脱することができる。
【０３４３】
図２５は，支柱２００とキャップ２０６を装着した扇風機である。支柱２００は台座２０１によって立設され，据置型扇風機として使用できる。２つの単扇風機はロール回転可動部１５３にて回転させることができ，図２５に示すように上下に配置させることで，横幅をとらない据置型扇風機となる。このため，洗面所や台所など，狭いところでの使用に適した形態になっている。また，キャップ２０６には，扇風機のスイッチがあり，手に届きやすい高い位置にスイッチがあるため，スイッチのオンオフのために台座まで手を伸ばしてかがみ込む姿勢をとる必要はない。
【０３４４】
なお，Ｎが１のときは，図１のように，中空構造を有する扇風機とするか，又は，Ｎが２の実施例（図２２から２５）に図示されている扇風機において，一方の単扇風機を「重り」に変えることで，重心バランスを保ったまま，Ｎが１の扇風機を得ることもできる。
なお，Ｎが２のときは，図２３に示すように，通気パイプの上下の空間に扇風機がないスペースができるため，ソファーの下などの狭い空間に通気パイプを入れて掃除する際に，扇風機が邪魔にならないという効果を特別に得ることができる。
【実施例６】
【０３４５】
（扇風機と着脱できる通気パイプ着脱手段）
図２６，２７は，通気パイプ着脱手段と枠の間に着脱手段を有し，該通気パイプ着脱手段を該枠に着脱できる扇風機１９０の実施例である。
【０３４６】
通気パイプ着脱手段１８０は，標準規格ではない着脱部位１８１と１８２を有しており，扇風機１９０の着脱部位１８３と１８４に差込むことで装着することができる。
【０３４７】
また，通気パイプ着脱手段１８０は，電極１８５を有しており，着脱部位１８３を着脱部位１８１の奥まで完全に差込んだときに，電極１８５は扇風機１９０の着脱部位１８３にある電極と接触する。また，電極１８５は電極１８６と電気的に接続されている。これにより，通気パイプ１８０を介して，掃除機の通気パイプの電極から扇風機１９０に給電することができる。
【０３４８】
図２６，２７の通気パイプ着脱手段１８０は，三菱電機製の掃除機ＴＣ−ＦＸＢ７Ｐの通気パイプの開口部と着脱できる構造をしている。この通気パイプ着脱手段１８０を他の掃除機の通気パイプの開口部と着脱できるものに代えれば，扇風機１９０を他の掃除機の通気パイプに装着できるようになる。また，掃除機のそれぞれの種類に応じて，扇風機１９０の重心の位置を各掃除機の通気パイプに対して相対的に調整したい場合は，通気パイプ着脱手段１８０の構造を各掃除機の通気パイプに合わせて調整することで前記重心の位置を調整しつつ，さらに，通気パイプ着脱手段１８０の開口部の形状を各掃除機の通気パイプの開口部の形状に適合させることで，前記重心の位置を各掃除機の通気パイプに合わせた通気パイプ着脱手段１８０を提供することができる。
【０３４９】
よって，扇風機１９０と着脱できる通気パイプ着脱手段１８０を利用することによって，扇風機のメーカに対しては，製造コストを下げることができる扇風機を提供することができる。また，扇風機のユーザに対しては購入コストを下げることができる扇風機を提供することができる。
【０３５０】
以上の発明は，掃除機ＴＣ−ＦＸＢ７Ｐに適用が限定されるものではなく，市販のあらゆる掃除機に適用可能である。
【０３５１】
なお，図１から図２７において，掃除機ＴＣ−ＦＸＢ７Ｐが有する「ふたつの通気パイプ」である掃除機のハンドル側通気パイプ１２０と掃除機のゴミ吸引口側通気パイプ１２６は，図面上で構造が見やすいように，ハンドルの一部や通気パイプの一部等を省略して描いてある。
【０３５２】
また，以上の発明により，前記のいずれかの扇風機であって，「掃除機の通気パイプを装着した状態で使用できることを特徴とする扇風機」，「掃除機の通気パイプを装着した状態で使用することを特徴とする扇風機」，「掃除機の通気パイプを支持する手にかかる負担を軽減する目的で使用できることを特徴とする扇風機」を提供することができる。
【実施例７】
【０３５３】
（ＳＨＩＲストレスの発見，および，ＳＨＩＲストレス解消方法の発見）
扇風機を通気パイプに着けたときに手首にかかる負担の原因を調査し，かつ，該負担の解消方法を発見する目的で以下の実験を行った。
【０３５４】
該実験に使用した掃除機は，三菱電機製の掃除機ＴＣ−ＦＸＢ７Ｐである。該掃除機のヘッドにあるパワーブラシの回転体を取り外し，木製のフローリング材を敷き詰めた床面に該ヘッドを接触させた状態で，該掃除機のハンドルを手で支持することにより，該掃除機の通気パイプと前記床面の角度を４５度に保ちながら以下の実験を行った。
【０３５５】
該実験に使用した扇風機は，ＲＥＭＡＸ社製のＦ２ｍｉｎｉｆａｎである。該扇風機の重量は２８４グラムであった。該扇風機を，前記ハンドルの位置から前記ヘッド方向に向かって１５０ミリメートルの位置にある通気パイプの表面に固定した。
【０３５６】
前記固定によって，該通気パイプの中心軸から８５ミリメートル離れた位置に該扇風機の重心が位置することを確認した。
【０３５７】
そして，前記固定において，前記重心の位置を，ロール回転角で４５度の位置においた条件を実験条件４００とし，また，ロール回転角で１８０度の位置においた条件を実験条件４０１とした。
【０３５８】
ただし，ロール回転角とは，図５のロール回転軸１４０における角度であり，ハンドル１２４を基準にした角度である（すなわち，図５において，ハンドル１２４と同じ方向に描かれているヨー回転軸１４１は，ロール回転角で０度の方向に描かれており，ピッチ回転軸１４２はロール回転角で９０度の方向に描かれている）。
【０３５９】
また，実験条件４００において，さらに，２８４グラムの重りをロール回転角で２２５度の位置に追加した条件を実験条件４０２とした。
【０３６０】
すなわち，実験条件４００は，「２８４グラムの物体の重心を，通気パイプの中心から８５ミリメートルの距離で，通気パイプのハンドルからロール回転角４５度の方向の位置においた実験条件」である。
【０３６１】
また，実験条件４０１は，「２８４グラムの物体の重心を，通気パイプの中心から８５ミリメートルの距離で，通気パイプのハンドルからロール回転角１８０度の方向の位置においた実験条件」である。
【０３６２】
また，実験条件４０２は，「５６８グラムの物体の重心を，通気パイプの中心軸上の位置においた実験条件」である。
【０３６３】
実験条件４００において，前記通気パイプの前記ヘッドを床面に接触させ，該ヘッドを床面に滑走させない状態で，前記ハンドルを真上の方向に向けて支持したときは，前記通気パイプが自然にロール回転する現象は観測されなかった。すなわち，前記ヘッドを床面に滑走させないときは，前記ハンドルを支持する手の手首をロール回転方向に回転させるトルクは発生しなかった。
【０３６４】
次に，実験条件４００において，前記通気パイプと前記床面の角度を４５度に保ちながら，前記ハンドルを手で前方に押し出すことにより，前記ヘッドを５０センチ以上前方に滑走させたところ，前記通気パイプがロール回転方向に８０度以上回転する現象が観測された。
【０３６５】
実験条件４００において，前記「５０センチ前方滑走の試行」を１０回繰り返し，前記通気パイプのロール回転方向の回転角を測定したところ，１回目は９１度，２回目は９５度，３回目は９３度，４回目は８９度，５回目は９７度，６回目は９１度，７回目は９２度，８回目は９６度，９回目は８７度，１０回目は９４度であり，平均は９２．５度であった。
【０３６６】
すなわち，実験条件４００において，前記ヘッドを滑走させないときは発生しない回転運動が，前記ヘッドの滑走に誘発されて毎回発生していることが観測された。
【０３６７】
また，実験条件４００において，前記滑走を繰り返すためには，該回転運動により回転した前記通気パイプの向きを元の角度（前記ハンドルが真上に向く方向）に戻すために，該回転運動とは反対の方向に前記ハンドルを手でひねり戻す動作を毎回行う必要があった。このひねり戻す動作において，（１）前記ヘッドが前記床面に接触しているために摩擦によって生じる抵抗力と，（２）前記扇風機の重心の位置を元の高さに引き上げる際に重力によって生じる抵抗力の，２つの抵抗力を受けるため，手首に大きなストレスがかかることが分かった。
【０３６８】
すなわち，実験条件４００において，ユーザは，「ハンドルを押し出す動作」と「ハンドルをひねり戻す動作」の２種類の動作を毎回繰り返していることが観測され，この「ハンドルをひねり戻す動作」のストレスが手首にかかる大きな負担の原因となっていることが分かった。
【０３６９】
以上の実験によって発見された手首にかかる前記ストレスを，本明細書では，「ヘッド滑走誘発性ロール回転ストレス」と命名し，英語名としては「Ｓｌｉｄｉｎｇ―Ｈｅａｄ―Ｉｎｄｕｃｅｄ  Ｒｏｌｌｉｎｇ  Ｓｔｒｅｓｓ」と命名し，この英語名の頭文字をとって，本明細書では，「ＳＨＩＲＳ」又は「ＳＨＩＲストレス」とよぶ。
【０３７０】
ＳＨＩＲＳは，ヘッドと床面の間の接触によって発生することを特徴とするストレスであって，手持ち式の扇風機（例として「ドライヤー」など）の通常の手持ち動作では発生することはない。ＳＨＩＲＳは，扇風機を掃除機の通気パイプに着けてヘッドの滑走運動を繰り返す際に現れるストレスであって，掃除機の使用における動作に特有のストレスである。
【０３７１】
ＳＨＩＲＳは，ヘッドを滑走させなければ現れないストレスである。また，ＳＨＩＲＳは，扇風機を装着した時点では現れず，ヘッドを滑走させることで現れるストレスであるため，ユーザはこのストレスに気づきにくいという特徴がある。ユーザは，ＳＨＩＲＳに気づかないまま，ヘッドの滑走を繰り返すことで，手首に毎回ストレスをかけ続けることになるため，ＳＨＩＲＳは大変危険なストレスであるといえる。
【０３７２】
次に，実験条件４０１において，前記「５０センチ前方滑走の試行」を１０回繰り返し，前記通気パイプのロール回転方向の回転角を測定したところ，１回目は３度，２回目は―２度，３回目は―５度，４回目は２度，５回目は―７度，６回目は４度，７回目は１度，８回目は５度，９回目は２度，１０回目は―４度であり，平均は，―０．１度であった。
【０３７３】
よって，前記滑走を繰り返す際に「ハンドルをひねり戻す動作」はほとんど発生せず，実験条件４０１では，ＳＨＩＲストレスはほとんど発生しないことが分かった。これにより，「掃除機に着けた扇風機の重心と通気パイプのハンドルの間のロール回転角がＳＨＩＲＳの発生に影響する」という新規の知見を得ることができた。
【０３７４】
次に，実験条件４０２において，前記「５０センチ前方滑走の試行」を１０回繰り返し，前記通気パイプのロール回転方向の回転角を測定したところ，１回目は―５度，２回目は８度，３回目は―１２度，４回目は７度，５回目は８度，６回目は−１度，７回目は１１度，８回目は９度，９回目は−１０度，１０回目は１２度であり，平均は，―２．７度であった。
【０３７５】
よって，前記滑走を繰り返す際に「ハンドルをひねり戻す動作」はほとんど発生せず，実験条件４０２では，ＳＨＩＲストレスはほとんど発生しないことが分かった。
【０３７６】
また，被験者５人に，実験条件４００と，実験条件４０２のそれぞれで，前記「５０センチ前方滑走の試行」を５０回繰り返してもらった後に，手首の疲労度について聞き取り調査を行ったところ，全員が実験条件４０２よりも実験条件４００の方により大きな疲労を感じたと回答した。
【０３７７】
このことは，実験条件４０２では扇風機の重量が２倍になっているにも関わらず，該扇風機の重心の位置を通気パイプの中心軸上に位置させることにより，疲労度は実験条件４００よりも大きく軽減されることを示唆するものである。
【０３７８】
以上の実験から，ＳＨＩＲストレスの解消方法として，「扇風機全体の重心の位置をハンドルからロール回転角１８０度の方向に位置させる方法」と，「重りを用いて扇風機全体の重心の位置を通気パイプの中心軸付近に位置させる方法」の２つの方法が有効であるという新規の知見が得られた。
【０３７９】
また，「掃除機に着けた扇風機の重心と通気パイプのハンドルの間のロール回転角がＳＨＩＲＳの発生に影響する」という知見から，「重心が通気パイプの中心軸付近に位置しない扇風機を着けるときは，該扇風機と該通気パイプの向きを正しく着ける必要がある」という別の新規な知見も得られた。
【０３８０】
なお，前記ＳＨＩＲストレスの発見は未発表であり，本明細書にて初めて開示されるものである。また，前記ＳＨＩＲストレスの解消方法も本明細書にて初めて開示されるものである。
【実施例８】
【０３８１】
（通気パイプを挟持できる扇風機）
図２８から３０に記載の扇風機５００は，「通気パイプを挟持できる扇風機」ではあるが，通気パイプの開口部を着脱できる通気パイプ着脱手段を有していない。よって，扇風機５００は請求項１に記載の発明に係る扇風機ではない。
【０３８２】
挟持手段を使用して扇風機を掃除機へ着ける場合は，前記の「挟持手段のデメリット」がある。このデメリットの一つとして，挟持手段では「着ける向きが毎回変動することで重心の位置も変動するために，該掃除機を操作する手にＳＨＩＲストレスをかける原因になりうるデメリット」がある。このデメリットを解消することを，実施例８において解決すべき課題とし，以下の発明を開示する。
【０３８３】
前記「実施例８において解決すべき課題」を解決するにあたり，実施例７で開示された前記ＳＨＩＲストレスの解消方法を利用した扇風機を利用することができる。すなわち，実施例８において解決すべき課題を解決するための手段としては，「通気パイプ挟持手段を有する扇風機であって，前記通気パイプ挟持手段に１以上の通気パイプを挟持できることを特徴とする扇風機であって，前記通気パイプ挟持手段に標準パイプを挟持したときの重心が前記標準パイプの内部空間に位置するように前記標準パイプを挟持できることを特徴とする扇風機」を利用することができる（以下，これを「挟持する標準パイプの内部空間に重心が位置する扇風機」とよぶ）。
【０３８４】
前記「通気パイプ挟持手段」としては，「開口部の直径が３０ミリメートル以上かつ５０ミリメートル以下である通気パイプを挟持できる手段」であれば，いかなる手段を用いてもよい。
【０３８５】
前記「標準パイプ」としては，「開口部の直径が４５ミリメートルであって長さが２００ミリメートルであって壁の厚さが１ミリメートル以上かつ３ミリメートル以下であるプラスチック製の円筒」である。ただし，実施例９に示すように，前記「標準パイプ」を糸で吊るすための突起が複数あってもよい。また，前記標準パイプの「長さ」は，該標準パイプの２つの開口部の間の距離に等しい。
【０３８６】
前記「挟持する標準パイプの内部空間に重心が位置する扇風機」の通気パイプ挟持手段が掃除機の通気パイプを挟持することにより，該扇風機の重心が該通気パイプの中心軸付近に位置する効果を得ることができる。よって，掃除機をかけながら移動し続ける人体を恒常的に冷却する装置を提供するという課題を解決することができ，また，前記ＳＨＩＲストレスを発生させない扇風機を提供するという課題を解決することができる。ただし，「中心軸付近」とは，中心軸からの距離が２２．５ミリメートル以下の空間である。
【０３８７】
前記「実施例８において解決すべき課題」を解決するための別の手段としては，前記「挟持する標準パイプの内部空間に重心が位置する扇風機」であって，「羽根車と，前記羽根車を駆動する電動機と，前記電動機を支持する枠と，前記枠を支持又は挟持手段とする前記通気パイプ挟持手段を有する扇風機」である。
【０３８８】
「前記枠を支持又は挟持手段とする前記通気パイプ挟持手段」は，「前記枠を支持する前記通気パイプ挟持手段」又は「前記枠を挟持手段とする前記通気パイプ挟持手段」である。「前記枠を支持する前記通気パイプ挟持手段」とは，「前記通気パイプ挟持手段が前記枠を支持している」ということである。「前記枠を挟持手段とする前記通気パイプ挟持手段」とは，「前記枠そのものが，枠であって，かつ，前記通気パイプ挟持手段でもある」ということである。
【０３８９】
前記「枠」は，前記電動機が前記枠からこぼれおちないように支持できる枠であれば，形状はどのようなものを用いてもよく，１以上の部品からなる枠であってもよく，該枠内に０以上の可動部を有する枠であってもよく，該枠内に１以上の可動部を有する枠であってもよく，該枠内に可動部を有しない枠であってもよい。
【０３９０】
前記「実施例８において解決すべき課題」を解決するための別の手段としては，前記のいずれかの「挟持する標準パイプの内部空間に重心が位置する扇風機」であって，「重りを有する扇風機」を利用することができる。前記重りを利用して前記扇風機全体の重心の位置を制御することにより，前記扇風機の重心が通気パイプの中心軸付近に位置する効果をより容易に得ることができる。よって，前記ＳＨＩＲストレスを発生させない扇風機を提供するという課題をより容易に解決することができる。前記「重り」としては，質量のあるものならいかなるものを用いてもよく，前記扇風機と分離可能な部品であってもよく，前記扇風機と分離不可能な部品であってもよい。より好ましくは，前記「重り」として，金属製の部品，鉄製の部品，銅製の部品，金属を含む部品，金属製の部品を有する部品，などを用いることができる。
【０３９１】
前記「実施例８において解決すべき課題」を解決するための別の手段としては，前記のいずれかの「挟持する標準パイプの内部空間に重心が位置する扇風機」であって，「重りを有し，かつ，前記重りと前記電動機の間において前記標準パイプを挟持できることを特徴とする扇風機」，「重りを有し，かつ，前記標準パイプの中心軸を通る平面の１つを挟んで前記重りと前記電動機が互いに前記平面の反対側に位置することを特徴とする扇風機」，「重りを有し，かつ，前記重りと前記電動機を結ぶ線分の１つが前記標準パイプの内部空間を通過することを特徴とする扇風機」のいずれかを利用することができる。これにより，前記扇風機の重心が通気パイプの中心軸付近に位置する効果をより効率的に得ることができる。よって，前記ＳＨＩＲストレスを発生させない扇風機を提供するという課題をより効率的に解決することができる。
【０３９２】
前記「実施例８において解決すべき課題」を解決するための別の手段としては，前記のいずれかの「挟持する標準パイプの内部空間に重心が位置する扇風機」であって，「電池を有する扇風機」を利用することができる。これにより，前記扇風機は通気パイプから給電を受けなくても該扇風機の羽根車を駆動させることができる。よって，掃除機をかけながら移動し続ける人体を恒常的に冷却する装置を提供するという課題をさらに広範囲に解決することができる。
【０３９３】
前記「実施例８において解決すべき課題」を解決するための別の手段としては，前記のいずれかの「挟持する標準パイプの内部空間に重心が位置する扇風機」であって，「電池を有し，かつ，前記電池と前記電動機の間において前記標準パイプを挟持できることを特徴とする扇風機」，「電池を有し，かつ，前記標準パイプの中心軸を通る平面の１つを挟んで前記電池と前記電動機が互いに前記平面の反対側に位置することを特徴とする扇風機」，「電池を有し，かつ，前記電池と前記電動機を結ぶ線分の１つが前記標準パイプの内部空間を通過することを特徴とする扇風機」のいずれかを利用することができる。これにより，前記電池を電源として利用することで，通気パイプから給電を受けなくても前記扇風機の羽根車を駆動させることができ，かつ，前記電池を重りとしても利用することで前記扇風機全体の重心の位置を制御することができ，前記扇風機の重心が通気パイプの中心軸付近に位置する効果をより効率的に得ることができる。よって，前記ＳＨＩＲストレスを発生させない扇風機を提供するという課題をより広範囲かつ効率的に解決することができる。
【０３９４】
前記「実施例８において解決すべき課題」を解決するための別の手段としては，前記のいずれかの「挟持する標準パイプの内部空間に重心が位置する扇風機」であって，「前記重りが，電池である扇風機」を利用することができる。これにより，前記電池を電源として利用することで，該扇風機は通気パイプから給電を受けなくても該扇風機の羽根車を駆動させることができ，かつ，前記電池を重りとしても利用することで前記扇風機全体の重心の位置を制御することができ，該扇風機の重心が通気パイプの中心軸付近に位置する効果をより効率的に得ることができる。よって，前記ＳＨＩＲストレスを発生させない扇風機を提供するという課題をより広範囲かつ効率的に解決することができる。前記電池は，乾電池，充電可能な電池，太陽電池，などを好適に利用できる。前記充電可能な電池を前記扇風機に入れた状態で充電するための端子（ユニバーサルシリアルバス規格の端子など）をさらに備えた前記扇風機は，好適な実施形態の１つである。
【０３９５】
前記「実施例８において解決すべき課題」を解決するための別の手段としては，前記のいずれかの「挟持する標準パイプの内部空間に重心が位置する扇風機」であって，「前記通気パイプ挟持手段にバネを有する扇風機」を利用することができる。これにより，前記バネにより生じる圧力によって前記扇風機が通気パイプを容易に挟持することができる効果を得ることができる。よって， 通気パイプを挟持できる「通気パイプ挟持手段」を有する扇風機を提供するという課題をより容易に解決することができる。
【０３９６】
前記「実施例８において解決すべき課題」を解決するための別の手段としては，前記のいずれかの「挟持する標準パイプの内部空間に重心が位置する扇風機」であって，「前記通気パイプ挟持手段にネジ又はクランプを有する扇風機」を利用することができる。これにより，前記ネジ又はクランプにより生じる圧力によって前記扇風機が通気パイプを挟持することができる効果を得ることができる。よって， 通気パイプを挟持できる「通気パイプ挟持手段」を有する扇風機を提供するという課題を解決することができる。
【０３９７】
前記「実施例８において解決すべき課題」を解決するための別の手段としては，前記のいずれかの「挟持する標準パイプの内部空間に重心が位置する扇風機」であって，「前記枠が支持する電動機が２以上であることを特徴とする扇風機」を利用することができる。これにより，Ｎ個の電動機を配置するにあたり，実施例５に示したように，通気パイプの中心軸の周りに３６０÷Ｎ度ごとに電動機を配置することによって，前記扇風機の重心を通気パイプの中心軸付近に位置させることが容易にできる効果を得ることができる。よって，該扇風機に掃除機の通気パイプを挟持させた状態で該掃除機を使用しても，前記ＳＨＩＲストレスを発生させない扇風機を提供するという課題を容易に解決することができる。
【０３９８】
前記「実施例８において解決すべき課題」を解決するための別の手段としては，前記のいずれかの「挟持する標準パイプの内部空間に重心が位置する扇風機」であって，「掃除機の通気パイプを挟持した状態で使用できることを特徴とする扇風機」又は「掃除機の通気パイプを挟持した状態で使用することを特徴とする扇風機」を利用することができる。
【０３９９】
前記「実施例８において解決すべき課題」を解決するための別の手段としては，前記のいずれかの「挟持する標準パイプの内部空間に重心が位置する扇風機」であって，「掃除機の通気パイプを支持する手にかかる負担を軽減する目的で使用できることを特徴とする扇風機」を利用することができる。
【０４００】
実施例８で開示した以上の手段のいずれにおいても，実施例８で解決すべき課題を全て解決することができる。
【０４０１】
なお，「通気パイプ着脱手段を有する扇風機」では，重心の位置を通気パイプの軸近傍空間としていたのに対し，「通気パイプを挟持できる扇風機」では，重心の位置を標準パイプの内部空間とすることで，より狭い範囲に限定している。この理由としては，「通気パイプ着脱手段を有する扇風機」では，通気パイプの着脱部位において該扇風機の向きや位置を制御できるに対し，「通気パイプを挟持できる扇風機」では，通気パイプの挟持部位において該扇風機の向きや位置を制御できないため，ユーザがどの向きで挟持させた場合であっても，該扇風機の重心が通気パイプの内部空間に位置する効果を得るためである。
【０４０２】
図２８から３６は，挟持する標準パイプの内部空間に重心が位置する扇風機５００であり，図３７のみが挟持する標準パイプの内部空間に重心が位置する扇風機ではない扇風機である。
【０４０３】
扇風機５００の羽根車５０１は電動機５０２によって駆動され，電動機５０２は外側固定枠５０３によって支持されている。外側固定枠５０３はピッチ回転可動部５０５を介して中側固定枠５０４によって支持され，中側固定枠５０４はヨー回転可動部５０６を介して通気パイプ挟持手段５０７によって支持されている。
【０４０４】
通気パイプ挟持手段５０７は，回転軸５０８と回転軸受５０９による可動部と，手持部５１０と，指圧部５１１を有し，指圧部５１１を手持部５１０の方向に指圧することで，通気パイプ挟持手段５０７が開き，通気パイプ１２６又は標準パイプ５１５を通気パイプ挟持手段５０７の間に導き入れることが可能になる。
【０４０５】
通気パイプ挟持手段５０７は，バネ５１２を有し，標準パイプ５１５に圧力をかけて標準パイプ５１５を挟持することができる。通気パイプ１２６又は標準パイプ５１５を通気パイプ挟持手段５０７が安定して挟持できるように，通気パイプ挟持手段５０７の表面には，滑り防止効果のある素材（ゴム，ウレタン，スポンジ，樹脂など）が張り付けられている。
【０４０６】
通気パイプ挟持手段５０７によって，通気パイプ１２６を挟持することにより，通気パイプ１２６によって通気パイプ挟持手段５０７が支持される。これにより，扇風機５００が掃除機の通気パイプ１２６を挟持した状態で扇風機５００および該掃除機を使用することができる。
【０４０７】
図２８から３３において，扇風機５００は電池を有しており，電動機５０２と一緒に，外側固定枠５０３の内部に該電池を格納している。
【０４０８】
手持部５１０の内部には，重り５１３がある。扇風機５００が標準パイプ５１５を挟持したときに，扇風機５００及び標準パイプ５１５の全体の重心が，標準パイプ５１５の内部空間５２０に位置するように重り５１３の重さと位置が調整されている。
【０４０９】
図３１から３２において，扇風機５００は，重り５１３と電動機５０２の間において標準パイプ５１５を挟持できている。また，扇風機５００は，標準パイプ５１５の中心軸５１８を通る平面５１９を挟んで重り５１３と電動機５０２が互いに平面５１９の反対側に位置するように重り５１３が配置されている扇風機である。また，扇風機５００は，重り５１３と電動機５０２を結ぶ線分が標準パイプ５１５の内部空間５２０を通過するように重り５１３が配置された扇風機である。
【０４１０】
通気パイプ挟持手段５０７は，通気パイプを挟持しやすいように通気パイプの表面と類似した曲率（曲率半径が１５ミリメートルから２５ミリメートル）の曲面５２４によって離脱防止効果を高めた形状適合部位を備えている。また，図３３に示すように，通気パイプ挟持手段５０７の一部に平面部５２３を備えることで，通気パイプ以外に，机などの平らな物体を安定的に挟持できるようにすることもできる。
【０４１１】
図３４は，扇風機５００の電池５２１を，通気パイプ挟持手段５０７の手持部５１０に設けた電池ボックスに配置したものであり，電池５２１と電動機５０２は電気コードにて接続されている。電池５２１を電源として利用することで，掃除機の通気パイプから給電を受けなくても扇風機５００の電動機５０２が羽根車５０１を駆動することができる。
【０４１２】
また，図３４に示すように，扇風機５００は，電池５２１と電動機５０２の間において標準パイプ５１５を挟持できている。また，標準パイプ５１５の中心軸５１８を通る平面５１９を挟んで電池５２１と電動機５０２が互いに平面５１９の反対側に位置するように電池５２１が配置されている。また，電池５２１と電動機５０２を結ぶ線分５２２が標準パイプ５１５の内部空間５２０を通過するように電池５２１が配置されている。これにより，電池５２１が重り５１３と同じ役割を担うため，重り５１３を軽くする又は無くすことが可能になり，扇風機５００を軽くする効果を得ている。よって，扇風機５００が掃除機の通気パイプを挟持した状態で該掃除機を使用しても，前記ＳＨＩＲストレスを発生させないようにするという課題を効率的に解決できている。
【実施例９】
【０４１３】
（重心判定法）
通気パイプを挟持できる扇風機が，前記「挟持する標準パイプの内部空間に重心が位置する扇風機」に当てはまるかどうかを判定する方法としては，以下に述べる「重心判定方法」を利用することができる。
【０４１４】
まず，図３５に示すように，標準パイプ５１５を用意する。通気パイプ５１５は糸で吊るしやすいように，両端の開口部にそれぞれ８か所ずつ突起５１６が等間隔に設けられている。ただし，標準パイプ５１５の２つの開口部が重なる方向から眺めたときに，両端の突起５１６も重なるように配置されており，重なりあう２つの突起どうしを１つのペアとすることで，標準パイプ５１５には合計で８つのペアが存在している。
【０４１５】
図３５に示すように，同じペアの突起５２５のそれぞれに糸をつけて吊り下げる。また，突起を使わない別の吊り下げ方法としては，突起の代わりに穴をあけて，該穴に糸を通して吊り下げてもよい。
【０４１６】
そして，標準パイプ５１５の中央付近を，扇風機５００の通気パイプ挟持手段５０７にて挟持し，２つの糸５１７で扇風機５００を吊り下げる。このとき，全体の重心は，糸でつりさげたペアの２つの突起５２５を結ぶ直線５２６の真下に存在する。
【０４１７】
次に，標準パイプ５１５にある８つのペアのそれぞれを，糸５１７で吊り下げて同様に重心の位置を調べていく。もし，８つの全てのペアにおいて，図３６に示すように，糸でつりさげたペアの２つの突起５２５を結ぶ直線５２６の真下に標準パイプ５１５の内部空間５２０が位置するように吊り下げることができた場合は，求める重心の位置は標準パイプ５１５の内部空間５２０にあると判定することができ，その扇風機は，「挟持する標準パイプの内部空間に重心が位置する扇風機」に当てはまると判定することができる。また，「挟持する標準パイプの内部空間に重心が位置する扇風機」は，「扇風機の重心が該扇風機に挟持された通気パイプの中心軸付近に位置することを特徴とする扇風機」，「扇風機の重心が該扇風機に挟持された通気パイプの軸近傍空間に位置することを特徴とする扇風機」にも当てはまる。
【０４１８】
一方，もし，８つのペアの少なくとも１つ以上のペアにおいて，図３７に示すように，糸でつりさげたペアの２つの突起５２５を結ぶ直線５２６の真下に標準パイプ５１５の内部空間５２０が位置しないように吊り下げることができるペアが存在する場合は，求める重心の位置は標準パイプ５１５の内部空間５２０にないと判定することができ，その扇風機は，「挟持する標準パイプの内部空間に重心が位置する扇風機」に該当しないと判定することができる。
【０４１９】
以上が，本明細書に記載の発明が提供する「重心判定方法」である。
【実施例１０】
【０４２０】
（通気パイプ取付手段を有する扇風機）
実施例１０では，通気パイプの開口部以外の部位において通気パイプを着ける手段について詳細に記載する。また，請求項１１に記載の発明が有する特筆すべき効果について説明する。
【０４２１】
実施例１０では，前記通気パイプ着脱手段との混同を避けるため，「通気パイプ取付手段」という名称を用いる。すなわち，前記通気パイプ取付手段は，「１以上の通気パイプを着脱できること」を特徴とする。これに対し，前記通気パイプ着脱手段は，「１以上の通気パイプの開口部を着脱できること」を特徴としている。
【０４２２】
よって，「前記通気パイプ取付手段は，通気パイプの開口部を着脱できない手段であってもよい」。 包含関係として，「前記通気パイプ取付手段は， 前記通気パイプ着脱手段を含む概念」である。
【０４２３】
図２６と２７において，通気パイプ着脱手段１８０を枠（１８３と１８４）に着脱できる扇風機１９０は，請求項１４に記載の「請求項１１に記載の扇風機が有する前記枠と前記通気パイプ着脱手段の間の前記着脱部位において前記通気パイプ着脱手段に着脱できる扇風機」に係る扇風機である。
【０４２４】
図２６と２７に記載の扇風機１９０に着脱できる通気パイプ着脱手段１８０は，通気パイプとしての特徴を有しているため，扇風機１９０は前記「通気パイプ取付手段を有する扇風機」である。
【０４２５】
扇風機１９０は，通気パイプの開口部を直接着脱できる手段を有していないため，前記「通気パイプ着脱手段を有する扇風機」ではない。よって，扇風機１９０だけでは，請求項１に記載の発明に係る扇風機ではない。
【０４２６】
扇風機１９０は，通気パイプ着脱手段１８０と併せて用いることで，前記「通気パイプ着脱手段を有する扇風機」となり，請求項１および請求項１１に記載の発明に係る扇風機となる。
【０４２７】
また，通気パイプ着脱手段１８０は，開口部において他の通気パイプを着脱できるため，前記「通気パイプ取付手段」でもある。
【０４２８】
図２６と２７に記載の前記「扇風機１９０と通気パイプ着脱手段１８０を併せて用いる扇風機」は，前記「通気パイプ着脱手段を有する扇風機」であって，前記「通気パイプ取付手段を有する扇風機」でもあるが，以下の説明では，通気パイプ着脱手段１８０の開口部以外の着脱部位での着脱に注目して説明するため，通気パイプ着脱手段１８０にあたっては「通気パイプ取付手段」という名称を使い，前記「扇風機１９０と通気パイプ着脱手段１８０を併せて用いる扇風機」にあたっては，「通気パイプ取付手段を有する扇風機」という名称を使って，以下の説明をする。
【０４２９】
前記「通気パイプ取付手段を有する扇風機」は，「前記通気パイプ取付手段に１以上の通気パイプを着けることができることを特徴とする扇風機」である。これにより，前記通気パイプ取付手段を利用して該扇風機に着けた通気パイプをさらに掃除機に装着することにより，該掃除機に該扇風機を着けて使用することができる。よって，掃除機をかけながら移動し続ける人体を恒常的に冷却する装置を提供するという課題を解決することができる。
【０４３０】
前記「通気パイプ取付手段を有する扇風機」は，「羽根車と，前記羽根車を駆動する電動機と，前記電動機を支持する枠と，前記枠を支持又は着脱手段とする前記通気パイプ取付手段と，を有する扇風機」である。
【０４３１】
ただし，前記「前記枠を支持又は着脱手段とする前記通気パイプ取付手段」は，「前記枠を支持する前記通気パイプ取付手段」又は「前記枠を着脱手段とする前記通気パイプ取付手段」である。「前記枠を支持する前記通気パイプ取付手段」とは，「前記通気パイプ取付手段が前記枠を支持している」ということである。「前記枠を着脱手段とする前記通気パイプ取付手段」とは，「前記枠そのものが，枠であって，かつ，前記通気パイプ取付手段でもある」ということである。
【０４３２】
図２６と２７に記載の請求項１１の発明に係る前記「通気パイプ取付手段を有する扇風機」は，「前記枠と前記通気パイプ取付手段の間に着脱部位を有する扇風機」である。これにより，前記通気パイプ取付手段（図２６の１８０）を掃除機の通気パイプ（図３の１２０）に常時着けておき，前記枠（図２７の１８３と，図２６の１８４）と前記通気パイプ取付手段（図２６の１８０）の間の該着脱部位にて該扇風機の着脱を行うことで，毎回の着脱操作をより簡単に行うことができ，かつ，着脱を繰り返しても毎回同じ位置に該扇風機を装着できる効果を得ることができる。
【０４３３】
つまり，図３において，扇風機１９０を装着した通気パイプ取付手段１８０を通気パイプ１２０と通気パイプ１２６の間に挿入している状態において，扇風機１９０を外すときに，枠（１８３と１８４）の着脱部位で扇風機１９０を離脱させれば，１回の離脱操作で完了する。逆に扇風機１９０を元通りに装着するときも１回の装着で完了する。以下，前記枠と通気パイプ取付手段１８０の間の着脱部位で着脱する手段（１８３，１８４）を「開口部を用いない通気パイプ取付手段」とよぶ。
【０４３４】
これに対し，前記状態において，扇風機１９０を外すときに，通気パイプ取付手段１８０の両側の開口部から通気パイプ１２０と通気パイプ１２６を離脱させてから，通気パイプ１２０と通気パイプ１２６を相互に装着すると，２回の離脱操作と１回の装着操作の，合計３回の着脱操作が必要になる。逆に扇風機１９０を元通りに装着するときも，１回の離脱操作と２回の装着操作の，合計３回の着脱操作が必要になる。以下，前記通気パイプ取付手段の開口部の着脱部位で着脱する手段１８０を「開口部を用いる通気パイプ取付手段」とよぶ。
【０４３５】
このように，請求項１１に記載の発明によれば，「開口部を用いる通気パイプ取付手段」と「開口部を用いない通気パイプ取付手段」の「２種類の通気パイプ取付手段を有する扇風機」が提供される。そして，ユーザが利用するときの状況に応じて，前記２種類の通気パイプ取付手段のいずれかから，手間のかからない方の通気パイプ取付手段を選んで利用できることは，請求項１１に記載の発明による特筆すべき効果である。
【０４３６】
請求項１１に記載の発明によって提供される前記「開口部を用いない通気パイプ取付手段」（１８３と１８４）は，既に掃除機の通気パイプを装着した通気パイプ取付手段１８０の着脱部位（１８１と１８２）を着脱するため，毎回の着脱操作をより簡単に行うことができ，かつ，着脱を繰り返しても毎回同じ位置に該扇風機を装着できる効果を得る。よって，汎用の取付器具よりも遥かに安定した装着を実現することができる。
【０４３７】
前記「通気パイプ取付手段を有する扇風機」は，「前記通気パイプ取付手段に１以上の通気パイプの開口部を着けることができる扇風機」，「前記通気パイプ取付手段に掃除機のハンドルを着けることができる扇風機」，「前記通気パイプ取付手段に掃除機のハンドルと通気パイプの間に位置する部品を着けることができる扇風機」のいずれかである。これにより，前記掃除機のハンドルを持つ手のすぐ近くに前記扇風機を位置させて利用できる効果を得ることができる。
【０４３８】
前記「通気パイプ取付手段を有する扇風機」は，「前記通気パイプ取付手段にハンドルを有する通気パイプの開口部を着けることができる扇風機」である。これにより，前記掃除機のハンドルを持つ手のすぐ近くに前記扇風機を位置させて利用できる効果を得ることができる。
【０４３９】
前記「通気パイプ取付手段を有する扇風機」は，「前記扇風機の重心が前記扇風機に着けられた通気パイプの軸近傍空間に位置することを特徴とする扇風機」である。これによりＳＨＩＲストレスを解消できる効果を得ることができる。よって，前記ＳＨＩＲストレスを発生させない扇風機を提供するという別の課題を解決することができる。
【０４４０】
前記「通気パイプ取付手段を有する扇風機」は，「掃除機の通気パイプを着けた状態で使用できることを特徴とする扇風機」又は「掃除機の通気パイプを着けた状態で使用することを特徴とする扇風機」である。
【０４４１】
前記「通気パイプ取付手段を有する扇風機」は，「掃除機の通気パイプを支持する手にかかる負担を軽減する目的で使用できることを特徴とする扇風機」である。
【０４４２】
前記「通気パイプ取付手段を有する扇風機」は，実施例１４に記載の「送風制御装置を有する扇風機」として利用することもできる。
【実施例１１】
【０４４３】
実施例１１では，請求項１３に記載の発明に係る「通気パイプ着脱手段」として使用できる「給電可能な端子を有する通気パイプ」についてより詳細に説明する。
【０４４４】
図３８は，請求項１１に記載の「前記通気パイプ着脱手段と前記枠の間にさらに着脱部位を有し，前記通気パイプ着脱手段と前記枠を相互に着脱できることを特徴とする請求項５から１０のいずれかに記載の扇風機」に係る扇風機の実施例であり，該扇風機を，前記通気パイプ着脱手段６０６と前記枠６０２の間の着脱部位（６０４と６０５）で離脱させた状態の図である。
【０４４５】
図３８の通気パイプ６０６は，請求項１３に記載の「請求項１１に記載の扇風機が有する前記枠と前記通気パイプ着脱手段の間の前記着脱部位において前記枠に着脱できる通気パイプ着脱手段」に係る通気パイプ着脱手段であって，前記「給電可能な端子を有する通気パイプ」である。実際は，通気パイプ６０６は掃除機の本体に装着されたホース式の通気パイプに繋がっているが，図３８では見やすくするために，該ホース式の通気パイプをハンドル付近で切断して図３８に記載している。
【０４４６】
前記「給電可能な端子を有する通気パイプ」は，「前記給電可能な端子が前記通気パイプの開口部以外にあることを特徴とする通気パイプ」である。該通気パイプの給電可能な端子に，前記のいずれかの扇風機であって前記給電可能な端子を装着できる端子を有する前記通気パイプ取付手段を有する扇風機（例えば，図３８に記載の「給電可能な端子６０５を装着できる端子を有する通気パイプ取付手段６０４を有する扇風機６００」）を着けることで，簡単に着けることができ，さらに，該掃除機から電気を前記給電可能な端子を介して該扇風機に供給することができる効果を得ることができる。
【０４４７】
前記「給電可能な端子を有する通気パイプ」は，「前記給電可能な端子が，前記通気パイプ側から電気を供給する端子である通気パイプ」である。これにより，該掃除機から電気を前記給電可能な端子を介して該扇風機に供給する効果を得ることができる。
【０４４８】
前記「給電可能な端子を有する通気パイプ」は，「前記通気パイプが開口部に有する電極と前記給電可能な端子を接続する電気伝導体を有する通気パイプ」である。これにより，該通気パイプの開口部を経由して掃除機から供給される電気を前記端子を経由して扇風機に供給できる効果を得ることができる。
【０４４９】
前記「給電可能な端子を有する通気パイプ」は，「前記給電可能な端子に着けられた扇風機を支持できる通気パイプ」である。これにより，前記給電可能な端子に扇風機を着けて支持できる効果を得ることができる。
【０４５０】
前記「給電可能な端子を有する通気パイプ」は，「掃除機が有する電動機を含む部品から離脱できる通気パイプ」である。これにより，該通気パイプは，電動機を有しない部品であるため安価に製造でき，オプションの部品として掃除機の通気パイプに装着できる効果を得ることができる。
【０４５１】
前記「給電可能な端子を有する通気パイプ」は，「前記給電可能な端子にフタを有する通気パイプ」である。ユニバーサルシリアルバス規格のプラグ型端子６０４を離脱させたポート型端子６０５には，スライド式のフタがついている。これにより，前記端子に扇風機を着けないときは，前記フタを閉めておくことで，該端子に塵埃が侵入することを防ぐことができる。
【０４５２】
前記「給電可能な端子を有する通気パイプ」は，「ハンドルを有する通気パイプ」である。これにより，前記ハンドルを持つ手のすぐ近くに扇風機を着けることができる効果を得ることができる。よって，前記ハンドルを持って掃除機をかけながら移動し続ける人体を恒常的に冷却する装置を提供できる効果を得ることができる。
【０４５３】
前記「給電可能な端子を有する通気パイプ」は，「前記給電可能な端子から３００ミリメートル以内の距離に前記ハンドルを有する通気パイプ」である。この場合，図３８に示すようにハンドルの近くに扇風機を着けることができ，該扇風機の重心が通気パイプの外側に位置する扇風機であっても，該重心の位置する方向を前記ハンドルのある方向に一致させることによって，該重心を前記ハンドルを持つ手と前記ヘッドの間に位置させることができ，前記ハンドルをひねる手にかかる負担を軽減させることができる効果を得ることができる。
【０４５４】
前記「給電可能な端子を有する通気パイプ」は，「前記通気パイプの前記給電可能な端子の向きと前記ハンドルの付け根の向きが同じであることを特徴とする通気パイプ」である。これにより， 図３８に示すように，該扇風機の重心が通気パイプの外側に位置する扇風機であっても，該重心の位置する方向を前記ハンドルのある方向に一致させることが容易になり，該重心を前記ハンドルを持つ手と前記ヘッドの間に位置させることが容易にでき，前記ハンドルをひねる手にかかる負担を軽減させることができる効果を容易に得ることができる。ただし，前記「給電可能な端子の向き」及び前記「ハンドルの付け根の向き」は，ロール回転角（図５のロール回転軸１４０における角度）の向きである。
【０４５５】
前記「給電可能な端子を有する通気パイプ」は，「前記ハンドルの付け根とゴミ吸引口側の開口部の間に前記給電可能な端子が位置することを特徴とする通気パイプ」である。これにより， 図３８に示すように，ハンドル６０７を持つ手と前記ヘッドの間に前記扇風機が位置するように該扇風機を前記通気パイプに着けることが容易にできる効果を得ることができる。ただし，通気パイプ６０６は，図３から５に示す通気パイプ１２６を装着し，さらに通気パイプ１２６はヘッド１３７を装着しているものとする。
【０４５６】
前記「給電可能な端子を有する通気パイプ」は，「前記通気パイプの手持部とゴミ吸引口側の開口部の間に前記給電可能な端子が位置することを特徴とする通気パイプ」である。ただし，前記手持部は，前記通気パイプを手で支持するために設けられた部品である。これにより， 図３８に示すように，手持部６０７を持つ手と前記ヘッドの間に前記扇風機が位置するように該扇風機を前記通気パイプに着けることが容易にできる効果を得ることができる。
【０４５７】
前記「給電可能な端子を有する通気パイプ」は，「前記給電可能な端子が標準規格の端子である通気パイプ」である。これにより，前記標準規格の端子を装着できる標準規格の端子を有する市販の扇風機を該通気パイプに着けることができる効果を得ることができる。
【０４５８】
前記「給電可能な端子を有する通気パイプ」は，「前記給電可能な端子がユニバーサルシリアルバス規格の端子である通気パイプ」である。これにより，図３８に示すように，前記ユニバーサルシリアルバス規格の端子６０５を装着できるユニバーサルシリアルバス規格の端子６０４を有する市販の扇風機６００を該通気パイプに着けることができる効果を得ることができる。
【０４５９】
前記「給電可能な端子を有する通気パイプ」は，「前記給電可能な端子がユニバーサルシリアルバス規格のポート型端子である通気パイプ」である。これにより，図３８に示すように，前記ユニバーサルシリアルバス規格のポート型端子６０５を装着できるユニバーサルシリアルバス規格のプラグ型端子６０４を有する市販の扇風機６００を該通気パイプに着けることができる効果を得ることができる。
【０４６０】
前記「給電可能な端子を有する通気パイプ」は，「給電を制御する手段を有する通気パイプ」である。これにより，該通気パイプに着けた扇風機への給電を制御できる効果を得ることができる。
【０４６１】
前記「給電可能な端子を有する通気パイプ」は，「前記給電可能な端子が標準規格ではない端子である通気パイプ」として別の形態で実装することもできる。これにより，前記「給電可能な端子を有する通気パイプ」に着けることができる扇風機を限定することができるため，前記「給電可能な端子を有する通気パイプ」と扇風機との間の組み合わせにおいて「適合性チェック効果」を得ることができる。
【０４６２】
図３８において，扇風機６００は，羽根車６０１を駆動する電動機６０３を支持する枠６０２にユニバーサルシリアルバス規格のプラグ型端子６０４を有している。通気パイプ６０６のユニバーサルシリアルバス端子のポート型端子６０５に扇風機６００のプラグ型端子６０４を挿入して，扇風機６００に通気パイプ６０６を着けることにより，扇風機６００が通気パイプ６０６によって支持される。また，通気パイプ６０６が有する電気伝導体からの電気をユニバーサルシリアルバス端子のポート型端子６０５とプラグ型端子６０４を介して扇風機６００の電動機に伝えることで羽根車６０１を駆動させることができる。よって，掃除機をかけながら移動し続ける人体を恒常的に冷却する装置を提供できる効果を得ることができる。
【０４６３】
図３８において，掃除機の通気パイプ６０６の上方向（図面において上の方向）にハンドル６０７が位置しており，同じく通気パイプ６０６の上方向にユニバーサルシリアルバス規格のポート型端子６０５が位置している。すなわち，ユニバーサルシリアルバス規格のポート型端子６０５はハンドルの付け根６０８と同じ向きある。扇風機６００の重心は，通気パイプ６０６の外側にあって端子６０５の上方向に位置しているが，ハンドル６０７も通気パイプ６０６の外側にあって端子６０５と同じ上方向に位置している。このため，扇風機６００の重心がハンドル６０７とヘッド１３７を結ぶ直線上にほぼ位置している（ただし，ヘッド１３７は，通気パイプ６０６のゴミ吸引口側の開口部６０９に開口部１２７を装着した通気パイプ１２６の開口部１２９に装着されているものとする）。この特別な配置により，掃除機６００の重心が通気パイプ６０６の外側に位置していても，通気パイプ６０６をロール回転させるトルクがほとんど発生しない効果を得ることができる。また，扇風機６００は端子６０４を介して流れる電気で電動機を駆動させるため，扇風機６００は電池を有さない。このため扇風機６００を軽量にする効果を得ることができる。よって，掃除機に扇風機を着けても，手にかかる負担を増加させにくい扇風機および該扇風機を搭載した掃除機を提供できる効果を得ることができる。
【０４６４】
さらに，前記「給電可能な端子を有する通気パイプ」は，実施例１３に記載の「受電可能な端子の先端で円柱面上に立つことができる扇風機」（図３９から４３）と組み合わせて用いることにより，実施例１３に記載の非常に顕著な効果を得ることができる。
【０４６５】
さらに， 前記「給電可能な端子を有する通気パイプ」は，実施例１４に記載の「送風制御装置」を有することで，実施例１４に記載の非常に顕著な効果を得ることができる。
【実施例１２】
【０４６６】
実施例１２では，「扇風機を有する掃除機」についてより詳細に説明する。
【０４６７】
図５は，請求項１２に記載の「請求項１から１１のいずれかに記載の扇風機を有する掃除機」にかかる掃除機であって，前記「扇風機を有する掃除機」である。ただし，通気パイプ１２０は掃除機の本体に装着されたホース式の通気パイプに繋がっているが，図５では見やすくするために，該ホース式の通気パイプをハンドル付近１２５で切断して図５に記載している。
【０４６８】
図４３は，請求項１２に記載の「請求項１から１１のいずれかに記載の扇風機を有する掃除機」にかかる掃除機であって，前記「扇風機を有する掃除機」である。ただし，通気パイプ６０６は掃除機の本体に装着されたホース式の通気パイプに繋がっているが，図３８では見やすくするために，該ホース式の通気パイプをハンドル付近で切断して図４３に記載している。また，通気パイプ６０６はゴミ吸引口側の開口部６０９に通気パイプ１２６の開口部１２７を装着し，さらに通気パイプ１２６の開口部１２９にヘッド１３７を装着しているものとする。
【０４６９】
前記「扇風機を有する掃除機」は，「前記扇風機と前記掃除機の間に着脱手段を有する掃除機」である。これにより，前記扇風機を必要としないときは，前記扇風機を前記掃除機から離脱しておくことができ，前記扇風機が必要とされるときは，前記扇風機を前記掃除機に装着することができる効果を得ることができる。さらに，前記扇風機と前記掃除機の間に着脱手段があることにより，装着すべき位置が明確になる効果を得ることができ，毎回の着脱操作をより簡単に行える効果を得ることができ，毎回同じ位置に該扇風機を装着できる効果を得ることができる。
【０４７０】
前記「扇風機を有する掃除機」は，「前記掃除機が有する通気パイプが前記扇風機を支持する掃除機」，「前記掃除機が有するハンドルが前記扇風機を支持する掃除機」，「前記掃除機が有する通気パイプとハンドルの間に位置する部品が前記扇風機を支持する掃除機」のいずれかである。これにより，前記掃除機のハンドルを持つ手のすぐ近くに前記扇風機を位置させて利用できる効果を得ることができる。
【０４７１】
前記「扇風機を有する掃除機」は，「前記通気パイプと前記扇風機の間に着脱手段を有する掃除機」，「前記ハンドルと前記扇風機の間に着脱手段を有する掃除機」，「前記通気パイプと前記ハンドルの間に位置する前記部品と前記扇風機の間に着脱手段を有する掃除機」のいずれかである。これにより，前記扇風機を必要としないときは，前記扇風機を前記掃除機から離脱しておくことができ，前記扇風機が必要とされるときは，前記扇風機を前記掃除機に装着することができる効果を得ることができる。さらに，前記扇風機と前記掃除機の間に着脱手段があることにより，装着すべき位置が明確になる効果を得ることができ，毎回の着脱操作をより簡単に行える効果を得ることができ，毎回同じ位置に該扇風機を装着できる効果を得ることができる。
【０４７２】
前記「扇風機を有する掃除機」は，「前記通気パイプと前記扇風機の間に給電可能な端子を有する掃除機」，「前記ハンドルと前記扇風機の間に給電可能な端子を有する掃除機」，「前記通気パイプと前記ハンドルの間に位置する前記部品と前記扇風機の間に給電可能な端子を有する掃除機」のいずれかである。これにより，該掃除機から電気を前記給電可能な端子を介して該扇風機に供給することができる効果を得ることができる。
【０４７３】
前記「扇風機を有する掃除機」は，「前記給電可能な端子にフタを有する掃除機」である。これにより，前記端子に扇風機を着けないときは，前記フタを閉めておくことで，該端子に塵埃が侵入することを防ぐことができる。ユニバーサルシリアルバス規格のプラグ型端子６０４を離脱させたポート型端子６０５には，スライド式のフタがついている。これにより，前記端子に扇風機を着けないときは，前記フタを閉めておくことで，該端子に塵埃が侵入することを防ぐことができる。
【０４７４】
前記「扇風機を有する掃除機」は，「前記給電可能な端子が標準規格の端子である掃除機」である。これにより，前記標準規格の端子を装着できる標準規格の端子を有する市販の扇風機を該掃除機に着けることができ，より安価に該掃除機を提供できる効果を得ることができる。
【０４７５】
前記のいずれかの「扇風機を有する掃除機」であって，「前記給電可能な端子がユニバーサルシリアルバス規格の端子である掃除機」である。これにより，図４２と４３に示すように，前記ユニバーサルシリアルバス規格の端子を装着できるユニバーサルシリアルバス規格の端子を有する市販の扇風機を該掃除機に着けることができる効果を得ることができる。よって，掃除機をかけながら移動し続ける人体を恒常的に冷却する掃除機をより安価に提供することができる。
【０４７６】
前記のいずれかの「扇風機を有する掃除機」であって，「前記給電可能な端子がユニバーサルシリアルバス規格のポート型端子である掃除機」である。これにより，図４２と４３に示すように，前記ユニバーサルシリアルバス規格のポート型端子を装着できるユニバーサルシリアルバス規格のプラグ型端子を有する市販の扇風機を該掃除機に着けることができる効果を得ることができる。よって，掃除機をかけながら移動し続ける人体を恒常的に冷却する掃除機をより安価に提供することができる。
【０４７７】
前記のいずれかの「扇風機を有する掃除機」であって，「前記給電可能な端子が標準規格ではない端子である掃除機」として別の形態で実装することもできる。これにより，前記掃除機に着けることができる扇風機を限定することができるため，前記掃除機と扇風機との間の組み合わせにおいて「適合性チェック効果」を得ることができる。
【０４７８】
図３８において，ユニバーサルシリアルバス端子のポート型端子６０５を，ハンドル６０７の位置に設けた通気パイプ６０６を扇風機６００に装着し，通気パイプ６０６の開口部６０９を通気パイプ１２６の開口部１２７に装着し，さらに，通気パイプ６０６を装着した掃除機は，前記「扇風機を有する掃除機であって，前記掃除機が有するハンドルが前記扇風機を支持する掃除機であって，前記ハンドルと前記扇風機の間に通気パイプ取付手段を有する掃除機であって，前記ハンドルと前記扇風機の間に着脱手段を有する掃除機であって，前記ハンドルと前記扇風機の間に給電可能な標準規格のユニバーサルシリアルバス規格の端子を有する掃除機」の実施例である。
【０４７９】
図３８において，ユニバーサルシリアルバス端子のポート型端子６０５を，ハンドル６０７の付け根６０８の位置に設けた通気パイプ６０６を扇風機６００に装着し，通気パイプ６０６の開口部６０９を通気パイプ１２６の開口部１２７に装着し，さらに，通気パイプ６０６を装着した掃除機は，前記「扇風機を有する掃除機であって，前記掃除機が有する通気パイプとハンドルの間に位置する部品が前記扇風機を支持する掃除機であって，前記通気パイプと前記ハンドルの間に位置する前記部品と前記扇風機の間に通気パイプ取付手段を有する掃除機であって，前記通気パイプと前記ハンドルの間に位置する前記部品と前記扇風機の間に着脱手段を有する掃除機であって，前記通気パイプと前記ハンドルの間に位置する前記部品と前記扇風機の間に給電可能な標準規格のユニバーサルシリアルバス規格の端子を有する掃除機」の実施例である。
【０４８０】
図１から２７に記載の扇風機が装着した通気パイプを装着した掃除機は，前記「扇風機を有する掃除機であって，前記掃除機が有する通気パイプが前記扇風機を支持する掃除機であって，前記通気パイプと前記扇風機の間に通気パイプ取付手段を有する掃除機であって，前記通気パイプと前記扇風機の間に着脱手段を有する掃除機」の実施例である。
【０４８１】
図２８から３６に記載の扇風機が挟持した通気パイプを装着した掃除機は，前記「扇風機を有する掃除機であって，前記掃除機が有する通気パイプが前記扇風機を支持する掃除機であって，前記通気パイプと前記扇風機の間に通気パイプ取付手段を有する掃除機であって，前記通気パイプと前記扇風機の間に挟持手段を有する掃除機」の実施例である。
【０４８２】
前記のいずれかの「扇風機を有する掃除機」であって，「前記通気パイプと前記扇風機の間に給電可能な端子を有する掃除機」，「前記ハンドルと前記扇風機の間に給電可能な端子を有する掃除機」，「前記通気パイプと前記ハンドルの間に位置する前記部品と前記扇風機の間に給電可能な端子を有する掃除機」のいずれかである扇風機は，実施例１３に記載の「受電可能な端子の先端で円柱面上に立つことができる扇風機」と組み合わせて用いることにより，実施例１３に記載の非常に顕著な効果を得ることができる。
【０４８３】
さらに， 前記「扇風機を有する掃除機」は，実施例１４に記載の「送風制御装置」を有することで，実施例１４に記載の非常に顕著な効果を得ることができる。
【０４８４】
図３８において扇風機６００に通気パイプ６０６を装着し，さらに通気パイプ６０６を装着した掃除機は，前記「扇風機を有する掃除機であって，前記掃除機が有する通気パイプが前記扇風機を支持する掃除機であって，前記通気パイプと前記扇風機の間に通気パイプ取付手段を有する掃除機であって，前記通気パイプと前記扇風機の間に着脱手段を有する掃除機であって，前記通気パイプと前記扇風機の間に給電可能な標準規格のユニバーサルシリアルバス規格の端子を有する掃除機」の実施例である。
【実施例１３】
【０４８５】
（受電可能な端子の先端で円柱面上に立つことができる扇風機）
図４３は，請求項１１に記載の「前記通気パイプ着脱手段と前記枠の間にさらに着脱部位を有し，前記通気パイプ着脱手段と前記枠を相互に着脱できることを特徴とする請求項５から１０のいずれかに記載の扇風機」に係る扇風機であり，通気パイプ６０６と枠７０１（マルチポートハブ７０１を用いた枠）の間に着脱部位７０６を有している。着脱部位７０６は，「給電可能な端子であるユニバーサルシリアルバス規格のポート型端子６０５」と「受電可能な端子であるユニバーサルシリアルバス規格のプラグ型端子７０２」を着脱手段とする着脱部位である。
【０４８６】
着脱部位７０６で離脱させた扇風機７００は，「受電可能な端子の先端で円柱面上に立つことができる扇風機」である。
【０４８７】
図４１において，前記「受電可能な端子の先端で円柱面上に立つことができる扇風機」の重心は，該「受電可能な端子の先端」の真下に位置する。このため，該「受電可能な端子」と着脱できる「給電可能な端子」を上面に備えた掃除機の部品（前記通気パイプ，前記ハンドル，前記通気パイプと前記ハンドルの間に位置する前記部品など）に，該「受電可能な端子」を装着することにより，該重心を該掃除機の該部品の内部空間に位置させる効果を得ることができる。よって， 掃除機に扇風機を着けても，手にかかる負担を増加させにくい扇風機および該扇風機を搭載した掃除機を提供できる効果を得ることができる。
【０４８８】
図３９から４３は，「受電可能なプラグ型端子７０２の先端７０８で円柱７０９の円柱面上に立つことができる扇風機７００」の実施例である。扇風機７００は，ユニバーサルシリアルバス規格のマルチポートハブ７０１と，２つの扇風機６００から構成される。プラグ型端子６０４とポート型端子７０３の装着によって，扇風機６００はマルチポートハブ７０１から支持される。
【０４８９】
図４０と４１に示すように，「受電可能なプラグ型端子７０２の先端７０８で円柱７０９の円柱面上に立つことができる扇風機７００」の重心７０７は，「受電可能な端子７０２の先端７０８」の真下に位置する。このため，図４１に示すように，円柱７０９の上面に受電可能な端子７０２の先端７０８のみを接触させた状態で，「やじろべえ」のように立つことができる。
【０４９０】
図４２と４３に示すように，扇風機７００の受電可能なプラグ型端子７０２を，掃除機の通気パイプ６０６の給電可能なポート型端子６０５に装着することにより，扇風機７００は通気パイプ６０６によって支持される。また，掃除機のポート型端子６０６からプラグ型端子７０２を介して扇風機７００へ供給される電気によって，扇風機６００の電動機を駆動させて送風することができる。
【０４９１】
すなわち，扇風機７００は，実施例１１に記載の「給電可能な端子を有する通気パイプ」又は実施例１２に記載の「給電可能な端子を有する掃除機」のいずれかの手段と組み合わせて用いることによって，「掃除機に扇風機を着けても，手にかかる負担を増加させにくい扇風機および該扇風機を搭載した掃除機を提供する」という効果を得ることができる。また，「掃除機をかけながら移動し続ける人体を恒常的に冷却する装置を提供する」という課題を解決することもできる。
【０４９２】
さらに，掃除機を使用しないときは，扇風機６００をマルチポートハブ７０１から離脱させて，プラグ型端子６０４を別の機器（パソコンなど）のポート型端子に装着することで，扇風機６００を使用することができる。
【０４９３】
すなわち，前記「受電可能な端子」が，「標準規格の端子」でもあることによって，「掃除機につけることができる扇風機であって，掃除機を使用しないときでも利用できる扇風機を提供する」という効果を得ることができる。
【０４９４】
さらに，図４２と４３に示すように，扇風機７００は，電源を分岐させる汎用部品（マルチポートハブ７０１）を工夫して用いることで，扇風機７００に着けた通気パイプの軸近傍空間に重心７０７を位置させる効果を得ている。このため，掃除機を使用しないときは扇風機７００を分解してマルチポートハブ７０１を「電源を分岐させる部品」として汎用的に使うことができ，また，掃除機を使用するときは扇風機７００を即座に組み立てて使うことができる。
【０４９５】
すなわち，前記「受電可能な端子」を，「ユニバーサルシリアルバス規格の端子」とすることで，電源を分岐させる汎用部品を工夫して用いることができ，これにより扇風機７００を安価に製造できる効果を得ることができる。よって，掃除機に着ける扇風機において，扇風機のメーカに対しては，製造コストを下げることができる扇風機を提供するという課題を解決することができ，さらに，扇風機のユーザに対しては購入コストを下げることができる扇風機を提供するという別の課題も解決することができる。
【０４９６】
前記「受電可能な端子の先端で円柱面上に立つことができる扇風機」は，「前記受電可能な端子が標準規格の端子である扇風機」である。
【０４９７】
前記「受電可能な端子の先端で円柱面上に立つことができる扇風機」は，「前記受電可能な端子がユニバーサルシリアルバス規格の端子である扇風機」である。
【０４９８】
前記「受電可能な端子の先端で円柱面上に立つことができる扇風機」は，「前記受電可能な端子がユニバーサルシリアルバス規格のプラグ型端子である扇風機」である。
【０４９９】
前記「受電可能な端子の先端で円柱面上に立つことができる扇風機」は，「２以上の電動機を有する扇風機」である。これにより，図３９から４３に示すように，２つの電動機でバランスをとることができ，重心の位置を制御しやすくなる効果を得ることができる。
【０５００】
前記「受電可能な端子の先端で円柱面上に立つことができる扇風機」は，「前記受電可能な端子と前記扇風機が有する電動機の間に着脱手段を有する扇風機」である。これにより，掃除機に装着しないときには離脱させて使用できる効果を得ることができる。よって，掃除機を使用しないときでも該扇風機を利用できる効果を得ることができる。
【０５０１】
前記「受電可能な端子の先端で円柱面上に立つことができる扇風機」は，「前記受電可能な端子と前記扇風機が有する電動機の間に可動部を有する扇風機」である。これにより，前記扇風機の重心の位置を調整しやすくなる効果を得ることができる。
【０５０２】
なお，前記「受電可能な端子の先端で円柱面上に立つことができる扇風機」を立たせる前記円柱面としては，直径が４０ミリメートルの木製の円柱で，長さが２００ミリメートル以上のものを使用する。前記円柱の円柱面に立つことができる扇風機は，前記「実施例１３において解決すべき課題」を解決するための手段として開示された発明に係る扇風機である。
【実施例１４】
【０５０３】
実施例１４においては，「掃除機をかけながら移動し続ける人体を恒常的に冷却する装置をより高度に提供すること」を課題とし，該課題を解決するための手段として「送風制御装置」，「前記送風制御装置を有する扇風機」，「前記送風制御装置を有する掃除機」，および，それらの手段の効果を詳細に説明する。
【０５０４】
本明細書において，「送風制御装置」とは，
「電源又は受電可能な端子と，コンピュータと，センサーと，給電制御手段と，電動機と，羽根車を備え，
前記センサーは信号データを生成し，
前記信号データを前記コンピュータは入力し，
前記コンピュータは前記信号データから制御データを生成し，
前記制御データを前記給電制御手段は入力し，
前記給電制御手段は前記制御データに基づいて前記電源又は受電可能な端子から前記電動機への給電を制御し，
前記電動機は前記羽根車を駆動すること，
を特徴とする送風制御装置」
である。
【０５０５】
前記「送風制御装置」として利用できる別の「送風制御装置」は，「前記センサーが，モーションセンサー，加速度センサー，ジャイロセンサー，ＧＰＳセンサー，磁気センサー，照度センサー，トルクセンサー，圧力センサーの少なくともいずれか１つであって，前記センサーが生成する信号データを入力する前記コンピュータが，前記信号データに基づいて前記送風制御装置の動的状態を反映する動的データを生成し，前記動的データに基づいて，前記制御データを生成する前記のいずれか送風制御装置」である。
【０５０６】
これにより，前記動的データが反映する前記送風制御装置の動的状態に基づいて送風を制御することができる効果を得ることができる。例えば，前記送風制御装置が移動しているときは，前記送風制御装置を有する機器が使用されているときであることから，送風を行う制御を行うことができる。また，前記送風制御装置が移動していないときは，前記送風制御装置を有する機器が使用されていないときであることから，送風を止める制御を行うことができる。
【０５０７】
前記送風制御装置を有する扇風機を有する掃除機を用いることにより，ユーザの動きに合わせて該扇風機の稼働を制御できる効果を得ることができる。よって，掃除機をかけながら移動し続ける人体を恒常的に冷却する装置をより高度に提供するという課題を解決することができる。
【０５０８】
前記「送風制御装置」として利用できる別の「送風制御装置」は，「前記センサーが温度センサー，湿度センサー，温湿度センサー，気圧センサーの少なくともいずれか１つであって，前記センサーが生成する信号データを入力する前記コンピュータが，前記信号データに基づいて前記送風制御装置の環境状態を反映する環境データを生成し，前記環境データに基づいて，前記制御データを生成する前記のいずれか送風制御装置」である。
【０５０９】
これにより，前記環境データが反映する前記送風制御装置の環境状態に基づいて送風を制御することができる効果を得ることができる。例えば，前記送風制御装置の周囲の環境の気温が高い時は送風を行う制御を行うことができる。また，前記送風制御装置の環境の気温が低い時は，送風を止める制御を行うことができる。
【０５１０】
前記送風制御装置を有する扇風機を有する掃除機を用いることにより，ユーザの環境に合わせて該扇風機の稼働を制御できる効果を得ることができる。よって，掃除機をかけながら移動し続ける人体を恒常的に冷却する装置をより高度に提供するという課題を解決することができる。
【０５１１】
図４４は，電源８００から電動機８０２への給電を給電制御手段８０１で制御する送風制御装置の例である。
【０５１２】
給電制御手段８０１，電動機８０２，コンピュータ８０３，カメラ８０４，センサー８０５，通信装置８０６は，いずれも電源８００から供給される電気を利用する手段である。図４４には，前記電気を利用する手段の間の通信，給電，及び／又は，制御を線で示している。
【０５１３】
カメラ８０４は，画像データを前記信号データとして定期的に生成する。カメラ８０４は前記信号データをコンピュータ８０３に定期的に送信し，コンピュータ８０３は前記信号データを定期的に入力する。
【０５１４】
センサー８０５は，モーションセンサー，加速度センサー，ジャイロセンサー，磁気センサー，ＧＰＳセンサー，照度センサー，トルクセンサー，圧力センサーなどの「センサーが設置された部品の動きを反映した信号データを生成するセンサー（以下，「動的センサー」とよぶ）」の他，温度センサー，湿度センサー，温湿度センサー，気圧センサーなどの「周囲の環境を反映した信号データを生成するセンサー（以下，「環境センサー」とよぶ）」のいずれか，又はそれらの複数の組み合わせである。センサー８０５は前記信号データをコンピュータ８０３に定期的に送信し，コンピュータ８０３は前記信号データを定期的に入力する。
【０５１５】
通信装置８０６は，ネットワーク回線等を通じて，外部の情報機器からデータを取得できる。例えば，インターネットのいずれかのサイトに接続して，気象情報などのデータを取得することができる。
【０５１６】
通信装置８０６はコンピュータ８０３と接続されており，コンピュータ８０３からのリクエストに応じて必要なデータを外部の情報機器から取得することができる。例えば，ＧＰＳセンサー８０５が生成する位置情報を反映した信号データを入力したコンピュータ８０３が該信号データが反映する位置情報を通信装置８０６に送信し，通信装置８０６が該位置情報を外部の情報機器に送信することで，外部の情報機器から現在位置における気象情報などのデータを取得することもできる。
【０５１７】
コンピュータ８０３は，カメラ８０４から定期的に入力する信号データの比較をするための差分データを計算する。コンピュータ８０３は該差分データに基づいてカメラ８０４が設置された部品の動きの程度を反映した動的データを生成する。コンピュータ８０３は該動的データ及び／又は該信号データに基づいて制御データを生成し，給電制御手段８０１へ該制御データを送る。給電制御手段８０１は該制御データを入力し，該制御データに基づいて，電源８００から電動機８０２に給電する電圧を変化させる。
【０５１８】
コンピュータ８０３は，動的センサーを含むセンサー８０５から定期的に入力する信号データの比較をするための差分データ又は動的状態を反映する積分データを計算する。コンピュータ８０３は該差分データ又は積分データに基づいてセンサー８０５が設置された部品の動きの程度を反映した動的データを生成する。コンピュータ８０３は該動的データ及び／又は該信号データに基づいて制御データを生成し，給電制御手段８０１へ該制御データを送る。給電制御手段８０１は該制御データを入力し，該制御データに基づいて，電源８００から電動機８０２に給電する電圧を変化させる。
【０５１９】
コンピュータ８０３は，環境センサーを含むセンサー８０５から定期的に入力する信号データに基づいてセンサー８０５が設置された部品の周囲の環境の状態を反映した環境データを生成する。コンピュータ８０３は該環境データ及び／又は該信号データに基づいて制御データを生成し，給電制御手段８０１へ該制御データを送る。給電制御手段８０１は該制御データを入力し，該制御データに基づいて，電源８００から電動機８０２に給電する電圧を変化させる。
【０５２０】
コンピュータ８０３は，カメラ８０４，センサー８０５，通信装置８０６から入力する信号データを統合的に処理することで，より適切な制御データを給電制御手段８０１に送信し，電動機８０２をより適切に制御することができる。例えば，気温が高い環境において前記部品が移動した場合には送風を開始し，気温が低い環境で前記部品が移動した場合には送風を開始しない制御を行うこともできる。さらに，実施例１６に示す「扇風機による人体動作アシスト機能」というより高度な制御を行うこともできる。
【０５２１】
画像処理に基づく高度な制御の例としては，「コンピュータ８０３はカメラ８０４から定期的に入力する信号データである画像データの中に人間の顔の画像が含まれているかどうかを判定する処理を行い，人の顔の画像が含まれていたときには，給電制御手段８０１に制御データを送信し，電動機８０２への給電を開始して，送風を開始する」こともできる。
【０５２２】
画像処理に基づく高度な制御の別の例としては，「コンピュータ８０３はカメラ８０４から定期的に受信する撮影画像のデータの中に人間の顔の画像が含まれているかどうかを判定する処理を行い，さらに人の顔の表情を判定する処理を行い，その判定結果に基づいて，給電制御手段８０１に制御データを送り，電動機８０２への給電の電圧を変化させることもできる。例えば，不快な表情であるという判定結果に対しては，給電の電圧を高くする制御データを給電制御手段８０１に送信することで，電動機８０２をより速く回転させ，送風の量を増やす」こともできる。
【０５２３】
前記のいずれかの送風制御装置を有する請求項１から１１のいずれか又は請求項１４に記載の扇風機を利用することで，該扇風機を掃除機の通気パイプに装着して利用できる効果を得ることができる。よって，掃除機をかけながら移動し続ける人体を恒常的に冷却する装置をより高度に提供するという課題を解決することができる。
【０５２４】
「前記給電制御手段が給電する前記電動機が２以上であることを特徴とする前記のいずれかの送風制御装置」を有する請求項１０に記載の扇風機を利用することで，該扇風機の２以上の電動機が駆動する羽根車を前記送風制御装置で制御できる効果を得ることができる。よって，掃除機をかけながら移動し続ける人体を恒常的に冷却する装置をより高度に提供するという課題を解決することができる。
【０５２５】
前記のいずれかの送風制御装置を有する請求項１２に記載の掃除機を用いることにより，ユーザの動き又は環境に合わせて前記扇風機の稼働を制御できる効果を得ることができる。よって，掃除機をかけながら移動し続ける人体を恒常的に冷却する装置をより高度に提供するという課題を解決することができる。
【０５２６】
前記の手段８００から８０６を配置した形態の例としては，図３９から４３に記載のマルチポートハブ７０１に給電制御手段８０１とコンピュータ８０３を格納する。さらにマルチポートハブ７０１にカメラ８０４とセンサー８０５と通信装置８０６を搭載する。
【０５２７】
電源８００を有する掃除機又は電源８００に接続された掃除機が有する給電可能なポート型端子６０５に，マルチポートハブ７０１の受電可能なプラグ型端子７０２を装着することにより，電源８００と給電制御手段８０１が接続される。
【０５２８】
さらに，マルチポートハブ７０１のポート型端子７０３に扇風機６００のプラグ型端子６０４を装着することにより，給電制御手段８０１と電動機８０２が接続される。
【０５２９】
以上により，「図４４に記載の全ての手段が接続された装置」が提供される。前記「図４４に記載の全ての手段が接続された装置」は，関連発明Ａ１からＡ１０に記載の発明に係る掃除機でもある。
【０５３０】
前記「図４４に記載の全ての手段が接続された装置」において，プラグ型端子７０２をポート型端子６０５から離脱させた扇風機７００（マルチポートハブ７０１と２つの扇風機６００を有する扇風機）は，関連発明Ｃ１からＣ７及びＤ１からＤ７に記載の発明に係る扇風機である。
【０５３１】
前記「図４４に記載の全ての手段が接続された装置」において，プラグ型端子６０４をポート型端子７０３から離脱させた通気パイプ（マルチポートハブ７０１と通気パイプ６０６を有する通気パイプ）は，関連発明Ｅ１からＥ１６及びＥ１８に記載の発明に係る通気パイプである。
【実施例１５】
【０５３２】
（逆回転トルクを発生させない送風機，上昇／下降気流を発生させる送風機）
送風機を通気パイプに着けて該送風機の羽根車を回転させた場合に，該羽根車の回転方向と反対の回転方向に該通気パイプを回転させるトルク（以下，「逆回転トルク」とよぶ）が発生して，該逆回転トルクが該通気パイプを支持する手に負担をかける場合がある。
【０５３３】
実施例１５において解決すべき課題は，「通気パイプに着ける送風機であって，該送風機の羽根車の回転によって生じる逆回転トルクが該通気パイプを支持する手の負担にならない送風機を提供すること」である。
【０５３４】
前記「実施例１５において解決すべき課題」を解決するために利用できる手段としては，「時計回りに回転する羽根車の数と反時計回りに回転する羽根車の数が等しい送風機」である。
すなわち
「電源又は受電可能な端子と，
Ｎ個の電動機と，
前記各電動機とは反対方向に回転するＮ個の電動機と，
Ｎ個の羽根車と，
前記各羽根車とは反対方向に回転するＮ個の羽根車を備え，
前記各電動機は前記各羽根車を駆動し，
Ｎは１以上であることを特徴とする送風機」
である（以下，「正反回転式送風機」とよぶ）。これにより，「羽根車の回転によって発生する逆回転トルクを前記正反回転式送風機全体としてキャンセルする効果」を得ることができる。
【０５３５】
よって，前記「正反回転式送風機」を通気パイプに着けることによって，「通気パイプに着ける送風機であって，該送風機の羽根車の回転によって生じる逆回転トルクが該通気パイプを支持する手の負担にならない送風機を提供する」という課題を解決することができる。
【０５３６】
前記「正反回転式送風機」であって，「ハンドルを有する送風機」又は「ハンドルを有する通気パイプを装着した送風機」を「ハンドル付き正反回転式送風機」とよぶ。
【０５３７】
なお，「請求項９又は１０に記載の扇風機であって，前記正反回転式送風機である扇風機」を提供することにより，「通気パイプに着ける扇風機であって，該扇風機の羽根車の回転によって生じる逆回転トルクが該通気パイプを支持する手の負担にならない扇風機を提供できる効果」を得ることができる。
【０５３８】
本明細書において，「時計回り」とは，「ユーザの目線方向から回転軸を見たときに時計回り」に回転する（又はひねる）ということである。また，「反時計回り」とは，「前記ユーザの目線方向から回転軸を見たときに反時計回り」に回転する（又はひねる）ということである。図５において，ユーザの目線方向とは，ハンドル１２４の側からヘッド１３７の側に向かってロール回転軸１４０に平行に見たときの方向である。また，図５１において，ユーザの目線方向とは，ハンドル９２５の側からヘッド９３２の側に向かってロール回転軸１４０に平行にみたときの方向である。ただし，前記羽根車の回転軸の方向を変えることができる可動部を有する送風機においては，前記羽根車をユーザに向けて送風する方向（図５においてヘッド１３７の側からハンドル１２４の側に向けた方向）に向けてあるものとする。
【０５３９】
前記「正反回転式送風機」であって，時計回りに回転する羽根車の数と反時計回りに回転する羽根車の数の合計がＭである送風機を，「Ｍ型正反回転式送風機」とよぶ。時計回りに回転する羽根車と反時計回りに回転する羽根車を１つずつ有する正反回転式送風機を「２型正反回転式送風機」とよび， 時計回りに回転する羽根車と反時計回りに回転する羽根車を２つずつ有する正反回転式送風機を「４型正反回転式送風機」とよぶ。
【０５４０】
前記「正反回転式送風機」であって，「全ての前記羽根車の回転軸が同一直線上にある送風機」を「正反回転式同軸回転式送風機」とよぶ。
【０５４１】
前記「正反回転式送風機」であって，「正反回転式同軸回転式送風機ではない送風機」を「正反回転式非同軸回転式送風機」とよぶ。
【０５４２】
前記「２型正反回転式非同軸回転式送風機」の特筆すべき効果として，「下降気流を発生させる効果」を得ることができることを以下に説明する。
【０５４３】
図２２から２３に記載の２つの羽根車を有する扇風機において，一方の羽根車を時計回りに回転させ，もう一方の羽根車を反時計回りに回転させた扇風機は，請求項１０に記載の扇風機であって，「２型正反回転式非同軸回転式送風機である扇風機」である。該扇風機の構造の一部を断面図で図４５に示す。
【０５４４】
図４５に記載の扇風機が有する左側の単扇風機１８７は時計回りに回転する羽根車９０２から左ねじ回転で進む螺旋気流９０４を発生させる。また，該扇風機が有する右側の単扇風機１８８は反時計回りに回転する羽根車９０３から右ねじ回転で進む螺旋気流９０５を発生させる。螺旋気流９０４と螺旋気流９０５は，該２つの螺旋気流の間の境界面９０６において，気流の方向が一致するため互いに気流を強めあうことができる。このため，ロール回転軸１４０に沿って進行する気流とともに，下降気流９０７も発生する。
【０５４５】
よって，図４５に記載の扇風機を掃除機の通気パイプ１２０に装着して，左側の単扇風機１８７に時計回りに回転する羽根車９０２を配置し，右側の単扇風機１８８に反時計回りに回転する羽根車９０３を配置したときに，「ハンドル付近に下降気流を発生させる効果」を得ることができる（以下，前記配置を「下降気流を発生させる配置」とよぶ）。
【０５４６】
このため，掃除中に舞い上がる塵埃が少ない上方に存在する空気を，下降気流９０７によって，ユーザに向けて送風することができる効果を得ることができる。
【０５４７】
さらに，図４５に記載の扇風機の特筆すべき効果として，ロール回転可動部１５３において扇風機全体を回転させることで，「前記下降気流だけでなく，上昇気流や横方向気流を発生させることができる効果」を得ることができる。このため，図４６に示すように，左側の単扇風機１８７に反時計回りに回転する羽根車９０３を配置し，右側の単扇風機１８８に時計回りに回転する羽根車９０２を配置したときに，上昇気流９０８を発生させる効果を得ることができる（以下，前記配置を「上昇気流を発生させる配置」とよぶ）。
【０５４８】
図４６に示すように，前記「２型正反回転式非同軸回転式送風機である扇風機」を前記「上昇気流を発生させる配置」で用いて，テーブル９１４の上空を横から送風することにより，テーブル９１４の上空に上昇気流９０８を発生させることができ，テーブル９１４への塵埃の落下を防ぐことができる効果を得ることができる。これにより，食品や展示物を配置したテーブル９１４への塵埃の落下を防ぐ扇風機を提供できる効果を得ることができる。
【０５４９】
よって，請求項１０に記載の扇風機であって，前記「２型正反回転式非同軸回転式送風機である扇風機」を提供することよって，掃除中は「下降気流を発生させる配置」で通気パイプに装着して塵埃の少ない気流をユーザに送風するために使用し，掃除中以外は，図２４と２５に記載の支柱に装着して「上昇気流を発生させる配置」で使用することで，ダイニングテーブル等への塵埃の落下を防ぐことができる効果を得ることができる。
【０５５０】
（逆回転トルクを発生させない掃除機）
なお，前記「正反回転式送風機」の特筆すべき効果としては，これを利用した別の関連発明として，前記「正反回転式送風機によって陰圧を発生させる掃除機」がある。
すなわち，
「電源又は受電可能な端子と，
Ｎ個の電動機と，
前記各電動機とは反対方向に回転するＮ個の電動機と，
Ｎ個の羽根車と，
前記各羽根車とは反対方向に回転するＮ個の羽根車を備え，
前記各電動機は前記各羽根車を駆動して陰圧を発生させ，
Ｎは１以上であることを特徴とする掃除機」である。
以下，前記「正反回転式送風機によって陰圧を発生させる掃除機」を「逆回転トルクをキャンセルする掃除機」とよぶ。
【０５５１】
前記「逆回転トルクをキャンセルする掃除機」の実施の形態としては，図４９から５１に記載の「電源又は受電可能な端子と，電動機９２２と，前記電動機９２２とは反対方向に回転する電動機９２３と，羽根車９２０と，前記羽根車９２０とは反対方向に回転する羽根車９２１を備え，前記電動機９２２は前記羽根車９２０を駆動し，前記電動９２３は前記羽根車９２１を駆動する２型正反回転式非同軸回転式送風機」によって陰圧を発生させることを特徴とする掃除機９５０である。すなわち，掃除機９５０は，「２型正反回転式非同軸回転式送風機によって陰圧を発生させる掃除機」である。これにより，「電動機と羽根車の回転によって生じる逆回転トルクをキャンセルすることで，前記掃除機を支持する手に負担をかけない効果」と，「２つの電動機を有することにより，吸引力が強くなる効果」を両方得ることができる。
【０５５２】
前記「逆回転トルクをキャンセルする掃除機」の実施の別の形態としては，特開２０１１−１８９１３２の図１に記載の「スティックバキューム掃除機」において，前記「２型正反回転式非同軸回転式送風機」を，可搬型真空掃除機３の内部に設置して前記羽根車による陰圧を発生させることで，「電動機と羽根車の回転によって生じる逆回転トルクをキャンセルすることで，前記掃除機を支持する手に負担をかけない効果」と，「２つの電動機を有することにより，吸引力が強くなる効果」を両方得ることができる。
【０５５３】
前記「逆回転トルクをキャンセルする掃除機」の実施の別の形態としては，特開２０１６−１１２０７６の図１に記載の「スティック型電気掃除機」において，前記「２型正反回転式非同軸回転式送風機」を，掃除機本体３の内部に設置して前記羽根車による陰圧を発生させることで，「電動機と羽根車の回転によって生じる逆回転トルクをキャンセルすることで，前記掃除機を支持する手に負担をかけない効果」と，「２つの電動機を有することにより，吸引力が強くなる効果」を両方得ることができる。
【０５５４】
前記「逆回転トルクをキャンセルする掃除機」の実施の別の形態としては，特開２０１５−２１３６３２の図４に記載の「電気掃除機」において，前記「２型正反回転式非同軸回転式送風機」を，掃除機本体１の内部に設置して前記羽根車による陰圧を発生させることで，「電動機と羽根車の回転によって生じる逆回転トルクをキャンセルすることで，前記掃除機を支持する手に負担をかけない効果」と，「２つの電動機を有することにより，吸引力が強くなる効果」を両方得ることができる。
【０５５５】
前記「逆回転トルクをキャンセルする掃除機」の実施の別の形態としては，特開２０１２−０９０７６２の図１に記載の「電気掃除機」において，前記「２型正反回転式非同軸回転式送風機」を，掃除機本体１の内部に設置して前記羽根車による陰圧を発生させることで，「電動機と羽根車の回転によって生じる逆回転トルクをキャンセルすることで，前記掃除機を支持する手に負担をかけない効果」と，「２つの電動機を有することにより，吸引力が強くなる効果」を両方得ることができる。
【０５５６】
なお，前記「逆回転トルクをキャンセルする掃除機」の実施の形態のいずれかに記載の掃除機において，前記「２型正反回転式非同軸回転式送風機」の代わりに，「２型正反回転式同軸回転式送風機」を用いる掃除機も実施可能な形態である。具体的には，前記「逆回転トルクをキャンセルする掃除機」の実施の形態のいずれかに記載の掃除機の内部に設置された前記「２型正反回転式非同軸回転式送風機」において互いに平行逆回転する２つの電動機の回転軸を，同一直線上に前後に配置することによって，「２型正反回転式同軸回転式送風機によって陰圧を発生させる掃除機」の実施の形態とすることができる。
【０５５７】
前記「逆回転トルクをキャンセルする掃除機」の特筆すべき効果は，「特に，電源を入れて電動機が回転し始めた時に顕著に現れやすい逆回転トルクによる手首等へのストレスをキャンセルできる効果」である。従来技術の掃除機では，電源を入れたときに掃除機本体の電動機が強い逆回転トルクを発生するため，該本体を手に下げて移動したり，スティック型掃除機として手で操作する際に，手首への大きな負担となっていた。このため，腱鞘炎や母指ＣＭ関節症を抱える患者にとっては，手に負担のかからない掃除機が求められていた。これに対し，前記「逆回転トルクをキャンセルする掃除機」は，逆回転トルクによる手首等へのストレスをキャンセルできる効果を掃除機にもたらすものであり，従来技術にない画期的な進歩を掃除機にもたらすものである。すなわち，特に掃除機において，前記逆回転トルクをキャンセルする効果を利用することに着目した本明細書に記載の発明は，従来技術を著しく発展させる効果を有するものである。
【実施例１６】
【０５５８】
（人体動作をアシストする扇風機と掃除機）
実施例１６において解決すべき課題は，「人体動作をアシストする機能を有する扇風機と掃除機を提供すること」である。
【０５５９】
前記「正反回転式送風機」の最も特筆すべき効果は，以下に詳しく述べる送風制御装置を追加することで，「時計回りに回転する電動機が発生する反時計回りの逆回転トルク」と「反時計回りに回転する電動機が発生する時計回りの逆回転トルク」の差を「アシストトルク」として利用する制御を行うことができる効果である。これにより，「人体動作アシスト機能を有する送風機」を提供することができる。
【０５６０】
ユーザが「ハンドル付き正反回転式送風機を時計回りにひねるハンドル操作」をした際に，前記「反時計回りに回転する羽根車」の回転速度を，前記「時計回りに回転する羽根車」よりも速くすることで，該送風機を時計回りに回転させるトルクが該送風機に発生し，該ユーザの前記「時計回りにひねるハンドル操作」をアシストする効果を得ることができる。また，ユーザが「ハンドル付き正反回転式送風機を反時計回りにひねるハンドル操作」をした際に，前記「時計回りに回転する羽根車」の回転速度を，前記「反時計回りに回転する羽根車」よりも速くすることで，該送風機を反時計回りに回転させるトルクが該送風機に発生し，該ユーザの前記「反時計回りにひねるハンドル操作」をアシストする効果を得ることができる。
【０５６１】
前記「アシストする効果」を効果的に利用するための送風制御装置として，実施例１４に記載の送風制御装置を追加した前記「正反回転式送風機」を，「正反回転式送風制御式送風機」とよぶ。また，前記「正反回転式送風制御式送風機」であって，「ハンドルを有する送風機」又は「ハンドルを有する通気パイプを装着した送風機」を「ハンドル付き正反回転式送風制御式送風機」とよぶ。
【０５６２】
図４９から５１に記載の送風機９４０は，前記「ハンドル付き正反回転式送風制御式送風機」である。また，掃除機９５０は「送風機９４０によって陰圧を発生させる掃除機」である（以下，「ハンドル付き正反回転式送風制御式送風機によって陰圧を発生させる掃除機」とよぶ）。
【０５６３】
送風機９４０は，時計回りに回転する羽根車９２０と反時計回りに回転する羽根車９２１を有し，羽根車９２０は時計回りに回転する電動機９２２によって駆動され，羽根車９２１は反時計回りに回転する電動機９２３によって駆動され，電動機９２２と電動機９２３は枠９２４によって支持され，枠９２４はハンドル９２５により支持され，ハンドル９２５はユーザの手によって支持される。
【０５６４】
また，枠９２４は通気パイプ着脱手段を有する枠９２７からも支持され，枠９２７は開口部９２８に通気パイプ９２９の開口部を装着することにより通気パイプ９２９から支持され，通気パイプ９２９は回転可動部９３１を介してヘッド９３２によって支持され，ヘッド９３２は床面に接触することで床面から支持される。
【０５６５】
枠９２７の内部には，ゴミを集積するためのフィルターが備えられており，羽根車９２０と羽根車９２１を回転させて枠９２７の内部に陰圧を発生させることで，ヘッド９３２からゴミを含む空気を流入させ，該空気を通気パイプ９２９を経由させて前記フィルターを通過させてから排出することにより，前記フィルター内にゴミを集める。よって，図４９から５１に記載の装置は掃除機９５０として機能する。掃除機９５０は手持部９２５と接地部９３２を有する筒状体９２９を有している。送風機９４０は，電動機９２２及び電動機９２３を支持する枠９２４とハンドル９２５の間に前記送風制御装置のトルクセンサー９２６を有している。トルクセンサー９２６は圧力センサー（半導体ピエゾ抵抗拡散圧力センサー又は，ひずみゲージ式圧力センサー）を利用してハンドル９２５と枠９２４の間のロール回転軸１４０方向のねじれの力をトルクセンサー９２６の部品が受ける圧力として計測することによりトルクを計測している。ただし，前記トルクセンサーとして利用可能なセンサーは該圧力センサーに限定されず，公知のあらゆる圧力センサー，回転式トルクセンサー，非回転式トルクセンサー，角加速度センサー，などを利用して実現することができる。
【０５６６】
送風機９４０は，ユーザがハンドル９２５を時計回りにひねるハンドル操作により，掃除機９５０全体を通気パイプ９２９の中心軸１４０（ロール回転軸１４０）で時計回りに回転させるトルク（以下，「ユーザトルク」とよぶ）をハンドル９２５に加えると，トルクセンサー９２６は該ユーザトルクを反映した信号データを生成し，前記信号データを前記送風制御装置のコンピュータが入力し，前記コンピュータは時計回りに回転する電動機９２２の電圧を下げて反時計回りに回転する電動機９２３の電圧を上げる制御データを生成し，該制御データを入力した前記送風制御装置の給電制御手段は電動機９２１と電動機９２２への給電を制御する。これにより，送風機９４０を時計回りに回転させるトルク（以下，「アシストトルク」とよぶ）が発生し，該ユーザトルクと該アシストトルクを合計したトルク（以下，「トータルトルク」とよぶ）を，送風機９４０及び通気パイプ９２９を介してヘッド９３２に伝えることで，掃除機９５０全体を中心軸１４０で時計回りに回転させることができる。よって，ユーザトルクよりも大きなトータルトルクで掃除機９５０を時計回りに回転させることができ，アシスト効果を得ることができる。よって，「人体動作をアシストする機能を有する掃除機を提供する」という課題を解決することができる。
【０５６７】
送風機９４０は，ユーザがハンドル９２５を反時計回りにひねるハンドル操作により，掃除機９５０全体を中心軸１４０で反時計回りに回転させるユーザトルクをハンドル９２５に加えると，トルクセンサー９２６は該ユーザトルクを反映した信号データを生成し，前記信号データを前記送風制御装置のコンピュータが入力し，前記コンピュータは反時計回りに回転する電動機９２３の電圧を下げて時計回りに回転する電動機９２２の電圧を上げる制御データを生成し，該制御データを入力した前記送風制御装置の給電制御手段は電動機９２１と電動機９２２への給電を制御する。これにより，送風機９４０を反時計回りに回転させるアシストトルクが発生し，該ユーザトルクと該アシストトルクを合計したトータルトルクを，送風機９４０及び通気パイプ９２９を介してヘッド９３２に伝えることで，掃除機９５０全体を中心軸１４０で反時計回りに回転させることができる。よって，ユーザトルクよりも大きなトータルトルクで掃除機９５０を反時計回りに回転させることができ，アシスト効果を得ることができる。よって，「人体動作をアシストする機能を有する掃除機を提供する」という課題を解決することができる。
【０５６８】
すなわち，「ハンドル付き正反回転式送風制御式送風機によって陰圧を発生させる掃除機」とは，
「ハンドルと，
電源又は受電可能な端子と，
コンピュータと，
センサーと，
給電制御手段と，
電動機と，
前記電動機とは反対方向に回転する電動機と，
羽根車と，
前記羽根車とは反対方向に回転する羽根車を備え，
前記センサーは信号データを生成し，
前記信号データを前記コンピュータは入力し，
前記コンピュータは前記信号データから制御データを生成し，
前記制御データを前記給電制御手段は入力し，
前記給電制御手段は前記制御データに基づいて前記電源又は受電可能な端子から前記各電動機への給電を制御し，
前記各電動機は前記各羽根車を駆動して陰圧を発生させること
を特徴とする掃除機」
である（以下，「人体動作アシスト機能を有する掃除機」とよぶ）。
【０５６９】
これにより，次の数式に基づいてアシストトルクを制御することができる。
「送風機を時計回りに回転させるアシストトルク」
＝「反時計回りに回転する電動機の逆回転トルク」
−「時計回りに回転する電動機の逆回転トルク」
「送風機を反時計回りに回転させるアシストトルク」
＝「時計回りに回転する電動機の逆回転トルク」
−「反時計回りに回転する電動機の逆回転トルク」
【０５７０】
よって，前記「人体動作アシスト機能を有する掃除機」の制御において，
「反時計回りに回転する電動機への給電圧」＞「時計回りに回転する電動機への給電圧」
とすることで，送風機を時計回りに回転させるアシストトルクを発生させる効果を得ることができる。
【０５７１】
また，前記「人体動作アシスト機能を有する掃除機」の制御において，
「時計回りに回転する電動機への給電圧」＞「反時計回りに回転する電動機への給電圧」
とすることで，送風機を反時計回りに回転させるアシストトルクを発生させる効果を得ることができる。
【０５７２】
また，前記「人体動作アシスト機能を有する掃除機」であって，「前記センサーが，前記ハンドル操作によるトルクを検出できるセンサーである掃除機」が提供される。これにより，ユーザのハンドル操作によるトルクを検出する効果を得ることができる。
【０５７３】
また，前記「人体動作アシスト機能を有する掃除機」のいずれかであって，「前記ハンドル操作によるトルクの回転方向と同じ回転方向にアシストトルクを発生するように，前記各電動機への給電を制御する掃除機」が提供される。これにより，ユーザのハンドル操作によるトルクの回転方向と同じ回転方向にアシストトルクを前記電動機から発生させる効果」を得ることができる。よって，「人体動作をアシストする機能を有する掃除機を提供する」という課題を解決することができる。
【０５７４】
また，前記「人体動作アシスト機能を有する掃除機」のいずれかであって，「前記ハンドル操作によるトルクの回転方向と同方向に回転する前記電動機への給電の電圧を低くする制御を行う掃除機」が提供される。これにより，「ユーザのハンドル操作によるトルクの回転方向と反対の回転方向に発生する逆回転トルクを小さくする効果」と「電力の節約効果」を得ることができる。よって，「人体動作をアシストする機能を有する掃除機を提供する」という課題をより少ない電力で解決することができる。
【０５７５】
また，前記「人体動作アシスト機能を有する掃除機」のいずれかであって，「前記ハンドル操作によるトルクの回転方向と反対方向に回転する前記電動機への給電の電圧を高くする制御を行う掃除機」が提供される。これにより，「ユーザのハンドル操作によるトルクの回転方向と同じ回転方向に発生する逆回転トルクを大きくする効果」と「吸引力を強める効果」を得ることができる。よって，「人体動作をアシストする機能を有する掃除機を提供する」という課題を吸引力を落とさずに解決することができる。
【０５７６】
また，前記「人体動作アシスト機能を有する掃除機」のいずれかであって，「スティック型掃除機である掃除機」が提供される。これにより，前記電動機のロータの回転軸を該スティック型掃除機のハンドルとヘッドを結ぶ回転軸にほぼ平行に配置することができる。よって，「人体動作をアシストする機能を有する掃除機を提供する」という課題をより効果的に解決することができる。なお，前記「ほぼ平行」とは，２つの軸の間の角度が０以上２０度以下又は１６０度以上１８０度以下であることをいう。
【０５７７】
また，前記「人体動作アシスト機能を有する掃除機」のいずれかであって，「前記センサーが，加速度，角加速度及び／又は角速度を検出できるセンサーである送風機」が提供される。これにより，「摩擦力によって手に瞬間的にかかる大きな力の負荷」を抑える効果を得ることができる。具体的には，人間の手が前記ハンドルに加える力の時間的変化と比較して，前記ヘッドが床面と接触することにより生じる摩擦力の時間的変化は「非常に短い時間内での不規則で大きな変化」であることから，該「非常に短い時間内での不規則で大きな変化」を，前記「加速度，角加速度及び／又は角速度を計測するセンサー」で検出し，該変化を打ち消してスムーズに変化するように前記送風機が発生するアシストトルクを制御することができる。これにより，前記「摩擦力によって手に瞬間的にかかる大きな力の負荷」を抑える効果を得ることができ，前記「人体動作アシスト機能を有する掃除機」をより高度に提供できる効果を得ることができる。
【０５７８】
より具体的には，前記「加速度，角加速度及び／又は角速度」はヘッド９３２が床面から受ける摩擦力を反映する信号データを０．１秒以下の間隔で定期的に生成する。前記コンピュータは前記信号データを入力し，前記信号データの時間あたりの差分を計算し，該差分の絶対値が閾値よりも大きい場合は，手の力による変化ではなく，前記摩擦力による変化（すなわち，前記「非常に短い時間内での不規則で大きな変化」）であると判定し，該変化を打ち消す方向にトルクを発生させるための制御データを生成する。前記給電制御手段は前記制御データを入力し，前記各電動機への給電を制御することで， 手に瞬間的にかかる大きな力の負荷を打ち消す方向にトルクを発生させる効果を得ることができる。
【０５７９】
また，前記コンピュータを用いて前記信号データから前記制御データを生成する工程においては，機械学習のアルゴリズムを適用することができる。具体的には，ニューラルネットワーク法を適用して，１以上の前記センサーの信号データを入力とし，２以上の前記電動機への給電を制御する制御データを出力とする学習モデルを構築し，前記センサーが検出するトルクの絶対値の時間積分値を評価関数に用いることで，前記評価関数が最小となるように前記学習モデルのパラメタを最適化することができる。これにより，ユーザの手首にかかるトルクの負荷を最小限に抑える制御が可能となる。さらに前記学習モデルを多階層にすることで，深層学習法を適用することもできる。前記パラメタの最適化は機械学習の分野における当業者により容易に実施可能である。
【０５８０】
前記「人体動作アシスト機能を有する掃除機」の実施の別の形態としては，特開２０１１−１８９１３２の図１と２に記載の「スティックバキューム掃除機」において，前記「ハンドル付き正反回転式送風制御式送風機」を，ハンドル１９及び可搬型真空掃除機３として用いて前記羽根車による陰圧を発生させつつ，前記羽根車の回転軸を細長ワンド５の中心軸とほぼ平行になるように配置することで，前記細長ワンド５の中心軸を回転させる方向のトルクを前記「ハンドル付き正反回転式送風制御式送風機」に発生させ，該トルクを前記送風制御装置で制御することで，前記細長ワンド５の軸を回転させる人体動作をアシストする掃除機を提供することができる。
【０５８１】
前記「人体動作アシスト機能を有する掃除機」の実施の別の形態としては，特開２０１６−１１２０７６の図１に記載の「スティック型電気掃除機」において，前記「ハンドル付き正反回転式送風制御式送風機」を，把手２及び掃除機本体３として用いて前記羽根車による陰圧を発生させつつ，前記羽根車の回転軸を内管１５の中心軸とほぼ平行になるように配置することで，前記内管１５の中心軸を回転させる方向のトルクを前記「ハンドル付き正反回転式送風制御式送風機」に発生させ，該トルクを前記送風制御装置で制御することで，前記内管１５の軸を回転させる人体動作をアシストする掃除機を提供することができる。
【０５８２】
前記「人体動作アシスト機能を有する掃除機」の実施の別の形態としては，特開２０１５−２１３６３２の図４に記載の「電気掃除機」において，前記「ハンドル付き正反回転式送風制御式送風機」を，持ち手ハンドル１３及び掃除機本体１の内部に設置して前記羽根車による陰圧を発生させつつ，前記羽根車の回転軸を延長管４の中心軸とほぼ平行になるように配置することで，前記延長管４の中心軸を回転させる方向のトルクを前記「ハンドル付き正反回転式送風制御式送風機」に発生させ，該トルクを前記送風制御装置で制御することで，前記延長管４の軸を回転させる人体動作をアシストする掃除機を提供することができる。
【０５８３】
前記「人体動作アシスト機能を有する掃除機」の実施の別の形態としては，特開２０１２−０９０７６２の図１に記載の「電気掃除機」において，前記「ハンドル付き正反回転式送風制御式送風機」を，ハンドル体把持部７及び掃除機本体１として用いて前記羽根車による陰圧を発生させつつ，前記羽根車の回転軸をハンドル体把持部７と吸込具３を結ぶ軸とほぼ平行になるように配置することで，前記結ぶ軸を回転させる方向のトルクを前記「ハンドル付き正反回転式送風制御式送風機」に発生させ，該トルクを前記送風制御装置で制御することで，前記結ぶ軸を回転させる人体動作をアシストする掃除機を提供することができる。
【０５８４】
前記「人体動作アシスト機能を有する掃除機」の特筆すべき効果は，「ヘッドをひねる動作において，これまで不可避と考えられていた床面との摩擦が手首に及ぼす負担を軽減できる世界初のアシスト機能を有する掃除機を提供できる効果」である。従来技術のスティック型掃除機では，ヘッドの向きを変えるために掃除機全体を手で回転させる必要があり，手首に大きな負担がかかっていた。また，このとき掃除機の吸引力によってヘッドが床面に張り付くため，さらに大きな摩擦力が発生し，これが手首への負担を増加させていた。このため，腱鞘炎や母指ＣＭ関節症を抱える患者にとって，スティック型掃除機のように手に大きな負担をかける機器を利用することは大変大きな苦痛となっていた。従来技術では，ヘッドを前後に直進させる動作をパワーブラシの回転力でアシストすることは可能であったが，ヘッドの向きを変えるために掃除機全体をひねる動作をアシストすることは従来技術では不可能であった。これに対し，前記「人体動作アシスト機能を有する掃除機」は，ユーザがもつハンドルの向きに従うように掃除機全体を回転させるアシストトルクを掃除機自体に発生させることができるため，従来技術にない画期的な進歩を掃除機にもたらすものである。そして，ＳＨＩＲストレスの原因となる「手首を大きくひねる負荷」を大幅に軽減できる可能性がある技術である。すなわち，特に掃除機において，前記アシスト効果を利用することに着目した本明細書に記載の発明は，従来技術を著しく発展させる効果を有するものである。
【０５８５】
前記「人体動作アシスト機能を有する掃除機」は，スティック型掃除機に利用しやすいのに対し，ホース型掃除機（前記ハンドルを有する通気パイプと掃除機の電動機の間が可変可能なホースによって流体的に接続されているタイプの掃除機）においては，下記の「人体動作アシスト機能を有する扇風機」を効果的に用いることができる。すなわち，請求項１０に記載の扇風機であって，前記「正反回転式非同軸回転式送風制御式送風機」である扇風機を利用することができる。
すなわち，
「ハンドルを有する通気パイプの開口部を着脱できる通気パイプ着脱手段と，
電源又は受電可能な端子と，
コンピュータと，
センサーと，
給電制御手段と，
電動機と，
前記電動機とは反対方向に回転する電動機と，
羽根車と，
前記羽根車とは反対方向に回転する羽根車を備え，
前記センサーは信号データを生成し，
前記信号データを前記コンピュータは入力し，
前記コンピュータは前記信号データから制御データを生成し，
前記制御データを前記給電制御手段は入力し，
前記給電制御手段は前記制御データに基づいて前記電源又は受電可能な端子から前記各電動機への給電を制御し，
前記各電動機は前記各羽根車を駆動すること
を特徴とする扇風機」
である（以下，「人体動作アシスト機能を有する扇風機」とよぶ）。
【０５８６】
また，前記「人体動作アシスト機能を有する扇風機」であって，「前記センサーが，前記ハンドル操作によるトルクを検出できるセンサーである扇風機」が提供される。これにより，ユーザのハンドル操作によるトルクを検出する効果を得ることができる。
【０５８７】
該「トルクセンサー」は，前記ハンドルと前記電動機の間に位置する通気パイプにかかる「ねじれの力」（図５のロール回転軸１４０を中心に回転させるトルク）を計測できるのもであればいかなるセンサーであってもよい。トルクを定量的に計測できるものであってもよいし，トルクを定性的に計測できるものであってもよい。また，図５のロール回転軸１４０を中心に回転できる可動部を有する通気パイプを用いて，該可動部に接続された両側の通気パイプの向きの違いを検知するセンサー（圧力センサー等）であってもよい。
【０５８８】
また，前記「人体動作アシスト機能を有する扇風機」のいずれかであって，「前記ハンドル操作によるトルクの回転方向と同じ回転方向にアシストトルクを発生するように，前記各電動機への給電を制御する扇風機」が提供される。これにより，「ユーザのハンドル操作によるトルクの回転方向と同じ回転方向にアシストトルクを前記電動機から発生させる効果」を得ることができる。よって，「人体動作をアシストする機能を有する扇風機を提供する」という課題を解決することができる。
【０５８９】
また，前記「人体動作アシスト機能を有する扇風機」のいずれかであって，「前記ハンドル操作によるトルクの回転方向と同方向に回転する前記電動機への給電の電圧を低くする制御を行う扇風機」が提供される。これにより，「ユーザのハンドル操作によるトルクの回転方向と反対の回転方向に発生する逆回転トルクを小さくする効果」と「電力の節約効果」を得ることができる。よって，「人体動作をアシストする機能を有する扇風機を提供する」という課題をより少ない電力で解決することができる。
【０５９０】
また，前記「人体動作アシスト機能を有する扇風機」のいずれかであって，「前記ハンドル操作によるトルクの回転方向と反対方向に回転する前記電動機への給電の電圧を高くする制御を行う扇風機」が提供される。これにより，「ユーザのハンドル操作によるトルクの回転方向と同じ回転方向に発生する逆回転トルクを大きくする効果」と「送風力を強める効果」を得ることができる。よって，「人体動作をアシストする機能を有する扇風機を提供する」という課題を送風力を落とさずに解決することができる。
【０５９１】
図４７と４８は「４型正反回転式非同軸回転式送風制御式扇風機」である扇風機９０１の構造の一部の断面図である。２つの時計回りに回転する羽根車９０２がロール回転軸１４０の反対側（ロール回転角で１８０度回転させた位置）に互いに位置している。また，２つの反時計回りに回転する羽根車９０３がロール回転軸１４０の反対側に互いに位置している。すなわち，「時計回りに回転する羽根車と反時計回りに回転する羽根車が互いに隣り合う配置の扇風機」である。 
【０５９２】
扇風機９０１に装着された通気パイプ（ロール回転軸１４０を中心軸とする通気パイプ）が有するハンドルと扇風機９０１の電動機の間にトルクセンサーを有している。ユーザが該ハンドルを支持する手を時計回りにひねるハンドル操作によって，扇風機９０１および該通気パイプを中心軸１４０で時計回りに回転させるユーザトルクを該ハンドルに加えると，該トルクセンサーは該ユーザトルクを反映した信号データを生成し，前記信号データを前記送風制御装置のコンピュータが入力し，前記コンピュータは時計回りに回転する羽根車９０２を駆動する電動機の電圧を下げて反時計回りに回転する羽根車９０３を駆動する電動機の電圧を上げる制御データを生成し，該制御データを入力した前記送風制御装置の給電制御手段は該電動機への給電を制御する。これにより，扇風機９０１を時計回りに回転させるアシストトルクが発生し，該ユーザトルクと該アシストトルクを合計したトータルトルクによって，扇風機９０１および該通気パイプを中心軸１４０で時計回りに回転させることができる。よって，ユーザトルクよりも大きなトータルトルクで扇風機９０１および該通気パイプを時計回りに回転させることができ，アシスト効果を得ることができる。また，同様に，反手時計回りに前記ハンドルをひねる場合にもアシスト効果を得ることができる。また，前記トルクセンサーを安価に実現するために，該ハンドルと該電動機の間のねじれの力を圧力センサーで計測する方法を利用することができる。
【０５９３】
さらに，「人体動作アシスト機能を有する送風機」として，
「ハンドルと，
電源又は受電可能な端子と，
コンピュータと，
センサーと，
給電制御手段と，
電動機と，
前記電動機とは反対方向に回転する電動機と，
羽根車と，
前記羽根車とは反対方向に回転する羽根車を備え，
前記センサーは信号データを生成し，
前記信号データを前記コンピュータは入力し，
前記コンピュータは前記信号データから制御データを生成し，
前記制御データを前記給電制御手段は入力し，
前記給電制御手段は前記制御データに基づいて前記電源又は受電可能な端子から前記各電動機への給電を制御し，
前記各電動機は前記各羽根車を駆動すること
を特徴とする送風機」
が提供される。
【０５９４】
前記「人体動作アシスト機能を有する送風機」が有するハンドルを手持部として，ドライヤー等の手持式機器や，スティック型掃除機等の杖式機器に利用することができる。ただし，「手持式機器」は手持部を有する機器であり，「杖式機器」は手持部と接地部を有する機器である。
【０５９５】
前記「人体動作アシスト機能を有する送風機」の「手持式機器」としての実施の形態の例としては，特開２０１６−１１２４２３に記載の「手持型機器」において，前記「人体動作アシスト機能を有する送風機」を該手持型機器のファンユニット７０として用いることで，人体動作アシスト機能を有するドライヤーを提供することができる。
【０５９６】
なお，本明細書において開示された以上の発明は，特許請求の範囲にかかる発明以外に，以下の関連発明Ａ１からＨ１８に記載の発明が含まれている。これら関連発明については，発明の単一性に基づいて分類し，分割出願を今後行うものとする。
【０５９７】
（関連発明Ａ１）
扇風機を有する掃除機。
【０５９８】
（関連発明Ａ２）
前記扇風機と前記掃除機の間に着脱手段を有する関連発明Ａ１に記載の掃除機。
【０５９９】
（関連発明Ａ３）
前記扇風機と前記掃除機の間に通気パイプ取付手段を有する関連発明Ａ１又はＡ２に記載の掃除機。
【０６００】
（関連発明Ａ４）
関連発明Ａ１からＡ３のいずれかに記載の掃除機であって，「前記掃除機が有する通気パイプが前記扇風機を支持する掃除機」，「前記掃除機が有するハンドルが前記扇風機を支持する掃除機」，「前記掃除機が有する通気パイプとハンドルの間に位置する部品が前記扇風機を支持する掃除機」のいずれかである掃除機。
【０６０１】
（関連発明Ａ５）
関連発明Ａ１からＡ４のいずれかに記載の掃除機であって，「前記通気パイプと前記扇風機の間に着脱手段を有する掃除機」，「前記ハンドルと前記扇風機の間に着脱手段を有する掃除機」，「前記通気パイプと前記ハンドルの間に位置する前記部品と前記扇風機の間に着脱手段を有する掃除機」のいずれかである掃除機。
【０６０２】
（関連発明Ａ６）
関連発明Ａ１からＡ５のいずれかに記載の掃除機であって，「前記通気パイプと前記扇風機の間に通気パイプ取付手段を有する掃除機」，「前記ハンドルと前記扇風機の間に通気パイプ取付手段を有する掃除機」，「前記通気パイプと前記ハンドルの間に位置する前記部品と前記扇風機の間に通気パイプ取付手段を有する掃除機」のいずれかである掃除機。
【０６０３】
（関連発明Ａ７）
関連発明Ａ１からＡ６のいずれかに記載の掃除機であって，「前記通気パイプと前記扇風機の間に給電可能な端子を有する掃除機」，「前記ハンドルと前記扇風機の間に給電可能な端子を有する掃除機」，「前記通気パイプと前記ハンドルの間に位置する前記部品と前記扇風機の間に給電可能な端子を有する掃除機」のいずれかである掃除機。
【０６０４】
（関連発明Ａ８）
前記扇風機への給電を制御する手段を有する関連発明Ａ７に記載の掃除機。
【０６０５】
（関連発明Ａ９）
前記給電可能な端子が標準規格の端子である関連発明Ａ７又はＡ８に記載の掃除機。
【０６０６】
（関連発明Ａ１０）
前記給電可能な端子がユニバーサルシリアルバス規格の端子である関連発明Ａ７からＡ９のいずれかに記載の掃除機。
【０６０７】
（関連発明Ａ１１）
前記給電可能な端子が標準規格の端子ではない関連発明Ａ７又はＡ８に記載の掃除機。
【０６０８】
（関連発明Ａ１２）
請求項１２に記載の掃除機であって，関連発明Ａ１からＡ１１のいずれかに記載の掃除機。
【０６０９】
（関連発明Ｂ１）
通気パイプ挟持手段を有する扇風機であって，前記通気パイプ挟持手段に１以上の通気パイプを挟持できることを特徴とする扇風機であって，前記通気パイプ挟持手段に標準パイプを挟持したときの重心が前記標準パイプの内部空間に位置するように前記標準パイプを挟持できることを特徴とする扇風機。
【０６１０】
（関連発明Ｂ２）
羽根車と，前記羽根車を駆動する電動機と，前記電動機を支持する枠と，前記枠を支持又は挟持手段とする前記通気パイプ挟持手段を有する関連発明Ｂ１に記載の扇風機。
【０６１１】
（関連発明Ｂ３）
重りを有する関連発明Ｂ１又はＢ２に記載の扇風機。
【０６１２】
（関連発明Ｂ４）
関連発明Ｂ１からＢ３のいずれかに記載の扇風機であって，「重りを有し，かつ，前記重りと前記電動機の間において前記標準パイプを挟持できることを特徴とする扇風機」，「重りを有し，かつ，前記標準パイプの中心軸を通る平面の１つを挟んで前記重りと前記電動機が互いに前記平面の反対側に位置することを特徴とする扇風機」，「重りを有し，かつ，前記重りと前記電動機を結ぶ線分の１つが前記標準パイプの内部空間を通過することを特徴とする扇風機」のいずれかである扇風機。
【０６１３】
（関連発明Ｂ５）
電池を有する関連発明Ｂ１からＢ４のいずれかに記載の扇風機。
【０６１４】
（関連発明Ｂ６）
関連発明Ｂ１からＢ５のいずれかに記載の扇風機であって，「電池を有し，かつ，前記電池と前記電動機の間において前記標準パイプを挟持できることを特徴とする扇風機」，「電池を有し，かつ，前記標準パイプの中心軸を通る平面の１つを挟んで前記電池と前記電動機が互いに前記平面の反対側に位置することを特徴とする扇風機」，「電池を有し，かつ，前記電池と前記電動機を結ぶ線分の１つが前記標準パイプの内部空間を通過することを特徴とする扇風機」のいずれかの扇風機。
【０６１５】
（関連発明Ｂ７）
前記重りが，電池である関連発明Ｂ３又はＢ４に記載の扇風機。
【０６１６】
（関連発明Ｂ８）
前記通気パイプ挟持手段にバネを有する関連発明Ｂ１からＢ７のいずれかに記載の扇風機。
【０６１７】
（関連発明Ｂ９）
前記通気パイプ挟持手段にネジ又はクランプを有する関連発明Ｂ１からＢ８のいずれかに記載の扇風機。
【０６１８】
（関連発明Ｂ１０）
前記枠が支持する電動機が２以上であることを特徴とする関連発明Ｂ２からＢ９のいずれかに記載の扇風機。
【０６１９】
（関連発明Ｂ１１）
関連発明Ｂ１からＢ１０のいずれかに記載の扇風機であって，「掃除機の通気パイプを挟持した状態で使用できることを特徴とする扇風機」，「掃除機の通気パイプを挟持した状態で使用することを特徴とする扇風機」のいずれかの扇風機。
【０６２０】
（関連発明Ｂ１２）
掃除機の通気パイプを支持する手にかかる負担を軽減する目的で使用できることを特徴とする関連発明Ｂ１からＢ１１のいずれかに記載の扇風機。
【０６２１】
（関連発明Ｂ１３）
請求項１４に記載の扇風機であって，関連発明Ｂ１からＢ１２のいずれかに記載の扇風機。
【０６２２】
（関連発明Ｃ１）
通気パイプ取付手段を有する扇風機であって，前記通気パイプ取付手段に１以上の通気パイプを着脱できることを特徴とする扇風機。
【０６２３】
（関連発明Ｃ２）
羽根車と，前記羽根車を駆動する電動機と，前記電動機を支持する枠と，前記枠を支持又は着脱手段とする前記通気パイプ取付手段と，を有する関連発明Ｃ１に記載の扇風機。
【０６２４】
（関連発明Ｃ３）
前記枠と前記通気パイプ取付手段の間に着脱手段を有する関連発明Ｃ２に記載の扇風機。
【０６２５】
（関連発明Ｃ４）
関連発明Ｃ１からＣ３のいずれかに記載の扇風機であって，「前記通気パイプ取付手段に１以上の通気パイプの開口部を着脱できる扇風機」，「前記通気パイプ取付手段に掃除機のハンドルを着脱できる扇風機」，「前記通気パイプ取付手段に掃除機のハンドルと通気パイプの間に位置する部品を着脱できる扇風機」のいずれかの扇風機。
【０６２６】
（関連発明Ｃ５）
前記扇風機の重心が前記扇風機に着けられた通気パイプの軸近傍空間に位置することを特徴とする関連発明Ｃ１からＣ４のいずれかに記載の扇風機。
【０６２７】
（関連発明Ｃ６）
前記通気パイプ取付手段が通気パイプ着脱手段又は通気パイプ挟持手段である関連発明Ｃ１からＣ５のいずれかに記載の扇風機。
【０６２８】
（関連発明Ｃ７）
前記通気パイプ取付手段が通気パイプ着脱手段である関連発明Ｃ１からＣ６のいずれかに記載の扇風機。
【０６２９】
（関連発明Ｃ８）
前記通気パイプ取付手段が通気パイプ挟持手段である関連発明Ｃ１からＣ６のいずれかに記載の扇風機。
【０６３０】
（関連発明Ｃ９）
関連発明Ｃ１からＣ８のいずれかに記載の扇風機であって，「掃除機の通気パイプを着けた状態で使用できることを特徴とする扇風機」，「掃除機の通気パイプを着けた状態で使用することを特徴とする扇風機」のいずれかの扇風機。
【０６３１】
（関連発明Ｃ１０）
掃除機の通気パイプを支持する手にかかる負担を軽減する目的で使用できることを特徴とする関連発明Ｃ１からＣ９のいずれかに記載の扇風機。
【０６３２】
（関連発明Ｃ１１）
請求項１４に記載の扇風機であって，関連発明Ｃ１からＣ１０のいずれかに記載の扇風機。
【０６３３】
（関連発明Ｄ１）
受電可能な端子の先端で円柱面上に立つことができる扇風機。
【０６３４】
（関連発明Ｄ２）
前記受電可能な端子が標準規格の端子である関連発明Ｄ１に記載の扇風機。
【０６３５】
（関連発明Ｄ３）
前記受電可能な端子がユニバーサルシリアルバス規格の端子である関連発明Ｄ１又はＤ２に記載の扇風機。
【０６３６】
（関連発明Ｄ４）
２以上の電動機を有する関連発明Ｄ１からＤ３のいずれかに記載の扇風機。
【０６３７】
（関連発明Ｄ５）
前記受電可能な端子と前記扇風機が有する電動機の間に着脱手段を有する関連発明Ｄ１からＤ４のいずれかに記載の扇風機。
【０６３８】
（関連発明Ｄ６）
前記受電可能な端子と前記扇風機が有する電動機の間に可動部を有する関連発明Ｄ１からＤ５のいずれかに記載の扇風機。
【０６３９】
（関連発明Ｄ７）
請求項１４に記載の扇風機であって，関連発明Ｄ１からＤ６のいずれかに記載の扇風機。
【０６４０】
（関連発明Ｅ１）
給電可能な端子を有する通気パイプ。
【０６４１】
（関連発明Ｅ２）
前記給電可能な端子が前記通気パイプの開口部以外にあることを特徴とする関連発明Ｅ１に記載の通気パイプ。
【０６４２】
（関連発明Ｅ３）
前記給電可能な端子が，前記通気パイプ側から電気を供給する端子である関連発明Ｅ１又はＥ２に記載の通気パイプ。
【０６４３】
（関連発明Ｅ４）
前記通気パイプが開口部に有する電極と前記給電可能な端子を接続する電気伝導体を有する関連発明Ｅ１からＥ３のいずれかに記載の通気パイプ。
【０６４４】
（関連発明Ｅ５）
前記給電可能な端子に着けられた扇風機を支持できる関連発明Ｅ１からＥ４のいずれかに記載の通気パイプ。
【０６４５】
（関連発明Ｅ６）
掃除機が有する電動機を含む部品から離脱できる関連発明Ｅ１からＥ５のいずれかに記載の通気パイプ。
【０６４６】
（関連発明Ｅ７）
前記給電可能な端子にフタを有する関連発明Ｅ１からＥ６のいずれかに記載の通気パイプ。
【０６４７】
（関連発明Ｅ８）
関連発明Ｅ１からＥ７のいずれかに記載の通気パイプであって，「ハンドルを有する通気パイプ」，「ハンドルを有する通気パイプと着脱できる通気パイプ」，「ハンドルを有する通気パイプとヘッドの間に挿入できる通気パイプ」のいずれかの通気パイプ。
【０６４８】
（関連発明Ｅ９）
前記給電可能な端子から３００ミリメートル以内の距離にハンドルを有する関連発明Ｅ１からＥ８のいずれかに記載の通気パイプ。
【０６４９】
（関連発明Ｅ１０）
前記通気パイプの前記給電可能な端子の向きと前記ハンドルの付け根の向きが同じであることを特徴とする関連発明Ｅ１からＥ９のいずれかに記載の通気パイプ。
【０６５０】
（関連発明Ｅ１１）
ハンドルの付け根とゴミ吸引口側の開口部の間に前記給電可能な端子が位置することを特徴とする関連発明Ｅ１からＥ１０のいずれかに記載の通気パイプ。
【０６５１】
（関連発明Ｅ１２）
前記通気パイプの手持部とゴミ吸引口側の開口部の間に前記給電可能な端子が位置することを特徴とする関連発明Ｅ１からＥ１１のいずれかに記載の通気パイプ。
【０６５２】
（関連発明Ｅ１３）
前記給電可能な端子が標準規格の端子である関連発明Ｅ１からＥ１２のいずれかに記載の通気パイプ。
【０６５３】
（関連発明Ｅ１４）
前記給電可能な端子がユニバーサルシリアルバス規格の端子である関連発明Ｅ１からＥ１３のいずれかに記載の通気パイプ。
【０６５４】
（関連発明Ｅ１５）
前記給電可能な端子がユニバーサルシリアルバス規格のポート型端子である関連発明Ｅ１からＥ１４のいずれかに記載の通気パイプ。
【０６５５】
（関連発明Ｅ１６）
給電を制御する手段を有する関連発明Ｅ１からＥ１４のいずれかに記載の通気パイプ。
【０６５６】
（関連発明Ｅ１７）
前記給電可能な端子が標準規格ではない端子である関連発明Ｅ１からＥ１２のいずれかに記載の通気パイプ。
【０６５７】
（関連発明Ｅ１８）
関連発明Ｅ１からＥ１８のいずれかに記載の通気パイプを有する請求項１３に記載の通気パイプ着脱手段
【０６５８】
（関連発明Ｆ１）
電源又は受電可能な端子と，コンピュータと，センサーと，給電制御手段と，電動機と，羽根車を備え，前記センサーは信号データを生成し，前記信号データを前記コンピュータは入力し，前記コンピュータは前記信号データから制御データを生成し，前記制御データを前記給電制御手段は入力し，前記給電制御手段は前記制御データに基づいて前記電源又は受電可能な端子から前記電動機への給電を制御し，前記電動機は前記羽根車を駆動することを特徴とする送風制御装置。
【０６５９】
（関連発明Ｆ２）
前記センサーが，モーションセンサー，加速度センサー，ジャイロセンサー，ＧＰＳセンサー，磁気センサー，照度センサー，トルクセンサー，圧力センサー，カメラの少なくともいずれか１つであって，前記センサーが生成する信号データを入力する前記コンピュータが，前記信号データに基づいて前記送風制御装置の動的状態を反映する動的データを生成し，前記動的データに基づいて，前記制御データを生成する関連発明Ｆ２に記載の送風制御装置。
【０６６０】
（関連発明Ｆ３）
前記センサーが温度センサー，湿度センサー，温湿度センサー，気圧センサーの少なくともいずれか１つであって，前記センサーが生成する信号データを入力する前記コンピュータが，前記信号データに基づいて前記送風制御装置の環境状態を反映する環境データを生成し，前記環境データに基づいて，前記制御データを生成する関連発明Ｆ１又はＦ２に記載の送風制御装置。
【０６６１】
（関連発明Ｆ４）
通信装置を有する関連発明Ｆ１からＦ３のいずれかに記載の送風制御装置。
【０６６２】
（関連発明Ｆ５）
関連発明Ｆ１からＦ４のいずれかに記載の送風制御装置を有する請求項１から１１のいずれか又は１４に記載の扇風機。
【０６６３】
（関連発明Ｆ６）
関連発明Ｆ１からＦ４のいずれかに記載の送風制御装置を有する請求項１２に記載の掃除機。
【０６６４】
（関連発明Ｆ７）
関連発明Ｆ１からＦ４のいずれかに記載の送風制御装置を有する請求項１３に記載の通気パイプ着脱手段。
【０６６５】
（関連発明Ｆ８）
関連発明Ｆ１からＦ４のいずれかに記載の送風制御装置を有する関連発明Ａ１からＡ１１のいずれかに記載の掃除機。
【０６６６】
（関連発明Ｆ９）
関連発明Ｆ１からＦ４のいずれかに記載の送風制御装置を有する関連発明Ｃ１からＣ１１のいずれかに記載の掃除機。
【０６６７】
（関連発明Ｆ１０）
関連発明Ｆ１からＦ４のいずれかに記載の送風制御装置を有する関連発明Ｅ１からＥ１８のいずれかに記載の通気パイプ。
【０６６８】
（関連発明Ｇ１）
時計回りに回転する羽根車の数と反時計回りに回転する羽根車の数が等しい送風機。
【０６６９】
（関連発明Ｇ２）
時計回りに回転する羽根車と反時計回りに回転する羽根車を１つずつ有する関連発明Ｇ１に記載の送風機。
【０６７０】
（関連発明Ｇ３）
時計回りに回転する羽根車と反時計回りに回転する羽根車を２つずつ有する関連発明Ｇ１に記載の送風機。
【０６７１】
（関連発明Ｇ４）
着脱手段を有する関連発明Ｇ１からＧ３のいずれかに記載の送風機。
【０６７２】
（関連発明Ｇ５）
前記着脱手段が装着した棒状体又は筒状体の中心軸付近に重心が位置することを特徴とする関連発明Ｇ４に記載の送風機。
【０６７３】
（関連発明Ｇ６）
前記着脱手段が通気パイプ取付手段又は通気パイプ着脱手段である関連発明Ｇ４又はＧ５に記載の送風機。
【０６７４】
（関連発明Ｇ７）
全ての前記羽根車の回転軸が同一直線上にある関連発明Ｇ１からＧ６のいずれかに記載の送風機。
【０６７５】
（関連発明Ｇ８）
全ての前記羽根車に中空部を有する関連発明Ｇ７に記載の送風機。
【０６７６】
（関連発明Ｇ９）
請求項９に記載の扇風機であって，関連発明Ｇ８に記載の送風機を前記扇風機として用いる扇風機。
【０６７７】
（関連発明Ｇ１０）
全ての前記羽根車の回転軸が同一直線上にある送風機ではない関連発明Ｇ１からＧ６のいずれかに記載の送風機。
【０６７８】
（関連発明Ｇ１１）
請求項１０に記載の扇風機であって，関連発明Ｇ１０に記載の送風機を前記扇風機として用いる扇風機。
【０６７９】
（関連発明Ｇ１２）
請求項１４に記載の扇風機であって，関連発明Ｇ１からＧ１１のいずれかに記載の送風機を前記扇風機として用いる扇風機。
【０６８０】
（関連発明Ｈ１）
電源又は受電可能な端子と，Ｎ個の電動機と，前記各電動機とは反対方向に回転するＮ個の電動機と，Ｎ個の羽根車と，前記各羽根車とは反対方向に回転するＮ個の羽根車を備え，前記各電動機は前記各羽根車を駆動し，Ｎは１以上であることを特徴とする送風機。
【０６８１】
（関連発明Ｈ２）
電源又は受電可能な端子と，時計回りに回転する電動機Ａ１と，反時計回りに回転する電動機Ａ２と，時計回りに回転する羽根車Ｂ１と，反時計回りに回転する羽根車Ｂ２を備え，前記電動機Ａ１は前記羽根車Ｂ１を駆動し，前記電動機Ａ２は前記羽根車Ｂ２を駆動することを特徴とする送風機。
【０６８２】
（関連発明Ｈ３）
電源又は受電可能な端子と，時計回りに回転する電動機Ａ１と，反時計回りに回転する電動機Ａ２と，時計回りに回転する電動機Ａ３と，反時計回りに回転する電動機Ａ４と，時計回りに回転する羽根車Ｂ１と，反時計回りに回転する羽根車Ｂ２と，時計回りに回転する羽根車Ｂ３と，反時計回りに羽根車Ｂ４を備え，前記電動機Ａ１は前記羽根車Ｂ１を駆動し，前記電動機Ａ２は前記羽根車Ｂ２を駆動し，前記電動機Ａ３は前記羽根車Ｂ３を駆動し，前記電動機Ａ４は前記羽根車Ｂ４を駆動することを特徴とする送風機。
【０６８３】
（関連発明Ｈ４）
ハンドルと，コンピュータと，センサーと，給電制御手段を備えた関連発明Ｈ１からＨ３のいずれかに記載の送風機であって，前記センサーは信号データを生成し，前記信号データを前記コンピュータは入力し，前記コンピュータは前記信号データから制御データを生成し，前記制御データを前記給電制御手段は入力し，前記給電制御手段は前記制御データに基づいて前記電源又は受電可能な端子から前記各電動機への給電を制御することを特徴とする送風機。
【０６８４】
（関連発明Ｈ５）
前記センサーが，ハンドル操作によるトルクを検出できるセンサーである関連発明Ｈ４に記載の送風機。
【０６８５】
（関連発明Ｈ６）
前記ハンドル操作によるトルクの回転方向と同方向にアシストトルクを発生するように，前記各電動機への給電を制御する関連発明Ｈ４又はＨ５に記載の送風機。
【０６８６】
（関連発明Ｈ７）
前記ハンドル操作によるトルクの回転方向と同方向に回転する前記電動機への給電の電圧を低くする制御を行う関連発明Ｈ４からＨ６のいずれかに記載の送風機。
【０６８７】
（関連発明Ｈ８）
前記ハンドル操作によるトルクの回転方向と反対方向に回転する前記電動機への給電の電圧を高くする制御を行う関連発明Ｈ４からＨ７のいずれかに記載の送風機。
【０６８８】
（関連発明Ｈ９）
通気パイプ着脱手段を有し，前記通気パイプ着脱手段に１以上の通気パイプの開口部を着脱できる関連発明Ｈ４からＨ８のいずれかに記載の送風機。
【０６８９】
（関連発明Ｈ１０）
前記ハンドルの代わりに通気パイプ着脱手段を有し，前記通気パイプ着脱手段にハンドルを有する通気パイプを着脱できる関連発明Ｈ４からＨ８のいずれかに記載の送風機。
【０６９０】
（関連発明Ｈ１１）
請求項１から１１のいずれか又は１４に記載の扇風機であって，関連発明Ｈ９又はＨ１０に記載の送風機を前記扇風機として用いる扇風機。
【０６９１】
（関連発明Ｈ１２）
関連発明Ｈ１からＨ８のいずれかに記載の送風機を有する掃除機。
【０６９２】
（関連発明Ｈ１３）
関連発明Ｈ１０又はＨ１１に記載の扇風機を有する請求項１２に記載の掃除機。
【０６９３】
（関連発明Ｈ１４）
関連発明Ｈ１からＨ８のいずれかに記載の送風機によって陰圧を発生させることを特徴とする掃除機。
【０６９４】
（関連発明Ｈ１５）
関連発明Ｈ１からＨ８のいずれかに記載の送風機を有する手持式機器。
【０６９５】
（関連発明Ｈ１６）
関連発明Ｈ１からＨ８のいずれかに記載の送風機を有するドライヤー。
【０６９６】
（関連発明Ｈ１７）
関連発明Ｈ１からＨ８のいずれかに記載の送風機を有する杖式機器。
【０６９７】
（関連発明Ｈ１８）
前記掃除機がスティック型掃除機である関連発明Ｈ１２からＨ１４のいずれかに記載の掃除機。
【産業上の利用可能性】
【０６９８】
扇風機と掃除機を別々の製品として提供してきた家電メーカにとって，新たな「扇風機付き掃除機」の事業を展開できる製品を提供できる。また，扇風機事業と掃除機事業の相乗効果を生み出せる製品を提供することができる。
【０６９９】
地球温暖化に伴い，熱中症予防のための製品として本発明の需要は高まっていくと予想され，日本での実施はもとより，世界の気温の高い地域にある国々おいて，扇風機や掃除機を輸入，輸出，製造，もしくは販売している企業と協力することにより，本発明を世界的に実施していくことができる。本発明の実施に関する連絡には電子メール（ｔｏｙｏｄａ．ｔｅｔｓｕｒｏ＠ｇｍａｉｌ．ｃｏｍ）を利用することができる。
【符号の説明】
【０７００】
１００  扇風機
１０１  扇風機が有する通気パイプ着脱手段
１０２  扇風機が有する通気パイプ着脱手段が有する筒状体のオス開口部
１０３  扇風機が有する通気パイプ着脱手段が有する筒状体のメス開口部
１０４  オス開口部に設けられたくぼみ
１０５  メス開口部に設けられたツメ
１０６  メス開口部に設けられたボタン（このボタンを指で押すとツメが引っ込む仕組み）
１０７  扇風機が有する通気パイプ着脱手段のオス開口部の電極
１０８  電気伝導手段における電気コード
１０９  中空モータ
１１０  羽根車
１１１  ファンガード
１１２  ロータ
１１３  ステータ
１１４  ボールベアリング
１１５  内側固定枠
１１６  外側固定枠
１１７  ヨー回転可動部
１１８  ピッチ回転可動部
１２０  掃除機のハンドル側通気パイプ
１２１  掃除機のハンドル側通気パイプのメス開口部
１２２  掃除機のハンドル側通気パイプのメス開口部の電極
１２３  掃除機のハンドル側通気パイプの通電スイッチ
１２４  掃除機のハンドル
１２５  掃除機のハンドル側通気パイプの本体側部分
１２６  掃除機のゴミ吸引口側通気パイプ
１２７  掃除機のゴミ吸引口側通気パイプのオス開口部
１２８  掃除機のゴミ吸引口側通気パイプのオス開口部の電極
１２９  掃除機のゴミ吸引口側通気パイプのメス開口部
１３０  中空軸受の内側中空部
１３１  モータ
１３２  モータの回転軸
１３３  ピニオンギア
１３５  充電池ボックス
１３６  扇風機が有する通気パイプ着脱手段のメス開口部の電極
１３７  掃除機の通気パイプのヘッド
１４０  ロール回転軸
１４１  ヨー回転軸
１４２  ピッチ回転軸
１５０  内側固定枠
１５１  中側固定枠
１５２  外側固定枠
１５３  ロール回転可動部
１５４  ヨー回転可動部
１５５  ピッチ回転可動部
１８０  扇風機に着脱できる通気パイプ着脱手段
１８１  扇風機に着脱できる通気パイプ着脱手段の上側着脱部位
１８２  扇風機に着脱できる通気パイプ着脱手段の下側着脱部位
１８３  扇風機に着脱できる通気パイプ着脱手段を着脱できる扇風機上側着脱部位
１８４  扇風機に着脱できる通気パイプ着脱手段を着脱できる扇風機下側着脱部位
１８５  扇風機に着脱できる通気パイプ着脱手段を着脱できる扇風機上側着脱部位の電極
１８６  扇風機に着脱できる通気パイプ着脱手段のオス開口部の電極
１８７  左側の単扇風機
１８８  右側の単扇風機
１９０  通気パイプ着脱手段を枠に着脱できる扇風機
２００  支柱
２０１  台座
２０２  支柱の伸縮可変部
２０３  支柱の角度可変部
２０４  支柱の着脱部位
２０５  支柱のメス電極
２０６  キャップ
２０７  キャップのオス電極
２０８  キャップのメス電極
２０９  支柱着脱手段
２１０  支柱に設けられたくぼみ
２１１  通気パイプ着脱手段のオス開口部に設けられたくぼみ
２１２  キャップに設けられたボタン（このボタンを指で押すとツメが引っ込む仕組み）
３００から３１０  押す，引く，差込む，などの動作を説明する矢印
４００   ２８４グラムの物体の重心を，通気パイプの中心から８５ミリメートルの距離で，通気パイプのハンドルからロール回転角４５度の方向の位置においた実験条件
４０１   ２８４グラムの物体の重心を，通気パイプの中心から８５ミリメートルの距離で，通気パイプのハンドルからロール回転角１８０度の方向の位置においた実験条件
４０２   ５６８グラムの物体の重心を，通気パイプの中心軸上の位置においた実験条件
５００  挟持する標準パイプの内部空間に重心が位置する扇風機
５０１  羽根車
５０２  電動機
５０３  外側固定枠
５０４  中側固定枠
５０５  ピッチ回転可動部
５０６  ヨー回転可動部
５０７  通気パイプ挟持手段
５０８  通気パイプ挟持手段の可動軸
５０９  通気パイプ挟持手段の可動軸受
５１０  通気パイプ挟持手段の手持部
５１１  通気パイプ挟持手段の指圧部
５１２  通気パイプ挟持手段のバネ
５１３  重り
５１４  机
５１５  標準パイプ
５１６  標準パイプの突起
５１７  糸
５１８  標準パイプの中心軸
５１９  標準パイプの中心軸を通る平面
５２０  標準パイプの内部空間
５２１  電池
５２２  電池と電動機を結ぶ線分
５２３  通気パイプ挟持手段の平面部
５２４  通気パイプ挟持手段の曲面部
５２５  糸でつりさげたペアの２つの突起
５２６  糸でつりさげたペアの２つの突起を結ぶ直線
６００  ユニバーサルシリアルバス規格の端子を有する扇風機
６０１  羽根車
６０２  枠
６０３  電動機
６０４  ユニバーサルシリアルバス規格の端子（プラグ型の端子）
６０５  ユニバーサルシリアルバス規格の端子（ポート型の端子）
６０６  掃除機の通気パイプ
６０７  掃除機の通気パイプのハンドル
６０８  掃除機の通気パイプのハンドルの付け根
６０９  掃除機の通気パイプのゴミ吸引口側の開口部
７００  受電可能な端子の先端で円柱面上に立つことができる扇風機
７０１  マルチポートハブ（扇風機へ給電するポート型端子の電圧を調節する給電制御手段を有する電源分岐手段であって，各種デバイスをポート型端子に装着して機能拡張できるタイプのマルチポートハブ）
７０２  マルチポートハブのプラグ型端子
７０３  マルチポートハブのポート型端子
７０４  マルチポートハブの可動部
７０５  マルチポートハブと扇風機の間の着脱部位
７０６  マルチポートハブと通気パイプの間の着脱部位
７０７  受電可能な端子の先端で円柱面上に立つことができる扇風機の重心
７０８  受電可能な端子の先端
７０９  円柱
８００  電源
８０１  給電制御手段
８０２  電動機
８０３  コンピュータ
８０４  カメラ
８０５  センサー
８０６  通信装置
９００  時計回りに回転する羽根車と反時計回りに回転する羽根車を１つずつ有する扇風機
９０１  時計回りに回転する羽根車と反時計回りに回転する羽根車を２つずつ有する扇風機
９０２  時計回りに回転する羽根車
９０３  反時計回りに回転する羽根車
９０４  左ねじ回転で進む螺旋気流
９０５  右ねじ回転で進む螺旋気流
９０６  螺旋気流の境界面
９０７  下降気流
９０８  上昇気流
９０９  横方向気流
９１０  左上単扇風機
９１１  右上単扇風機
９１２  左下単扇風機
９１３  右下単扇風機
９１４  テーブル
９２０  時計回りに回転する羽根車
９２１  反時計回りに回転する羽根車
９２２  時計回りに回転する電動機
９２３  反時計回りに回転する電動機
９２４  枠
９２５  ハンドル
９２６  送風制御装置のトルクセンサー
９２７  通気パイプ着脱手段を有する枠
９２８  通気パイプ着脱手段の開口部
９２９  通気パイプ  
９３０  通気パイプの開口部
９３１  ヘッドの回転可動部
９３２  ヘッド
９４０  ハンドル付き正反回転式送風制御式送風機
９５０  ハンドル付き正反回転式送風制御式送風機によって陰圧を発生させる掃除機
【図１】
2018028318.tif 000003
【図２】
2018028318.tif 000004
【図３】
2018028318.tif 000005
【図４】
2018028318.tif 000006
【図５】
2018028318.tif 000007
【図６】
2018028318.tif 000008
【図７】
2018028318.tif 000009
【図８】
2018028318.tif 000010
【図９】
2018028318.tif 000011
【図１０】
2018028318.tif 000012
【図１１】
2018028318.tif 000013
【図１２】
2018028318.tif 000014
【図１３】
2018028318.tif 000015
【図１４】
2018028318.tif 000016
【図１５】
2018028318.tif 000017
【図１６】
2018028318.tif 000018
【図１７】
2018028318.tif 000019
【図１８】
2018028318.tif 000020
【図１９】
2018028318.tif 000021
【図２０】
2018028318.tif 000022
【図２１】
2018028318.tif 000023
【図２２】
2018028318.tif 000024
【図２３】
2018028318.tif 000025
【図２４】
2018028318.tif 000026
【図２５】
2018028318.tif 000027
【図２６】
2018028318.tif 000028
【図２７】
2018028318.tif 000029
【図２８】
2018028318.tif 000030
【図２９】
2018028318.tif 000031
【図３０】
2018028318.tif 000032
【図３１】
2018028318.tif 000033
【図３２】
2018028318.tif 000034
【図３３】
2018028318.tif 000035
【図３４】
2018028318.tif 000036
【図３５】
2018028318.tif 000037
【図３６】
2018028318.tif 000038
【図３７】
2018028318.tif 000039
【図３８】
2018028318.tif 000040
【図３９】
2018028318.tif 000041
【図４０】
2018028318.tif 000042
【図４１】
2018028318.tif 000043
【図４２】
2018028318.tif 000044
【図４３】
2018028318.tif 000045
【図４４】
2018028318.tif 000046
【図４５】
2018028318.tif 000047
【図４６】
2018028318.tif 000048
【図４７】
2018028318.tif 000049
【図４８】
2018028318.tif 000050
【図４９】
2018028318.tif 000051
【図５０】
2018028318.tif 000052
【図５１】
2018028318.tif 000053
【手続補正書】
【提出日】平成29年10月31日(2017.10.31)
【手続補正１】
【補正対象書類名】特許請求の範囲
【補正対象項目名】全文
【補正方法】変更
【補正の内容】
【特許請求の範囲】
【請求項１】
Ｎ個の電動機と，前記各電動機とは反対方向に回転するＮ個の電動機と，Ｎ個の羽根車と，前記各羽根車とは反対方向に回転するＮ個の羽根車を備え，前記各電動機は前記各羽根車を駆動し，Ｎは１以上であることを特徴とする送風機
又は，
時計回りに回転する電動機Ａ１と，反時計回りに回転する電動機Ａ２と，時計回りに回転する羽根車Ｂ１と，反時計回りに回転する羽根車Ｂ２を備え，前記電動機Ａ１は前記羽根車Ｂ１を駆動し，前記電動機Ａ２は前記羽根車Ｂ２を駆動することを特徴とする送風機
と，
電源又は受電可能な端子と，
を有する掃除機。
【請求項２】
Ｎ個の電動機と，前記各電動機とは反対方向に回転するＮ個の電動機と，Ｎ個の羽根車と，前記各羽根車とは反対方向に回転するＮ個の羽根車を備え，前記各電動機は前記各羽根車を駆動し，Ｎは１以上であることを特徴とする送風機
又は，
時計回りに回転する電動機Ａ１と，反時計回りに回転する電動機Ａ２と，時計回りに回転する羽根車Ｂ１と，反時計回りに回転する羽根車Ｂ２を備え，前記電動機Ａ１は前記羽根車Ｂ１を駆動し，前記電動機Ａ２は前記羽根車Ｂ２を駆動することを特徴とする送風機
と，
電源又は受電可能な端子と，
を有する手持式機器。
【請求項３】
Ｎ個の電動機と，前記各電動機とは反対方向に回転するＮ個の電動機と，Ｎ個の羽根車と，前記各羽根車とは反対方向に回転するＮ個の羽根車を備え，前記各電動機は前記各羽根車を駆動し，Ｎは１以上であることを特徴とする送風機
又は，
時計回りに回転する電動機Ａ１と，反時計回りに回転する電動機Ａ２と，時計回りに回転する羽根車Ｂ１と，反時計回りに回転する羽根車Ｂ２を備え，前記電動機Ａ１は前記羽根車Ｂ１を駆動し，前記電動機Ａ２は前記羽根車Ｂ２を駆動することを特徴とする送風機
と，
電源又は受電可能な端子と，
を有するドライヤー。
【請求項４】
Ｎ個の電動機と，前記各電動機とは反対方向に回転するＮ個の電動機と，Ｎ個の羽根車と，前記各羽根車とは反対方向に回転するＮ個の羽根車を備え，前記各電動機は前記各羽根車を駆動し，Ｎは１以上であることを特徴とする送風機
又は，
時計回りに回転する電動機Ａ１と，反時計回りに回転する電動機Ａ２と，時計回りに回転する羽根車Ｂ１と，反時計回りに回転する羽根車Ｂ２を備え，前記電動機Ａ１は前記羽根車Ｂ１を駆動し，前記電動機Ａ２は前記羽根車Ｂ２を駆動することを特徴とする送風機
と，
電源又は受電可能な端子と，
を有する杖式機器。
【請求項５】
ハンドルと，コンピュータと，センサーと，給電制御手段を備え，
前記センサーは信号データを生成し，
前記信号データを前記コンピュータは入力し，
前記コンピュータは前記信号データから制御データを生成し，
前記制御データを前記給電制御手段は入力し，
前記給電制御手段は前記制御データに基づいて前記電源又は前記受電可能な端子から前記各電動機への給電を制御することを特徴とする
請求項１に記載の掃除機。
【請求項６】
ハンドルと，コンピュータと，センサーと，給電制御手段を備え，
前記センサーは信号データを生成し，
前記信号データを前記コンピュータは入力し，
前記コンピュータは前記信号データから制御データを生成し，
前記制御データを前記給電制御手段は入力し，
前記給電制御手段は前記制御データに基づいて前記電源又は前記受電可能な端子から前記各電動機への給電を制御することを特徴とする
請求項２に記載の手持式機器。
【請求項７】
ハンドルと，コンピュータと，センサーと，給電制御手段を備え，
前記センサーは信号データを生成し，
前記信号データを前記コンピュータは入力し，
前記コンピュータは前記信号データから制御データを生成し，
前記制御データを前記給電制御手段は入力し，
前記給電制御手段は前記制御データに基づいて前記電源又は前記受電可能な端子から前記各電動機への給電を制御することを特徴とする
請求項３に記載のドライヤー。
【請求項８】
ハンドルと，コンピュータと，センサーと，給電制御手段を備え，
前記センサーは信号データを生成し，
前記信号データを前記コンピュータは入力し，
前記コンピュータは前記信号データから制御データを生成し，
前記制御データを前記給電制御手段は入力し，
前記給電制御手段は前記制御データに基づいて前記電源又は前記受電可能な端子から前記各電動機への給電を制御することを特徴とする
請求項４に記載の杖式機器。
【請求項９】
前記センサーが，ハンドル操作によるトルクを検出できるセンサーである
請求項５に記載の掃除機。
【請求項１０】
前記センサーが，ハンドル操作によるトルクを検出できるセンサーである
請求項６に記載の手持式機器。
【請求項１１】
前記センサーが，ハンドル操作によるトルクを検出できるセンサーである
請求項７に記載のドライヤー。
【請求項１２】
前記センサーが，ハンドル操作によるトルクを検出できるセンサーである
請求項８に記載の杖式機器。
【請求項１３】
前記ハンドル操作によるトルクの回転方向と同方向にアシストトルクを発生するように，前記各電動機への給電を制御する請求項９に記載の掃除機。
【請求項１４】
前記ハンドル操作によるトルクの回転方向と同方向にアシストトルクを発生するように，前記各電動機への給電を制御する請求項１０に記載の手持式機器。
【請求項１５】
前記ハンドル操作によるトルクの回転方向と同方向にアシストトルクを発生するように，前記各電動機への給電を制御する請求項１１に記載のドライヤー。
【請求項１６】
前記ハンドル操作によるトルクの回転方向と同方向にアシストトルクを発生するように，前記各電動機への給電を制御する請求項１２に記載の杖式機器。
【手続補正３】
【補正対象書類名】明細書
【補正対象項目名】０００１
【補正方法】変更
【補正の内容】
【０００１】
本発明は，人体動作をアシストする掃除機，手持式機器，ドライヤー，及び，杖式機器に関するものである。
【手続補正４】
【補正対象書類名】明細書
【補正対象項目名】０００７
【補正方法】削除
【補正の内容】
【手続補正５】
【補正対象書類名】明細書
【補正対象項目名】０６９９
【補正方法】削除
【補正の内容】